(57)【特許請求の範囲】
【請求項１】
カード基材の一方の表面に設けられた秘密情報を隠蔽するスクラッチカードであって、
前記表面の少なくとも一部に、前記秘密情報を覆うようにレリーフホログラム形成層及び、スクラッチ隠蔽層がこの順序で設けられ、
前記レリーフホログラム形成層の露出している断面の内、一方の断面に入射した所定の入射光により、前記所定の入射光に基づく第一のレリーフホログラム再生像が再生されるとともに、前記レリーフホログラム形成層の露出している断面の内、他方の断面から出射された出射光から、前記第一のレリーフホログラム再生像を視認することができ、
且つ、前記スクラッチ隠蔽層をスクラッチにより除去することにより、前記秘密情報が視認可能となることを特徴とするスクラッチカード。
【請求項２】
請求項１に記載のスクラッチカードにおいて、
前記スクラッチ隠蔽層をスクラッチにより除去することにより、前記秘密情報、及び、前記レリーフホログラム形成層により再生される第二のレリーフホログラム再生像が視認可能となることを特徴とするスクラッチカード。
【請求項３】
請求項１または２に記載のスクラッチカードにおいて、
前記スクラッチ隠蔽層と前記レリーフホログラム形成層との界面が、「光学的な鏡面」であることを特徴とするスクラッチカード。
【請求項４】
請求項１から３の何れかに記載のスクラッチカードにおいて、前記スクラッチ隠蔽層の前記レリーフホログラム形成層が形成されている面とは反対の面に、地紋印刷が施されていることを特徴とするスクラッチカード。
【請求項５】
請求項１から４の何れかに記載のスクラッチカードにおいて、前記スクラッチ隠蔽層が、平均粒子径１．０μｍ〜１０μｍの顔料及び、平均粒径０．０１μｍ〜０．１μｍの微粒子顔料を含んでいることを特徴とするスクラッチカード。
【発明の詳細な説明】
【技術分野】
【０００１】
本発明は、カード基材上の秘密情報表示部を隠蔽するためのスクラッチ隠蔽層及びホログラム層が設けられたスクラッチカードであって、カード基材上の秘密情報表示部を覆うようにホログラム層及びスクラッチ隠蔽層を設けることで、その秘密情報を隠蔽することができ、そのスクラッチ隠蔽層をスクラッチにより削り取ると、その秘密情報及びホログラム再生像を同時に視認できるようになるスクラッチカードに関する。
【０００２】
さらには、そのカード基材上にホログラム層とスクラッチ隠蔽層を設けた積層体を、一つの「三層積層体」と見做すと、その「ホログラム層」は、「カード基材」と「スクラッチ隠蔽層」とによって挟まれた状態（いわゆる「サンドイッチ」状態を意味する。）となっている。
【０００３】
より詳しくは、その「ホログラム層」の上面と下面は、それぞれ、「スクラッチ隠蔽層」と「カード基材」で覆われている状態（隠蔽されている状態。）となっており、「ホログラム層」の端部に位置する「四方」の「露出している断面」は、「露出している状態」となっている。（この『四方の露出している断面』とは、いわゆる、『四方の切断面』を意味し、それぞれ、『露出している断面』、さらには、単なる『断面』とも表現する。また、この『ホログラム層』を一つの『直方体』と見做せば、その『直方体』を構成する『６つの面』、すなわち、『上面と下面、及び、４つの側面』のうち、この『４つの側面』が、その『四方の露出している断面』に相当する。）
本来、「ある一つの層」の端部に位置する「面」は、「端面」と定義すべき（すなわち、上下面と、４つの端面とすべき。）であるが、本発明のスクラッチカードにおいては、「切り立った面」という意味合いから、「断面」という語を使用する。従って、以下の説明における「断面」は、「端面」を含む。逆に、一般に用いられる「ある物体の『断面』」などと表現される「物体内部の形状を示す『語』としての『断面』」は、これに含まれない。
【０００４】
本発明のスクラッチカードにおいては、このホログラム層の４つの「露出している断面」の内、少なくとも、その「一方の断面」から、「所定の入射光」が「入射」し、その「所定の入射光」が、その「ホログラム層」の中を通って、その「ホログラム層」に記録してある「第一のホログラム」によって「回折」され（より詳しくは、『ホログラム層の一方の断面、もしくは、他方の断面、または、その両方の断面に設けられた、第一のホログラムレリーフ』を通過する際に、『回折』される。）、その「ホログラム層」による「第一のホログラム再生像」を再生する「光」となり（『ホログラム層』の上面や下面で反射されつつ伝搬することを含む。）、「ホログラム層」の「露出している断面」の内、「他方の断面」から出射する「出射光」となって、この「出射光」を観察する者に、その第一のホログラム再生像を視認させることとなる。
【０００５】
従って、その４つの「断面」のうち、少なくとも２つの「断面」が、「露出」しておれば十分であって、他の２つの「断面」は、「スクラッチ隠蔽層」で覆われていても良い。
【０００６】
さらには、その４つの「断面」のうち、ただ１つの「断面」のみ「露出」させ、その「断面」に所定の入射光を入射させ、且つ、その「断面」から上記の出射光を出射させることとすることも可能である。（この場合には、『ホログラム層』の『他方の断面』が、『反射面』となるか、『他方の断面』に『反射層』を設けることとなる。もちろん、『一方の断面』が『反射面』となるか、『一方の断面』に『反射層』を設けてもよい。）
これに対して、「ホログラム層」の上面（スクラッチ隠蔽層のスクラッチにより、露出したホログラム層の表面を意味する。）に照明光を照射することにより、その「上面」より「第二のホログラム再生像」が再生されるこことなる、「第二のホログラム」が、その「ホログラム層」に記録されている。（『上面』より入射した照明光が、その『下面』に設けられている『第二のホログラムレリーフ』で反射して、再び、『上面』より出射され、『第二のホログラム再生像』を出現することを意味する。もちろん、『上面』、もしくは、『下面』、または、その『両面』に『第二のホログラムレリーフ』を設けても良く、そのいずれにも、『反射層』を設けて良い。）
この「第一のホログラム」と「第二のホログラム」は、光学的な視点より、「互いに直交している」ということができ、それらを同時に再生する場合において、それぞれの再生像に対する、「互いの像の鮮明性を低下させ」たり、「互いの像を歪ませる」などの悪影響は比較的小さくすることができる。
【０００７】
本発明において、「カード基材」とは、秘密情報表示部を設けることができるプラスチックカードそのもの、もしくは、秘密情報を記録可能な種々のシート状、カード状、その他の形状を有するものを意味し、その素材も、プラスチック材料、金属材料、その他あらゆる材料を用いたものでよいが、少なくとも、本発明のスクラッチカードとして、その秘密情報を形成、且つ、隠蔽することができるものである。
【０００８】
また、本発明において、「秘密情報」とは、「その秘密情報を知り得る正当な権利者にのみ開示されるべき情報」を意味し、その「秘密情報」をカード基材上に設ける手段は、適宜な印刷方法や、個別情報を形成できるインクジェット方式を用いた方法、さらには、レーザー印字等、その「情報」としての文字、図形、記号、その他の、少なくとも目視認識可能な、あらゆる「情報」を形成可能な方法を用いることができるものである。
【０００９】
もちろん、そのカード基材上の「秘密情報」と、スクラッチカードが担持する別の「情報」（秘匿されていても開示されていてもよい。）との単なる組み合わせや、それらの「情報」を各種の情報合成手段等（暗号化処理も含まれる。）により合成して、「正当な権利者に開示される情報が形成される」ものであってもよい。
【００１０】
カード基材上に「秘密情報」を設けた部分を、「秘密情報」表示部、「秘密情報」印字部、または、「秘密情報」形成部と、適宜、表現する。
【００１１】
さらに、本発明において、「スクラッチ」とは、コインや爪等によって「対象となる層」を削り取る行為であって、「対象となる層」を部分的、もしくは、全面的に除去する行為を意味する。特に、「対象となる層」の背後にあるものを視認することが目的であるため、「部分的な削り取り」であっても、「削り取った領域」においては、「対象となる層」の全てを、削り残し無く、除去することとなる。（これ以下、このスクラッチ操作を「スクラッチオフ」とも言う。）
また、本発明において、「光学的な鏡面」とは、ある「層」の表面の平滑性が、実質的に、平均表面粗さＲａで、０．０１μｍ〜０．１μｍであることを意味する。そして、この「光学的な鏡面」をその表面に有する「ある層」の上に、その表面平滑性を維持した状態（その表面形状に何らの変化を及ぼさないことを意味する。）で、「別の層」を重ねた際に、この「ある層」と「別の層」との界面が、「光学的な鏡面」であるという。
【００１２】
本明細書において、配合を示す「部」は特に断わらない限り質量基準である。また、「ホログラム」は、回折格子などの光回折性機能を有するものも含む。
【背景技術】
【００１３】
（主なる用途）通信網やコンピュータネットワークの普及に加え、データを送受信するコンピュータ端末の普及及びその携帯化が進むとともに、わが国においても第三次産業の占める割合が急速に伸び、様々な業者、さらには、公的機関によっても、様々なサービスの提供が行われている。
【００１４】
第三次産業とは、情報通信業、運輸業、郵便業、卸売業、小売業、金融業、保険業、不動産業、物品賃貸業、学術研究または専門技術サービス業、宿泊業、飲食サービス業、生活関連サービス業、娯楽業、教育または学習支援業、医療または福祉関連、電気事業、ガス事業、熱供給事業、水道業、公務、理容美容関連、複合サービス業、レジャーサービス、レンタルサービス、アウトソーシングサービス、交通サービス、外食サービス、エネルギー、エンターテインメント、コンサルティング、その他サービス業と位置づけられているが、このような第三次産業に携わる業者や公的機関は、物品の販売のみならず、特定のサービスの提供によっても対価を得ているため、物品を販売する形態とは異なる形態によっても、顧客や消費者へのサービス提供、もしくは、顧客や消費者（以下、顧客等ともいう。）からの料金や対価（以下、料金等ともいう。）の回収を行っていることが多い。
【００１５】
例えば、その料金や対価の回収方法として、顧客等の銀行口座から、利用したサービスに相当する対価を自動的に引き落とす方法や、信販会社に対してクレジット契約を予め締結しておき、信販会社を介して利用料金を決済する方法などは、ごく一般的な料金等の回収の形態であり、電気料金、ガス料金、水道料金などの公共サービスや、種々の情報提供サービスなどにおける料金等の決済の手法として広く利用されている。そして、プリペイドカードの販売という形式により、将来提供されるべきサービスに対して、料金等の回収を先に行ってしまう方法も普及している方法であり、料金や、運賃、その他の対価の回収に広く利用されている。
【００１６】
さらに、販売する「物品」そのものが、データ端末装置、パーソナルコンピュータ、デスクトップパソコン、オンライン対応ゲーム機、電話回線機器、ファクシミリ、モデム等のデータ回線終端装置、ラジオ受信機や、テレビ受像機等の通信機器（情報機器）、特に携帯して利用可能な通信機器である携帯通信機器（端末）や、携帯して利用可能な情報機器である携帯情報機器（端末）、すなわち、携帯音楽プレーヤー、ＩＣレコーダー、ポータブルＤＶＤプレーヤー、ポケットコンピュータ、スマートブック、タブレットＰＣ、ＰＤＡ、電卓、携帯ゲーム機、デジタルカメラ、ビデオカメラ、ラップトップコンピュータ、ノートパソコン、ハンドヘルドパソコン、携帯プリンター、携帯スキャナ、携帯モデム、電子辞書、電子手帳、電子書籍、ポータブルデータターミナル、携帯電話端末、ＰＨＳ端末、ポケットベル端末、携帯ラジオ、携帯テレビ、ワンセグ、腕時計、懐中時計、補聴器、ハンドヘルドＧＰＳ、防犯ブザー、テレビ電話、ＧＰＳ受信機、カーナビゲーション端末、リモコン端末、電子マネー、デジタルキー、デジタルロックやポイントカード用のＩＣカード等を用いて顧客に届けられるものとなり、音楽、映画、ゲームソフト等の文字、画像、映像、動画、音声、映画の著作物や、Ｗｅｂアニメ等のマルチメディア関連のコンテンツを、これらの「物品」として、ダウンロード販売、クラウドコンピューティング、音楽配信、ＩＰ放送、インターネット放送、インターネットテレビ、インターネット放送ネットワーク、インターネットラジオ、ポッドキャスト、ビデオ・オン・デマンド、動画共有サービス等の手段を用いて配信する方法も広く利用されている。
【００１７】
そして、これらの付加価値の対象である「物品」そのものや、上記した様な種々の「サービス」を受けることができる「資格」や「権利」を顧客に付与するもの、すなわち、それらの付加価値の受領、または、利用を要求している者が、正当な「資格」、または、「権利」を保有している者であるか否かを判定する媒体として、各種のカード類が広く一般的に用いられている。
【００１８】
これらカード類は、身分を証明するＩＤカード、会員カードや、金銭的価値を有するキャッシュカード、クレジットカード、プリペイドカード、定期券、もしくは、回数券等として多くの分野で使用されており、その数は増加の一途をたどっている。この中で、前払い方式でサービスを提供する際の前払証票、いわゆるプリペイドカードは、特に数量的な増加率が高く、一定単位の金額を予め支払い、その金額分の価値情報を利用できるものとして広く普及している。
【００１９】
そして、そのカード上には、価値情報や識別情報が、カード基材に印字または印刷表示した絵柄や文字情報として記録され、また、カード基材上に設けられた磁気記録部または光学記録部、場合によってはＩＣチップに機械読み取り情報として記録されており、用途に応じた様々な情報を保持し、様々な場面でそれらの情報を利用可能とするものである。
【００２０】
そのプリペイドカードの代表とも言えるテレホンカードにおいては、価値情報や識別情報がテレホンカードそのものに記録され、電話端末においてテレホンカードを使用する都度、その通話料金をテレホンカードに記録してある価値情報から減額し、その残金を再びテレホンカードに記録しておくものであったが、その後、テレホンカードの偽造や変造に対処する方式として、テレホンカード上にはランダムな「番号」のみを印字しておいて、テレホンカードの発行、登録、販売、利用、減額処理、登録抹消等を管理しているホストコンピュータ上にその「番号」に対応した価値データを持たせ、テレホンカードの使用者が、そのホストコンピュータにアクセスした時に利用金額分の通話を行うことができるという、いわゆる「スクラッチオフ方式のテレホンカード」、すなわち、秘匿性の許可番号（秘密情報。）を交付する形式のテレホンカードを使用する方式が実用化され、そのカード発行数量も多くなってきている。
【００２１】
この方式では、流通段階において許可番号の漏洩が発生すると、その許可番号を不正に入手した者による不正サービス受給や、正規購入者に対して正当な利用を提供できなくなる等のトラブルを招くのみならず、もはや、「実際にその許可番号を利用した行為」が、正規購入者による行為なのか、もしくは、不正入手者による行為なのかを判別する手段も無くなってしまい、不正行為の特定ができず、従って、その損害額の特定、そして、その特定に基づく損害賠償請求も不可能となる。
【００２２】
このため、テレホンカードにその許可番号を印字した後、その許可番号が第三者に簡単に盗まれることを防止する目的で、削り取り（スクラッチ）が可能な隠蔽層でその許可番号を一旦覆って流通させ、テレホンカード購入者（正規購入者）が、その隠蔽層をスクラッチして除去して、その下に隠蔽されている許可番号を読み取り、その許可番号を利用するという方式である、「スクラッチオフ方式」の採用が必須となっている。
【００２３】
例えば国際電話のアクセス方式として、中継基地となる電話会社（中継会社という。）と契約し、料金先払いで所定の金額（例えば、千円。）を支払うことによりその契約者個有のナンバーが記載されたカードが発行され、国際電話を掛ける際にはカードに表示されたアクセスナンバー（フリーダイヤル。これが秘密情報となる。）を入力して中継会社にアクセスし、次いで契約者個人に与えられた個人ナンバーを入力したのち、相手方の電話番号を入力することによって通話ができるシステムが、国際電話を低料金で掛けられ、且つ、中継会社へアクセスした際に所定秒時コマーシャルを流すことによる宣伝媒体としての利用を図ることができる方式として広く普及しつつある。
【００２４】
このシステムに加入すると、個人に与えられた個人ナンバーはスクラッチ加工（スクラッチ可能な隠蔽処理という意味。）により外部からは完全に見えないように処理されており、このスクラッチ加工部分を削るようにして剥すことにより初めて個人ナンバーが現われるようになされている。
【００２５】
また、従来より、イベントくじやゲーム用カード等において、秘密情報である、例えば、「あたり」又は「はずれ」に相当する絵柄や文字や番号などのくじの結果をスクラッチが可能な隠蔽層で一時的に隠蔽した後、このスクラッチが可能な隠蔽層を爪やコインなどで擦ることで、その隠蔽層の下に表示された秘密情報の内容を見ることができるようにしたスクラッチが可能な隠蔽層付き印刷物は知られている。これらの印刷物は、一般的に複数個所にスクラッチが可能な隠蔽層を設けておき、その中から「あたり」と思われる１ヶ所の隠蔽層をコイン等で削り取ることで、下層に表示された秘密情報の表示を目視で確認するもので、もし仮に２ヶ所以上の隠蔽層を削り取った場合は、無効とするなどの規則とする場合が多い。
【００２６】
さらに、スピードくじや、ファーストフード店等においてサービス的に用いられているチケットは、カード基材に数字や文字等（秘密情報）を印刷した後、その上にスクラッチが可能な隠蔽層を印刷して、下地の印刷が見えないように構成され、くじの購入者やチケットを受け取った者が、爪や硬貨を用いてその隠蔽層を擦り取ると、下地に印刷されている数字や文字等が出現する。この出現した数字や文字を、予め決定されている数字や文字等と比較して、合致した場合には当選が決まるシステム（秘密情報がある意味において暗号情報となっており、他の情報との照合、いわば、解読により、「当たり」が決まる仕組み。）となっている
また、抽せんコードの如き機密の個別データをスクラッチが可能な隠蔽層で隠蔽してあるインスタント抽選付ゲームカードやインスタント抽選付商品等においては、機密の個別データを複雑なゲームにも利用できるものとし、その隠蔽層を擦り取ると、「あたり」の文字や懸賞番号等のメッセージが浮かび上がるように構成されている
このように「スクラッチ方式」は、いわば「簡易くじ」としても用いられており、その用途としては、宝くじなどの各種くじ等の他、商品の購入時の景品提供の手段、教習具や、ゲームカード等があるが、より具体的には、携帯電話ショップで、スクラッチ枠を１１か所設け、その内５か所だけを擦って、自分の携帯電話番号といくつ一致するかでもらえる景品が決まり、裏面には新規契約の方への特別割引クーポン券がついているもの、大手ドラッグストアで、ポイントカード会員獲得のために、ポイント５倍などのスクラッチに使用するもの、会員登録したその日からクーポン券として利用可能で、クーポン券の利用期間を設けるもの、大手鶏卵メーカーで、大手スーパー量販店様への卵パックの中に封入し、当たりが出たら「当たり券」をハガキに貼って裏面記載の係りあてに応募すると、購入先で使用できる商品券がプレゼントされるもの、住宅展示場、ファーストフードショップ、遊園地、観光スポット、スポーツ観戦に使用されるもの等、さらには、食品業界、ファッション業界、美容業界や医療関係等用の、擦った後に削りカスが出にくいもの等、または、被封くじであって、当せんパターンがスクラッチ印刷され、これを削ることにより抽せんを行う、インスタントくじ、スクラッチ宝くじ等、スクラッチ可能な隠蔽層をパターン状に複数設けて、それらの何れかを削って、所定のマークを出すことができた場合に「当たり」とするもの、そのマークを出すまでの削り回数や、削った軌跡で「当たり」のレベル（例えば商品価格）を定めるもの、そのパターンが、縦横マス目状に設けられ、そのマークがそのマス目のどの位置にあるかによって、「当たり」のレベルを定めるもの等がある。
【００２７】
また、抽選用品としてのスクラッチ三角くじやおみくじ用、キャラクター抽選会、おもちゃの抽選会、菓子等食品の抽選会、生活用品の抽選会等の抽選会景品セット用、サイコロを使う景品セット、輪なげや射的景品セット、おもちゃ釣りや千本つり景品セット、穴あけ宝箱景品セット、ガチャガチャやカプセル景品セット、つかみどりやすくいどり景品セット、詰め放題や玉入れ遊び景品セット、季節の抽選セットや景品抽選セット、夏の花火景品セット、夏の縁日景品抽選セット、夏のサマーグッズ抽選セット、クリスマス景品抽選セット、お正月景品抽選セット、年末年始景品抽選セット等のイベント景品セット用として、
さらには、来店促進のためのお買物券や割引券等、店頭でのイベントなどに用いられる名刺サイズやハガキサイズのもの、イベント案内のダイレクトメールにスクラッチを活用するもの、店頭への誘導にハガキだけでなく、Ｖ折やＺ折などの圧着ハガキＤＭへスクラッチ印刷したもの等、１日１回で数十回スクラッチすると、その回数に応じて、景品引換券や、家具や洋服等の店頭で販売している商品が手に入るものや、スクラッチカードの四つ角に決まったアイテムが用意され、これを参考にすれば、欲しいアイテムを効率良く集めることができるように構成されているもの等がある。
【００２８】
このような「スクラッチ方式」の普及により、その「秘密情報」として、単純な「あたり」または「はずれ」の文字や、シリアルナンバー等の番号類のみならず、バーコードや二次元バーコード等の機械認識コード類、顧客データ、メッセージ等、あらゆる語句や記号、もしくは特定のマーク等の図形を固定もしくは可変で構成するもの、さらには、これらの「情報」が発色機構や消色機構を利用して浮き出るものや、特定の光源によってのみ、その「秘密情報」を読み取ることができるものなども提案されている。
（先行技術）上記したように、銀行口座からの自動引き落としや、信販会社を介した決済という方法は、非常に堅実な方法ではあるが、事前の手続きが面倒で、また、サービスの利用開始までに時間がかかるという問題があり、公共料金など利用が不可欠なサービスについては、有効な料金回収方法であるとしても、顧客にとって恣意的なサービスについての料金回収方法としては、必ずしも適切ではなく、利用料金の支払いのための手続きが面倒であったり、実際に利用が可能になるまでに何日も待たされたりすれば、顧客はそのサービスの利用に躊躇せざるを得なくなる。
【００２９】
そのため、プリペイドカードを用いた料金回収方法が、非常に手軽な方法であり、サービスによっては非常に有効な方法であることから、すなわち、通常の物品を購入する場合と同じ形態で、サービスに対する対価の支払いを行うことができ、かつ、プリペイドカードを購入した時点からそのサービスを利用できるようになることから、いわゆる「プリペイドカード方式」が拡大したが、その半面、プリペイドカードの偽造や変造という問題が生じるに至り、すなわち、一般的なプリペイドカードは、磁気的に残存対価を記録する方式を採っているため、この磁気的な記録の改竄という方法による不正利用が蔓延する結果となり、従来の磁気記録を利用した「プリペイドカード方式」は、安全性の面で些か問題があるのではないかとの認識が広がった。
【００３０】
このような理由も追い風となり、カードそのものには金額等の記録を保持せず、「認証番号等」のみを「秘密情報」として保持させて、そのカードを購入した者がその「番号等」を「申告する」ことにより種々のサービスを受けることができるという新規な「プリペイドカードサービス」が普及した。この「番号等」は、「秘密情報」として秘匿するために、スクラッチが可能な隠蔽層等により隠蔽されているため、従来の磁気型プリペイドカードに対して、番号型プリペイドカードとも呼ばれる。
【００３１】
この番号型プリペイドカードには、公衆電話用カード、携帯電話用カード、国際電話用カード等の通信系、ゲームソフトや音楽ソフト、その他有料ソフトの決済カード等の決済系、ショッピングカード、ギフトカード、コインカード等の物品購入系等が実用化されている。
【００３２】
本発明のスクラッチカードは、このような、付加価値のある「秘密情報」が設けられたカード等の「カード基材」、すなわち、そのカード等を構成している「カード基材」であってその上に「秘密情報」が設けられているものに対して、その「秘密情報」を覆うようにスクラッチ隠蔽層を設けて、その「秘密情報」を第三者に対して秘匿し、その「秘密情報」の開示を受けられる正当な権利を有する者のみが、そのスクラッチカードのスクラッチ隠蔽層をスクラッチして初めて、その「秘密情報」を確認することができるようにするものである。
【００３３】
この目的を達成するための技術として、特許文献１には、カードそのものには金額等の記録を保持せず、「認証番号等」のみを秘密情報として保持させて、そのカードを購入した者がその「番号等」を「申告する」ことにより種々のサービスを受けることができる、これらのプリペイドカードサービスとして、この「番号等」を、秘密情報として秘匿するために、スクラッチが可能な隠蔽層等で隠蔽する技術が開示されている。
【００３４】
また、インスタント抽選券、秘密情報伝達カード、クイズカード等で、一時的に秘密にしたい情報をシート上にプリンター等で印字表示し、それらの秘密情報表示部の上層に引っ掻くことで破壊されるスクラッチ可能な隠蔽層を形成させてなる「スクラッチカード」が既に広く用いられているが、これらのスクラッチ可能な隠蔽層は、比較的容易に入手できる原料から形成することが可能であるため、偽造や変造を行うことも容易である。
【００３５】
例えば、販売前の段階において、販売関係者が宝くじ等のインスタント抽選券のスクラッチ可能な隠蔽層を一旦引っ掻いて剥離し、抽選番号を見て当たりの抽選券と外れの抽選券を事前に確認して判別しておき、再度抽選番号の表示部分上にスクラッチ可能な隠蔽層を再形成することで、見かけ上、元の状態に戻しておき不正行為が行われたことを気づかれないようにカムフラージュし、当たりの抽選券を知り合いに販売することで特定の客に儲けさせる等の不正行為を働くことも物理的に可能であるため、この対策として、スクラッチ可能な隠蔽層に香料を含んだマイクロカプセルを入れ、真偽判定をする方法が提案されている。しかし、この方法では、正当な使用者がスクラッチした際、バラの匂い等、嗅覚に訴える販促的効果は期待できるが、不正者が一度スクラッチをした後、再度同様の匂いの香料を含むスクラッチ可能な隠蔽層を設けても、その後入手した正当な使用者にとって、目視にて容易に判読できる不正の痕跡を残すことは困難であった。（例えば、特許文献２参照。）
以上のごとき、カムフラージュ行為を直接的に阻止する方法として、スクラッチ可能な隠蔽層の上、または、スクラッチ可能な隠蔽層とカード基材とに跨るように、ホログラム画像を形成したホログラム層を設け、不正を行おうとする者にホログラム画像の存在を認識させて、「ホログラム層」を形成することの困難さを持って不正行為を阻止しようとする技術も開発されている。（例えば、特許文献３または４参照。）
しかし、これらの技術は、ホログラム層の存在や、そのホログラムデザインが第三者にあらかじめ開示されていることから、そのホログラム再生像に類似した光学効果を有するものを十分な時間を掛けて偽造したり、もともと、この構成自体がホログラム層とスクラッチ可能な隠蔽層を同時に削る仕様となっていることから、「ホログラム層もろともスクラッチ可能な隠蔽層を全て削ってしまった」と偽ることにより、ホログラム層が全く存在しない変造品を持参しながら、あたかも正規品であったかの如く振る舞う等の不正を防ぐことができないという欠点を有していた。
【先行技術文献】
【特許文献】
【００３６】
【特許文献１】特開平１０−２１４３２０号公報
【特許文献２】特開２００１−４７７７７号公報
【特許文献３】特開平１１−３４５６５号公報
【特許文献４】特開２００５−３０５８４４号公報
【発明の概要】
【発明が解決しようとする課題】
【００３７】
本発明は、カード上の「秘密情報」及びレリーフホログラム層を、スクラッチ隠蔽層で隠蔽したスクラッチカードを提供し、ホログラム層をスクラッチ隠蔽層の背後に設けて、第三者に対してホログラムの存在、及び、そのホログラムデザインを秘匿可能とし、スクラッチ隠蔽層をスクラッチして初めて、そのホログラムの存在を確認できるという高い偽造防止性と、スクラッチ後には、隠蔽した秘密情報とその鮮明なホログラムデザインを重ねて視認できるという高い意匠性、さらには、そのホログラムが存在するか否かを目視によって判定するという真正性判定の簡易性をも併せ持つスクラッチカードを提供する。
【００３８】
すなわち、ホログラムデザインを第三者に開示していないことから、不正者が、例え、本発明のスクラッチカードを複数枚入手して、その構造やホログラムの存在を知り得たとしても、そのホログラムデザインが統一された唯一のデザインなのか、複数のデザインを任意に配したものなのか、もしくは、特定の秘密情報に対して特定のホログラムデザインを対応させてあるものかを知ることができないものとしており、この原理によって、入手したスクラッチカード以外の秘密情報を有するスクラッチカードに対しての「偽造品」を作ることを事実上不可能とした、スクラッチカードを提供する。
【００３９】
さらには、そのレリーフホログラム層に、断面への入射照明光によって断面から出射再生するホログラムを記録しておき、スクラッチ隠蔽層をスクラッチする前に、不正者には想像することも出来ない方法での真正性判定が可能となる、著しく偽造防止性に優れるスクラッチカードを提供する。
【００４０】
また、スクラッチ隠蔽層とレリーフホログラム層の界面を「光学的な鏡面」として、そのホログラム再生像の鮮明度を確保して、これを偽造することを非常に困難とし、さらには、スクラッチ隠蔽層に平均粒径の異なる顔料を配して、不正な目的でカードを湾曲させたりしたときに、その剥離痕を発生させ、もはや、その剥離痕を修復することは不可能となる構造として、その偽造防止性を著しく高めることを可能としたスクラッチカードを提供する。
【課題を解決するための手段】
【００４１】
上記の目的を達成するために、
本発明のスクラッチカードの第１の態様は、
カード基材の一方の表面に設けられた秘密情報を隠蔽するスクラッチカードであって、前記表面の少なくとも一部に、前記秘密情報を覆うようにレリーフホログラム形成層及び、スクラッチ隠蔽層がこの順序で設けられ、前記レリーフホログラム形成層の露出している断面の内、一方の断面に入射した所定の入射光により、前記所定の入射光に基づく第一のレリーフホログラム再生像が再生されるとともに、前記レリーフホログラム形成層の露出している断面の内、他方の断面から出射された出射光から、前記第一のレリーフホログラム再生像を視認することができ、且つ、前記スクラッチ隠蔽層をスクラッチにより除去することにより、前記秘密情報が視認可能となることを特徴とするものである。
【００４２】
上記第１の態様のスクラッチカードによれば、
カード基材の一方の表面に設けられた秘密情報を隠蔽するスクラッチカードであって、前記表面の少なくとも一部に、前記秘密情報を覆うようにレリーフホログラム形成層及び、スクラッチ隠蔽層がこの順序で設けられ、前記レリーフホログラム形成層の露出している断面の内、一方の断面に入射した所定の入射光により、前記所定の入射光に基づく第一のレリーフホログラム再生像が再生されるとともに、前記レリーフホログラム形成層の露出している断面の内、他方の断面から出射された出射光から、前記第一のレリーフホログラム再生像を視認することができ、且つ、前記スクラッチ隠蔽層をスクラッチにより除去することにより、前記秘密情報が視認可能となることを特徴とするスクラッチカードを提供することができ、その「秘密情報」の覗き見や、偽造及び変造を困難としたスクラッチカードを提供することができる。
【００４３】
本発明のスクラッチカードの第２の態様は、
第１の態様のスクラッチカードにおいて、
前記スクラッチ隠蔽層をスクラッチにより除去することにより、前記秘密情報、及び、前記レリーフホログラム形成層により再生される第二のレリーフホログラム再生像が視認可能となることを特徴とするものである。
【００４４】
上記第２の態様のスクラッチカードによれば、
第１の態様のスクラッチカードにおいて、前記スクラッチ隠蔽層をスクラッチにより除去することにより、前記秘密情報、及び、前記レリーフホログラム形成層により再生される第二のレリーフホログラム再生像が視認可能となることを特徴とするスクラッチカードを提供することができ、その「秘密情報」の覗き見や、偽造及び変造を、より困難としたスクラッチカードを提供することができる。
【００４５】
本発明のスクラッチカードの第３の態様は、
第１の態様または第２の態様のスクラッチカードにおいて、前記スクラッチ隠蔽層と前記レリーフホログラム形成層との界面が、「光学的な鏡面」であることを特徴とするものである。
【００４６】
上記第３の態様のスクラッチカードによれば、
第１の態様または第２の態様のスクラッチカードにおいて、前記スクラッチ隠蔽層と前記レリーフホログラム形成層との界面が、「光学的な鏡面」であることを特徴とするスクラッチカードを提供することができ、より鮮明なホログラム再生像を出現可能とし、その偽造防止性と意匠性を高めたスクラッチカードを提供することができる。
【００４７】
本発明のスクラッチカードの第４の態様は、
第１の態様から第３の態様の何れかの態様のスクラッチカードにおいて、前記スクラッチ隠蔽層の前記レリーフホログラム形成層が形成されている面とは反対の面に、地紋印刷が施されていることを特徴とするものである。
【００４８】
上記第４の態様のスクラッチカードによれば、
第１の態様から第３の態様の何れかの態様のスクラッチカードにおいて、前記スクラッチ隠蔽層の前記レリーフホログラム形成層が形成されている面とは反対の面に、地紋印刷が施されていることを特徴とするスクラッチカードを提供することができ、より偽造防止性と意匠性を高めたスクラッチカードを提供することができる。
【００４９】
本発明のスクラッチカードの第５の態様は、
第１の態様から第４の態様の何れかの態様のスクラッチカードにおいて、前記スクラッチ隠蔽層が、平均粒子径１．０μｍ〜１０μｍの顔料及び、平均粒径０．０１μｍ〜０．１μｍの微粒子顔料を含んでいることを特徴とするものである。
【００５０】
上記第５の態様のスクラッチカードによれば、
第１の態様から第４の態様の何れかの態様のスクラッチカードにおいて、前記スクラッチ隠蔽層が、平均粒子径１．０μｍ〜１０μｍの顔料及び、平均粒径０．０１μｍ〜０．１μｍの微粒子顔料を含んでいることを特徴とするスクラッチカードを提供することができ、その偽造防止性を著しく高めたスクラッチカードを提供することができる。
【００５１】
本発明のスクラッチカードのレリーフホログラム形成層は、透明樹脂層で構成され、各種の熱可塑性樹脂、熱硬化性樹脂、もしくは電離放射線硬化性樹脂を用いることができる。（電離放射線とは、電子線及び紫外線を意味する。）
そして、このレリーフホログラム形成層の、４つの「露出している断面」の内、少なくとも、その「一方の断面」に、予め準備した回折格子や干渉縞が凹凸の形で記録された「第一の原版」（所定の『第一のホログラムレリーフ』面を有する原版という意味。）を、以下に詳述する方法を用いて、複製方式のプレス型（スタンパともいう。）として押し当て、加熱ロールなどの適宜な手段により、特に原版を加熱して圧着することにより、「第一の原版」の凹凸模様を、レリーフホログラム形成層の、その「一方の断面」に複製することができる。この際、形成する「第一のレリーフホログラム」パターンは単独のパターンでも、複数のパターンの集合体でもよい。
【００５２】
さらに、このレリーフホログラム形成層の上面と下面の内の、少なくとも一つの面に、予め準備した、上記とは異なる回折格子や干渉縞が凹凸の形で記録された「第二の原版」（所定の『第二のホログラムレリーフ』面を有する原版という意味。）を、通常の複製方式のプレス型（スタンパともいう。）として押し当て、加熱ロールなどの適宜な手段により、両者を加熱して圧着することにより、その「第二の原版」の凹凸模様を、レリーフホログラム形成層に複製することができる。
【００５３】
本発明のスクラッチカードに用いられるカード基材としては、秘密情報表示部を設けることができるものであって、レリーフホログラム形成層との接着性を有するものであれば、あらゆる材料、すなわち、プラスチック材料、金属材料、セラミック材料、生体材料、それらの複合材料、さらには、それらを多層構造としたものなどを用いることができる。
【００５４】
また、カード基材の形状も、あらゆる形状、すなわち、シート状、フィルム状、板状、立方体状、直方体状、カード状、はがき状、伝票状、封筒状、円盤状、楕円体状、球体状、棒状、及びこれらの組み合わせや、これらに変形、切断、穴あけ、接着等の加工処理を施したものなどを採用することができる。
【００５５】
その厚さも、秘密情報表示部を支持することができ、且つ、ハンドリング可能であればよく、特に制限はないが、通常、３．０μｍ〜３．０ｍｍの厚さとする。もちろん、封筒状や、箱状のものであれば、その立体形状の寸法は、それぞれの用途に適したものとするため、この範囲内とする必要はない。
【００５６】
但し、これらのカード基材上に設けた秘密情報をスクラッチ隠蔽層で秘匿することとなるが、そのスクラッチ隠蔽層を設けた側面とは反対の側面から、カード基材に対して、強度の大きい可視光線や、赤外線、紫外線、Ｘ線等、さらには、電子線等の粒子線（以上を総称して「光線」と称する。）を照射して、その「透過『光線』」や「反射『光線』」、さらには、特性Ｘ線等から、その秘密情報そのものを読み取ろうという試みに対抗するため、そのカード基材の性質として、これらの「光線」を「遮蔽」したり、「反射」、もしくは、「散乱」させる性質を保有することが望ましい。
【００５７】
これらカード基材の代表例としては、いわゆる「プリペイドカード」として用いられているカード基材及び形状や、「プラスチックカード」として用いられているカード基材及び形状、特に、ＪＩＳ規格やＩＳＯ規格で定められているものがある。すなわち、その「汎用性」（加工汎用性を含む。）から、「ＪＩＳ規格やＩＳＯ規格で定められている『プラスチックカード』として用いられているカード基材及び形状」が望ましい。
【００５８】
これらは、既に、全世界に大量に頒布され、普及しているため、そのハンドリングや、保持することに抵抗感がなく、また、それらを携帯したり、使用したりする場合の周辺機器や、関連グッズ等も既に普及しているため、これらのものへの適用もスムースであって好適である。
【００５９】
本発明のスクラッチカードが秘匿する「秘密情報」としては、暗証番号、個人認証番号、口座番号、その他の個人特有の番号または記号や、抽選番号または記号、管理番号または記号等、もしくは、単なる連続番号や記号であって、登録することによりその有効性を発現するもの、暗号鍵番号である共通鍵番号のように同一の番号、さらには、全くの乱数であってスクラッチカードのカード基材を作製するときに発生させ作製者も含め誰もその番号の内容を知り得ないように工夫した番号等、知ることが許された者（正規な購入者等を意味する。もちろん、スクラッチカードのシステム設計者や、スクラッチカード発行者等が含まれる場合もある。）のみが見ることができ、その他の者は物理的に見ることができないよう設定される番号または記号等がある。
【００６０】
また、そのスクラッチカードの用途により、番号または記号のみならず、文字、図形、マークその他、個人及びそのスクラッチカードの供給者が共通に認識できるもの（この対象は、いわゆる「情報」全てとなる。）であれば何れも用いることができる。そして、その認識方法も、少なくとも目視確認により認識できる情報を有しながら、目視以外の認識方法、例えば、光学読取方法、磁気的読取方法、その他、あらゆる物理的もしくは化学的読取方法を採用することができ、且つ、秘密情報と重ねて視認できる第二のレリーフホログラム再生像の中にも、さらには、断面から再生される第一のレリーフホログラム再生像の中にも、ホログラム再生原理を利用した光学読取方法を含めることができて、いずれも、その偽造防止性を高めるために好適である。
【００６１】
この「秘密情報」をスクラッチカードのカード基材上に設ける方法としては、可変情報を形成する方式として、感熱溶融転写方式、昇華転写方式、光学的もしくは物理的直接描画方式、電子写真方式及び、インクジェット方式等があり、固定情報を形成する方式としては、グラビア印刷方式、オフセット印刷方式、活版印刷方式、凹版印刷方式、スクリーン印刷方式等がある。
【００６２】
また、カード基材そのものを発色材料や消色材料で構成し、その発色原理や消色原理を用いて、可変情報や固定情報を記録する方法を用いてもよい。
【００６３】
すなわち、電子供与性ロイコ染料と電子受容性顕色剤とを含有する感熱発色材料からなるカード基材や、基紙となる紙材料やフィルム材料上に、電子供与性ロイコ染料と電子受容性顕色剤とを含有する感熱発色層を設けたもの、さらには、それらの基紙上に、カプセル内包の発色剤と顕色剤とからなる感圧発色層を設けたものを、カード基材として用いることができる。
【００６４】
また、発色と消色を繰り返して操作できる、感温材料等を用いたサーマルリライタブル層や、フルギド系やスピロピラン系などのフォトクロミック材料等を用いる光リライタブル層を設けることも、その意外性や偽造防止性が高まり、好ましい。
【００６５】
特に、これらの「リライタブル層」を設けて、「秘密情報」を表示させると、正規購入者が、その「秘密情報」を確認するときのみ「秘密情報」が現れ、それ以外のときには「非表示」とすることで、不要な第三者による「秘密情報」の視認を阻止することができる。
【００６６】
感熱発色材料としては、発色剤、顕色剤、及び、増感剤からなる系を用いることができ、発色剤としては、ベンゾイルロイコメチレンブルー、クリスタルバイオレットラクトン等のフタリド化合物等、顕色剤としては、４−４´ビフェノール、１−ナフトール等の酸など、さらに、増感剤としては、４−ベンジルビフェニル、フルオレン等を用いる。
【００６７】
感熱記録とは，基紙上の層に分散させた発色剤及び顕色剤を熱により溶融させ、接触させることにより発色させる仕組みである。その高感度化のために、低融点の増感剤を添加するが、様々な酸発生方法とこの発色機構を組み合わせることにより、繰り返しの書き込みや消去が可能なリライタブル感熱記録を実現できるものである。例えば、低い熱エネルギーにて発色する赤色感熱記録層と，高い熱エネルギーにて発色する黒色感熱記録層を積層させることにより，その印加エネルギーを使い分けることで赤／黒の２色での記録を可能にする２色発色感熱記録材料を用いてもよい。
【００６８】
これらのロイコ系感熱発色材料や、フォトクロミック系光発色材料は、その発色機構である「紫外領域または赤外領域→可視領域への変化」を、「可視領域→紫外領域または赤外領域への変化」とすべく材料選定をすることにより、消色記録材料として用いることができる。
【００６９】
このような消色機構を用いると、正規購入者が、その「秘密情報」を確認した後、正規購入者の判断により、速やかに、もしくは、適宜なタイミングで、「秘密情報」を消色（消去）することを可能とし、その偽造防止性を高めることを可能とする。
【００７０】
また、カード基材上へ「秘密情報」を設ける位置、もしくは、配置についても、特に制限は無いが、プリペイドカード等のように、薄く強靭な素材を用いた場合には、そのカード基材を容易に湾曲させることができるため、そのカード基材の中央部分に設けることを避け、その右端、もしくは、左端、さらには、上端、もしくは、下端に設けることが望ましい。（湾曲した際に、スクラッチ隠蔽層にその変形圧力が掛からないように配慮するという意味。）もしくは、湾曲した際の比較的曲がっていない部分に、２箇所またはそれ以上の箇所に分散して設けてもよい。
【００７１】
また、磁気カード仕様や、ＩＣカード仕様上のいわゆる「禁止エリア」（磁気部エリアやＩＣ部エリアのように、印刷やエンボス加工等を禁止しているエリアのこと。所定の機能以外のものを設けることを禁止しているエリアを意味する。）を避けて設けたり、さらには、カードに加える様々な加工処理、例えば、エンボッシング処理、磁気記録処理、接触タイプのＩＣチップ加工処理、非接触タイプのＩＣチップやアンテナ類の加工処理、サインパネル加工処理やホログラム加工処理において、不具合が発生しない位置に設ける。
【００７２】
また、「秘密情報」を一つの位置に設けるのみ（一つの情報として読み取ることができるものが一か所に固まっているという意味。）ならず、カード基材上に、分散して複数の位置に設けたり、カード基材の表裏に設けることも、その秘匿性が向上し好適である。もちろん、その場合には、それぞれの位置に、それぞれのスクラッチ隠蔽層を設けることは言うまでもない。
【００７３】
上記した方法、または、方式により、その「秘密情報」をスクラッチカードのカード基材上に形成し、そして、レリーフホログラム形成層、及びスクラッチ隠蔽層を適宜な配置で、その「秘密情報」を覆うように設けた後、そのスクラッチ隠蔽層をスクラッチにより除去すると、その「秘密情報」が視認可能となるスクラッチカード（透明性を有するレリーフホログラム形成層を通して『秘密情報』を視認するという意味。）、さらには、そのその「秘密情報」を視認すると同時に、スクラッチ隠蔽層の背後にあるレリーフホログラム形成層から再生されるレリーフホログラム再生像（第二のレリーフホログラム再生像）が視認可能となるスクラッチカードを作成することにより、その「秘密情報」を第三者が目視によって判読したり、不正者が盗読することを防ぎ、且つ、正当な使用者がスクラッチ隠蔽層をスクラッチして、その「秘密情報」を判読できるスクラッチカードを構成することができる。
【００７４】
ここで、カード基材及び「秘密情報」形成部と、レリーフホログラム形成層との間に、接着層を設けて、カード基材、「秘密情報」、接着層、レリーフホログラム形成層、及びスクラッチ隠蔽層という順序として（この接着層は、レリーフホログラム形成層に対応して、レリーフホログラム形成層に直接設けてもよいし、また、カード基材の『秘密情報』形成部を覆うように、カード基材の表面に設けてもよい。さらに、レリーフホログラム形成層を覆うように且つレリーフホログラム形成層のサイズより大きいサイズ《例えば、縦×横それぞれ１．１倍〜２．０倍とする。このことにより、スクラッチ隠蔽層がレリーフホログラム形成層の断面を覆うようになり、レリーフホログラム形成層の秘匿性が向上する。》でスクラッチ隠蔽層を設ける場合には、レリーフホログラム形成層の位置を含んで、スクラッチ隠蔽層全体に対応して設けてもよい。但し、ホログラム形成層の２つの断面の断面全体、もしくは、それらの断面の一部領域《この領域にホログラムレリーフが設けられ、且つ、入射光や出射光が通過する。》が少なくとも露出するように配慮する。）、そのスクラッチ適正を確実なものとしたり、また、レリーフホログラム形成層の背後、すなわち、レリーフホログラム形成層とカード基材との間に黒色層や反射性薄膜層を設けて（もちろん、「秘密情報」形成部の視認性を阻害しないように、「秘密情報」形成部に対応する領域を除いて設けることとなる。）、「第二のレリーフホログラム再生像」を非常に鮮明なものとすることができる（但し、『第一のレリーフホログラム再生像』が、『再生される』ときに、その再生光（入射光が再生光となり、出射光となる過程における、その再生光を意味する。）がレリーフホログラム形成層と黒色層との界面で１回以上、反射することを想定する場合には、黒色層のその反射する界面領域に該当する部分も除くこととなる。）。
【００７５】
いずれも、その偽造防止性を高めたり、意匠性を高める効果があり、好適である。
【００７６】
また、スクラッチ隠蔽層とレリーフホログラム形成層との間に地紋印刷を施したり、もちろん、スクラッチ隠蔽層上に（最上層の上に）、地紋印刷を施すことも、その偽造防止性を高めたり、意匠性を高める効果があり、好適である。
【００７７】
そもそも、ホログラムとは、一方で、ホログラム再生像として再生したい「３次元物体」に対して、時間的、且つ、空間的コヒーレント性を有する光であるレーザー光を照射（照明）し、その「３次元物体」の表面で、反射し、散乱（回折）した「光」（これが「物体光」と呼ばれる。）を、所定の角度で、感光材料へ入射させ、他方で、そのレーザー光そのもの（これが、「参照光」と呼ばれる。）を、その「物体光」の入射角度とは異なる角度で、同時に、その感光材料へ入射させて、その「物体光」と、「参照光」とを干渉させ、その干渉によって生じた「干渉縞」を、その感光材料に記録したものである。
【００７８】
このホログラム形成方法は、撮影方式によるホログラム形成方法の一つであって、「二光線束干渉法」とも呼ばれる。
【００７９】
その「物体光」と、「参照光」は、互いにコヒーレントであるので、感光材料内に鮮明な干渉縞が発生し、その干渉縞が記録される。
【００８０】
まず簡単な場合として、参照光及び物体光の二つが、ある角度をなす、いずれも平行光である場合を考えると、二つの光の感光材料面までの道筋（光路）の長さの違い、したがって二つの光の位相の違いによって、感光材料面上のある位置では互いに強め合い、また別の位置では弱め合い、結果として感光材料には、参照光、物体光のなす角度によって決まる等間隔で感光材料面に垂直方向に伸びる干渉縞が記録される。
【００８１】
また、この干渉縞のコントラストは、参照光及び物体光の振幅が等しいときもっとも大きく、相違があるほど小さくなる。物体光は、「３次元物体」の立体形状に依存して変化する光であって平行光ではないので、干渉縞は乱れたものになる。
【００８２】
しかし、その乱れは、参照光に対する物体光の位相の変化が干渉縞の横ずれとして、また、振幅の変化がコントラストの変化として生じ、感光材料には、物体光の位相、振幅の情報がすべて記録される。このようにして露光された感光材料を現像処理したものがホログラムとなる。
【００８３】
このホログラムには、普通のカメラで写した写真のようには、物体の像が写っておらず、ただ一様に白濁（屈折率分布として記録されている。）しているように見えるが、光の波長に近い細かさで物体情報が完全に記録されている。
【００８４】
この感光材料として、フォトレジストを用い、フォトレジストの現像時間管理によって、フォトレジストの表面に、所望の深さの凹凸を設けたものが、レリーフホログラムであって、その凹凸が、上記と同様に、その深さや、周期において乱れたものとなっており、その乱れが、物体光の位相や、振幅の情報を含むことになる。
【００８５】
そして、その凹凸面が、ホログラムレリーフ面であって、このときの「凹凸面を有する感光材料層」が、「レリーフホログラム形成層」に該当することとなる。
【００８６】
干渉縞を記録したホログラムを、例えば、上記した参照光と同一のレーザー光で照明すると、感光材料内に記録された干渉縞が、光の進行方向を変える回折格子として作用する。
【００８７】
回折格子に光が入射すると、そのまま透過する直接透過光（ゼロ次回折光）のほかに、格子の間隔、いまの場合は、干渉縞の間隔によって決まる方向にプラス１次、及び、マイナス１次の回折光を生じる。
【００８８】
ホログラム作成時、物体光及び参照光として所定の角度をなす平行光を用いた場合には、このホログラムを照明した際のプラス及び、マイナス１次の回折光は、いずれも平行光であり、前者は元の物体光が感光材料を透過する方向に進む。
【００８９】
実際の干渉縞は物体光の位相や振幅で乱されているので、ちょうどそれに対応するようにプラス１次の回折光は乱され、元の物体光をそのまま再生することになる。ホログラムを通して観察すると、ゼロ次、または、マイナス１次の回折光にじゃまされず、元の位置に物体像が立体的に再生する。この像は直接像とよばれ、あたかも物体から光が出たように、発散する光で見えるので虚像になる。また、マイナス１次の回折光によって、ホログラムの右側に、元の物体と前後が逆になった像が再生する。これは共役像とよばれ、実際に光が集束するので実像になる。
【００９０】
直接像を、見る位置を変えて観察すると、３次元物体の前後の相対位置が変化し、立体的に再生していることを確認できる。
【００９１】
この状況は、レリーフホログラムにおいても同様であって、上記したレリーフホログラム形成層が有するホログラムレリーフ面を、所定の「参照光」で照明すると、所定の角度に直接像（ホログラム再生像）が現れる。
【００９２】
そして、このホログラムレリーフ面に、「反射層」として、「反射性薄膜層」が追従するように接して設けられた場合には、その「反射性薄膜層」の最表面（レリーフ状の凹凸面となっている。）、もしくは、「レリーフホログラム形成層」と「反射性薄膜層」との界面が、「ホログラムレリーフ面そのもの」となっており、これらの面が、「反射面」と位置付けられ、その「ホログラムレリーフ面」で「反射した光」が、所定の角度によって決まる反射方向へ、その直接像を出現させる。その共役像である実像も同様である。
【００９３】
これらの「ホログラムレリーフ面」の形状は、その深さが、０．０１μｍ程度であり、ピッチ（凹凸の周期を意味する。）が、１．０μｍ前後の凹凸が所定の領域内に隙間なく敷き詰められた形状をしており、この凹凸形状の一つ一つがいわば、１．０μｍ毎に「個々の反射（もしくは、透過）回折光」を発生し、その「個々の反射（もしくは、透過）回折光」が互いに光の干渉現象を生じて、最終的に一つの合体したレリーフホログラム再生像として、視認される。
【００９４】
従って、例えば、この１．０μｍの凹凸形状の一つを滑らかな小さな３次元曲面と捉えたとき（ホログラムレリーフの凹凸の断面形状は、しばしば、三角関数曲線のような単調増加や単調減少を繰り返す曲線に例えられる。）、その３次元曲面に、０．００１μｍオーダーの微細な凹みや突起が生じたり、その曲面そのものが０．００１μｍオーダーで変形した曲面となったりするような「凹凸形状のわずかな変形」（凹部の深さが０．００１μｍ深くなったり、浅くなったり、もしくは、その直径が０．１μｍ程度広がったりすることを意味する。このような変化は、極く微細なものと思われがちであるが、それでも「１０％の変化」という大きなものとなっている。）、すなわち、「ホログラムレリーフ面形状のわずかな変形」が発生することで、レリーフホログラム再生像の鮮明度に大きな影響を与え、その鮮明度が低下することとなる。
【００９５】
特に、このような変形がホログラム記録領域の中で偏在して発生すると、レリーフホログラム再生像そのものの変形までをも引き起こす。
【００９６】
本発明のスクラッチカードは、スクラッチカードのカード基材上に、「秘密情報」が設けられ、その「秘密情報」を覆うように、レリーフホログラム形成層、スクラッチ隠蔽層、または、そのスクラッチ隠蔽層上にさらに地紋印刷を設けたもので構成される。
【００９７】
このレリーフホログラム形成層を構成するための透明樹脂層として、各種の熱可塑性樹脂、熱硬化性樹脂、もしくは電離放射線硬化性樹脂を用いることができる。（電離放射線とは、電子線及び紫外線を意味する。）
レリーフホログラム形成層は、「秘密情報」表示部を溶解したり、変質させたりしない溶剤を用いて、オフセット印刷方式、グラビア印刷方式、スクリーン印刷方式、凹版印刷方式、インクジェット印刷方式等の印刷方式や、スピンコーティング方式、カーテンコート方式、フォトレジスト処理方式等の形成手段を用いて、乾燥後の厚さとして、１０μｍ〜１０００μｍ、好適には、１００μｍ〜５００μｍの厚さで形成する。
【００９８】
この厚さが、１０μｍ未満であると断面レリーフホログラムの形成が困難となり、１０００μｍを超える厚さでは、スクラッチカードのカード基材上のスクラッチ隠蔽部分（「秘密情報」を隠蔽するための、レリーフホログラム形成層やスクラッチ隠蔽層等の積層部分をいう。）の総厚さが大きくなりすぎ、カード基材への積層に支障をきたす。
【００９９】
そして、このレリーフホログラム形成層の露出している面（レリーフホログラム形成層のスクラッチ隠蔽層と接する面を意味する。もちろん、レリーフホログラム形成層のカード基材と接する面に設けても良い。）に、予め準備した回折格子や干渉縞が凹凸の形で記録された「第二の原版」（所定の第二のホログラムレリーフ面を有する原版という意味。『第一の原版』は、所定の第一のホログラムレリーフ面を有する原版となる。）を、複製方式のプレス型（スタンパともいう。）として押し当て、加熱ロールなどの適宜な手段により、両者を加熱して圧着することにより、第二の原版の凹凸模様をレリーフホログラム形成層に複製することができる。この際、形成する第二のレリーフホログラムパターンは単独のパターンでも、複数のパターンの集合体でもよい。
【０１００】
または、その第二の原版の凹凸面と、「『秘密情報』を設けたカード基材」との間に、電離放射線硬化性樹脂を充填し、電離放射線にて、その樹脂を硬化させた後、その原版を剥離することで、カード基材上の所定の位置に、より精密な第二のホログラムレリーフ面を有するレリーフホログラム形成層を形成することもできる。
【０１０１】
もちろん、第二の原版の凹凸面の上に、予め、レリーフホログラム形成層を設けておき、その露出している面を、カード基材上の所定の位置に押し当てて、レリーフホログラム形成層を第二の原版から剥離すると同時に、カード基材上の所定の位置に接着させる方法（いわば、転写方法。）も、その簡易性より、好適である。
【０１０２】
これらの第二のホログラムレリーフ面は、スクラッチ隠蔽層のスクラッチオフによって露出し、空気（屈折率ｎ＝１．０）との界面となって、この界面からの反射光により、もしくは、この界面で透過しつつ回折され、カード基材面で反射して、戻る透過光により、レリーフホログラム形成層の第二のレリーフホログラム再生像を出現させるものである。
【０１０３】
もしくは、第二のホログラムレリーフ面は、「『秘密情報』を設けたカード基材」と「レリーフホログラム形成層」との界面となっており、この界面からの反射光によりレリーフホログラム形成層の第二のレリーフホログラム再生像を出現させる。
【０１０４】
これらの反射光の強度を十分なものとするには、これらの界面における屈折率差が大きければ大きいほど望ましく、このため、レリーフホログラム形成層を、「高屈折率透明樹脂層」とすることが好ましい。
【０１０５】
ここで、「高屈折率透明樹脂層」とは、「高い屈折率を持つ透明な樹脂層」であって、屈折率ｎが１．７を超える透明な樹脂層をいう。特に、第二のホログラムレリーフ面が、レリーフホログラム形成層の下側、すなわち、スクラッチ隠蔽層と接している面とは反対の面（レリーフホログラム形成層とカード基材との界面を意味する。）にある場合には、この透明性が、直接、第二のレリーフホログラム再生像の鮮明度に影響を及ぼす。
【０１０６】
レリーフホログラム形成層を、「高屈折率透明樹脂層」、すなわち、「透明性」を確保しながら屈折率ｎが１．７〜２．３という高屈折率を示す、透明な樹脂層により構成することで、この界面における屈折率差を、０．７〜１．３、特に１．０〜１．３とすることができ、上記した反射光の強度を非常に大きなものとして、より鮮明な第二のレリーフホログラム再生像を出現させることを可能とする。
【０１０７】
「樹脂材料の光学的透明性を維持した上での高屈折化」については、鋭意、研究が進められているが、ホログラム再生像の観察に悪影響を及ぼさず（「光学的に透明」であることを意味する。）、レリーフホログラム形成層を通して、その配下にある「秘密情報」を十分、且つ、確実に視認できる「透明性」を保持しつつ、「《樹脂層》としての屈折率」を高くすることには限界があり、比較的屈折率の高い樹脂の高分子構造の中に、原子屈折率の高い「硫黄原子」や、塩素原子やフッ素原子等の「ハロゲン成分」、さらには、高屈折率構造を持つ「芳香環基」を分子レベルで導入する方法や、ＴｉＯｘやＺｒＯｘ等の高屈折率金属酸化物の超微粒子（平均粒径：０．０００３μｍ〜０．０３μｍ）を樹脂材料に高度に分散させる方法、さらには、高分子材料の分子構造の中に、所定の金属塩を取り込ませる方法等によって、屈折率ｎ＝１．９を超える材料を見出したものの、それでも、金属化合物微粒子（または薄膜。）の例であるＺｎＳの屈折率ｎ＝２．３を超えるような「透明な」樹脂はまだ発見されていない。
【０１０８】
また、上記の「第二の原版」によって、「『秘密情報』を設けたカード基材」上の露出面に第二のホログラムレリーフの複製を行い、その「カード基材」上のホログラムレリーフ面を埋めるようにしてレリーフホログラム形成層を設けることで、レリーフホログラム形成層にホログラムレリーフを設けることも出来る。
【０１０９】
または、その「カード基材」上の第二のホログラムレリーフ面と、表面を鏡面仕上げした（『光学的な鏡面』となっている。）適宜な透明フィルムとの間に、電離放射線硬化性樹脂を充填し、電離放射線にて、その樹脂を硬化させた後、そのフィルムを剥離することで、カード基材上の所定の位置に、より精密な第二のホログラムレリーフ界面を有し、且つ、その露出面が「光学的な鏡面」となっている、レリーフホログラム形成層を形成することができる。
【０１１０】
この第二のホログラムレリーフ面は、レリーフホログラム形成層の上面から入射する光が、カード基材の第二のホログラムレリーフ面で反射し、その第二のホログラムレリーフの位相差を含んで戻ってくることで、第二のレリーフホログラム再生像を出現させるものである。
【０１１１】
本発明の「レリーフホログラム形成層」は、その「層」を一つの「直方体」に見立てて、その上面及び下面の形状を、所定の「縦」と、所定の「横」を有する「長方形」とし、その上面と下面の「距離」を、所定の「厚さ」と定義して、「所定の縦」×「所定の横」×「所定の厚さ」で一義的に定まる「直方体」としたときに、本発明の「レリーフホログラム形成層」は、「所定の縦」や「所定の横」に対して、「所定の厚さ」が、その１／１０以下、特には、１／１００以下となる、いわゆる、「薄手のシート状」の形状をしている。
【０１１２】
そして、その直方体の４つの側面は、すなわち、４つの「レリーフホログラム形成層の『断面』」は、「『所定の縦』×『所定の厚さ』」や「『所定の横』×『所定の厚さ』」で定まる、いわゆる、「細長い長方形」の形状となる。
【０１１３】
この「『所定の縦』及び『所定の横』」でその形状が定まる、「レリーフホログラム形成層の『上面』、または、『下面』」を通して、「レリーフホログラム」を記録した場合には、その「レリーフホログラム」は、上述したように、「第二のレリーフホログラム」であって、その「レリーフホログラム再生像」は、「第二のレリーフホログラム再生像」となる。
【０１１４】
また、この「『所定の縦』×『所定の厚さ』」や「『所定の横』×『所定の厚さ』」で定まる、「レリーフホログラム形成層の『断面』」のいずれかに、「レリーフホログラム」を記録した場合には、その「レリーフホログラム」は、「第一のレリーフホログラム」であって、その「レリーフホログラム再生像」は、「第一のレリーフホログラム再生像」となる。
【０１１５】
このことから、「第一のレリーフホログラム」及び「第一のレリーフホログラム再生像」は、それぞれ「断面レリーフホログラム」及び「断面レリーフホログラム再生像」とも称するる。
【０１１６】
まず、「第二のレリーフホログラム」、及び、「第二のレリーフホログラム再生像」につき、以下に、詳述する。
【０１１７】
ホログラム画像として画像化される「物体」（一般的には、３次元物体、もしくは２次元物体が用いられる。もしくは、「物体光」を与え得るものであれば、「光学系」であっても、別途作成したホログラムからの「ホログラム再生像」であってもよい。）は、レーザー等が発振するコヒーレントな光によって照明され、そして感光性の記録用媒体が、この「物体」から反射（発散）された光を受けるように配置される。「物体」上の各点は記録媒体の全体に対して光を反射し、また記録用媒体上の各点は「物体」全体からの光を受け入れる。この反射（発散）された光束は「物体光」といわれている。
【０１１８】
同時に、コヒーレントな光の一部は「物体」をバイパスし（「物体」を避けて通るという意味。）、反射鏡等により、記録用媒体に向けられる。この光束は「参照光」といわれている。
【０１１９】
記録用媒体上に記録されるものは、媒体上に当たった「参照光」と「物体光」との相互作用で生ずる「干渉パターン」であり、この記録が、ホログラムとなる。
【０１２０】
この記録用媒体、すなわち、記録されたホログラムが、照明され、適切に観察されるとき、照明光源からの光（これが、『照明光』となる。）は、「物体」から記録用媒体にもともと到達した波面を再生するように、そのホログラムにより回折され（透過、または、反射され）、それにより、ホログラムは、透過側、または、反射側からの観察者に対して、「物体」の虚像を、記録媒体という「窓」を通して、完全な遠近差をもつ３次元の「物体」を見たように、認識させる。
【０１２１】
次に、「第一のレリーフホログラム」、及び、「第一のレリーフホログラム再生像」、すなわち、「断面レリーフホログラム」、及び、「断面レリーフホログラム再生像」につき、以下に、詳述する。
【０１２２】
この「第一のレリーフホログラム」、すなわち、「断面レリーフホログラム」は、上記したように、４つの「レリーフホログラム形成層の『露出している断面』（以下、単に、『断面』とも称す。）」の、少なくとも一つの「断面」に、特には、対向する二つの「断面」の両方に、それぞれの「断面レリーフホログラム」に対応する「断面ホログラムレリーフ」が設けられている。
【０１２３】
すなわち、それらの「断面ホログラムレリーフ」を、所定の「照明光（参照光ともいう。）」で、「照明」すると、個々の「断面ホログラムレリーフ」に対応する「断面レリーフホログラム再生像」が出現する。
【０１２４】
これに対して、一般的な、「広い平面」に設ける「ホログラムレリーフ」を、「平面ホログラムレリーフ」と称し、それぞれ、「平面レリーフホログラム」や、「平面レリーフホログラム再生像」とも称す。「第二のレリーフホログラム」、及び、「第二のレリーフホログラム再生像」がこれに該当する。
【０１２５】
この「第一のレリーフホログラム」、すなわち、「断面レリーフホログラム」は、「『所定の縦』×『所定の厚さ』」や「『所定の横』×『所定の厚さ』」で定まる、いわゆる、「細長い長方形」の形状を持ち、その「細長い長方形」の中に、「微細な凹凸形状」、すなわち、「周期が０．０１〜数μｍで、深さが、０．０１〜０．５μｍの『レリーフ形状』」を持つ「ホログラム」である。
【０１２６】
この「細長い長方形」は、例えば、「縦＝数百μｍ」×「横＝数十ｍｍ」である、非常に細長い形状を成すため、目視では、その横幅は十分認識できたとしても、その縦幅は、視認し難いものとなっている。
【０１２７】
しかしながら、この視認し難い「縦＝数百μｍ」の中に、上記した微細な凹凸形状を、数百個〜千個程度含んでいる（あくまで、『縦』方向に関する。）ことから、それらの微細な凹凸形状の「光の干渉現象」により、いわゆる「ホログラム再生像」を、再生することを可能としている。
【０１２８】
すなわち、その「ホログラム再生像」の「縦方向の解像度」についても、十分な「再生」が可能である。（ここで、『ホログラム再生像』の『横方向の解像度』は、全く問題ないため、言及していない。）
但し、以下の２点の課題がある。
【０１２９】
その１点目は、「微細な凹凸形状」が、「ホログラム再生像」の「縦方向の解像度」として、「数百個〜千個程度」しか存在しないことである。
【０１３０】
「縦方向の解像度」として、「微細な凹凸形状」が「数百個〜千個程度」しか存在しない状態では、比較的視認し易い「平面パターン」や「平面画像」を再生し、「平面パターン」や「平面画像」の「像」として認識することは可能であるものの、「３次元の物体像」を再生し、そして、再生した「３次元の物体像」を、「立体感」を備えて認識することは、いずれも困難であり、「真正性判定」には不十分なものとなる。
【０１３１】
その２点目は、その「細長い長方形」が、「ホログラム再生像」を視認するための、いわば、「窓」となることである。（その『窓』を通して、その向こうに、『像』が見えるという意味。）
そのような、非常に細長い「窓」、例えば、「高さ数百μｍ×幅数十ｍｍ」の「窓」を通して、「平面パターン」や「平面画像」の「像」、さらには、「３次元の物体像」を見ることとなるため、その「窓」そのものが「開いた窓」か否かさえ、その判別が難しいことに加え、そのような「開いている窓」と明言できない「窓」の奥にある、「平面パターン」や「平面画像」、さらには、「３次元の物体」を「認識」することはさらに困難なものとなる。
【０１３２】
以上の課題より、この「第一のレリーフホログラム」、すなわち、「断面レリーフホログラム」は、比較的横長のサイズの「平面パターン」や「平面画像」を、その「原稿」とする「ホログラム」を、通常の「撮影」方法（『二光線束干渉法』による『撮影方法』。もしくは、『露光方法』。）で記録し、再生することは可能であるが、例え、横長のサイズの「３次元の物体」であっても、その厚さ方向にも情報を持つ「３次元の物体」を、その「原稿」として撮影した「ホログラム」を、通常の方法で再生したときに、その再生像である、「『物体』の全体像」を確実に把握する（全体像を隅々まで認識するという意味。）ことは困難である。
【０１３３】
従って、「ホログラム」の中で、最も単純な凹凸形状をもつもの、すなわち、単純１次元回折格子（同一形状の凹凸が一定の方向に整然と並んでいるもの、すなわち、『一つの方向に延びる同一形状の溝』が、その『溝』に直交する方向に、一定周期で、並んでいるもの。）や、単純２次元回折格子を、「断面レリーフホログラム」とし、その「断面レリーフホログラム」を照明する「照明光」を、「一定の方向に曲げる」光学的効果のみをもつものとする。
【０１３４】
すなわち、その「照明光」を、「一本のレーザービーム光（スポット形状が円形や、楕円形で、スポット径が、０．５ｍｍ〜５ｍｍのレーザー光。）」とすると、そのような「断面ホログラム」は、その「断面」に、垂直に入射する「一本のレーザービーム光」を、「所定の角度で曲げ」たり、「一本のレーザービーム光」を、「異なる方向に進む、二本以上のレーザービーム光」に分割」する。
【０１３５】
そして、真正性判定者は、その「一本のビーム光」が、「所定の方向に向かう一本のビーム光」となったり、「所定の方向に向かう複数のビーム光」となることを確認して、その「真正性」を判断することとなる。
【０１３６】
もちろん、適宜なスクリーン上に、この「ビーム光」（さらには、『光の像』。）をあてて（『投影して』という意味。）、その「光の輝点」（さらには、『光の平面像』。）を視認し、判定することも好適である。
【０１３７】
さらに、このような「回折格子」を、組み合わせた「複合回折格子」とすると、そのような「ビーム光」を曲げたり、分割したりする、単純な「光学的効果」のみならず、広がりを持った「光」である、「平行光」や、「球面光（いわゆる、『球面波』のごとく、一点から広がる『光』を意味する。）」を、「曲げ」たり、「分割」したりできるとともに、その「平行光」や、「球面光」を、「所定の形の『光』の像」へと「変換」することを可能とする。
【０１３８】
そのような「複合回折格子」とは、その「断面」を、その格子周期、格子方向、格子深さ、さらには、格子形状（凹凸形状のことを意味する。）などが異なる、複数の種類の「回折格子」で分割形成したものであって、この「複合回折格子」を、一定の「升目」に分割し、各々の「升目」に対して、「再生されるべき光の像（フルカラー立体像を含む。）」から、逆算して、それぞれ、「格子周期、格子方向、格子深さ」を決定して、割り当てると、いわゆる、「ＣＧＨ（コンピュータジェネレーティッドホログラム）」となる。（以下、これらの『回折格子』を総称して、『複合回折格子』とも称する。）
そして、このような「ＣＧＨ」は、電子線描画装置を用いて、その微細な凹凸形状を形成するため、上記した「縦方向の解像度として、微細な凹凸形状が数百個〜千個程度しか存在しない状態」においても、個々の「凹凸形状」を「撮影方法」よりも、微細、且つ、精密に形成でき、その「再生像」の「鮮明度」を向上させることを可能とする。
【０１３９】
この「ＣＧＨ」の手法を用いると、「使用する照明光」と、「所望する再生像」を定めることで、その「複合回折格子」を構成する「全ての回折格子」の「個々の凹凸形状」が、全て定まることとなる。
【０１４０】
従って、この手法を応用して、「使用する照明光」を、その「断面」に、垂直、もしくは、所定の角度で斜めに入射する「平行光」と定め、「所望する再生像」を、「縦方向において、複数の角度、すなわち、５つの方向〜１０の方向に向かう、細長い横長の再生像の組み合わせ」とし、個々の再生像の間隔を、０．５〜５ｍｍずつ開けることで、「全体の再生像」が、縦方向に「２．５〜５０ｍｍ」の広がりを持つ再生像とする（回折格子の一方向に向かう、一つの再生像が『横長の像』となるため、この『横長の像』を、縦方向に多段に積み上げて、縦及び横に広がる像とするという意味。すなわち、５重〜１０重の多重記録をするか、もしくは、『断面』を５〜１０種類の回折格子で分割記録することとなる。）。
【０１４１】
このとき、それぞれの「細長い再生像」を、ビーム光のスポット（『光のドット』となる。）の、「飛び飛びのつながり」や、「連続するつながり」で表し、「縦及び横に広がる全体像」を、「光のドット」の集合体として表すことも、その簡便性から好適である。
【０１４２】
または、「所望する再生像」を、その「断面」を視認する位置、すなわち、「断面」から、１０〜３０ｃｍの距離だけ、離れた位置において、ある程度の縦方向の「広がり」を持つ、「３次元の物体の虚像」としての「再生像」と定めて、その複合回折格子を設定することも可能である。
【０１４３】
さらには、そのような「細長い再生像」を、５倍から１００倍の拡大鏡、すなわち、シリンドリカルレンズ、凸レンズや、凸面鏡を使用して、拡大観察することもできる。
【０１４４】
例えば、「長方形を成す『底面』のサイズが、縦３０ｍｍ以上×横３０ｍｍ以上の大きさを有し、焦点距離５００ｍｍのシリンドリカルレンズ」とし、「縦１００μｍ×横３０ｍｍの長方形」の形状を、縦０．１ｍｍ×横３０ｍｍのサイズまで、拡大する。
【０１４５】
そのような「シリンドリカルレンズ」は、「円柱」や「楕円柱」を、その「円の直径」や「楕円の長軸」に沿って２分する平面（もしくは、その平面に平行な平面。）で、分割した「立体形状」を成すものであり、その「底面」のサイズとして、縦１０〜３００ｍｍ×横１０〜１００ｍｍの大きさを有することとなる。
【０１４６】
また「シリンドリカルレンズ」の「焦点距離」（『焦点距離』は、上記した『円』の半径や『楕円』の軸の長さと、構成する材料の屈折率によって定まる。また、その『円』の曲率半径で直接的にその『形状』を定義できるが、ここでは、『焦点距離』をもって定義する。）として、５０〜１０００ｍｍのものを用いる。
【０１４７】
さらには、「断面レリーフホログラム再生像」を共役像である「実像」とし、その「実像」を凸レンズ等を用いて、拡大して、その拡大像を視認したり、適宜なスクリーン上にその「実像」や、その「拡大像の実像」を結像させて観察することも好適である。
【０１４８】
以上の「複合回折格子」を、４つの「レリーフホログラム形成層の『露出している断面』」の、少なくとも一つの「所定の断面」に設ける。
【０１４９】
さらには、対向する二つの「断面」に対して、それぞれ異なる「断面レリーフホログラム」を設け、その「二つのホログラム」を通過した「照明光」が、「新たな、一つのホログラム再生像」を再生する、いわゆる、「連想ホログラム」のような構成とすることも好適である。
【０１５０】
もちろん、カード表面に対して、斜めに入射する「ビーム光や、平行光」を、カード表面に平行に進む「ビーム光や、平行光」（レリーフホログラム形成層内を、カード表面に平行に進むという意味。）に替えたり、カード表面に平行に進む「ビーム光や、平行光」（同上。）を、カード表面に対して、斜めに出射する「ビーム光や、平行光」に替える、「回折格子」をその「複合回折格子」に含めることも好適である。
【０１５１】
そして、このような「断面レリーフホログラム」に対応する「断面ホログラムレリーフ」を、４つの「レリーフホログラム形成層の『露出している断面』」の、少なくとも一つの「断面」に設ける方法としては、あらかじめ、「第一のホログラムレリーフ」を有する「第一の原版」を、予め準備しておき、この「第一の原版」を「複製原版」として、その「第一のホログラムレリーフ」面を、その「断面」に押し付け、「複製原版」側から、加熱、及び、加圧して、その「複製原版」の「第一のホログラムレリーフ」面の凹凸形状を、その「断面」に複製する方法（転写するという意味。）を用いる。
【０１５２】
もしくは、「レリーフホログラム形成層」の外形、すなわち、非常に薄く平べったい「直方体」の「形」をした「空洞」であって、その一方の側面（一つの『断面』に相当する。）に、その「複製原版」の「第一のホログラムレリーフ」面を組み込んだものに、「電離放射線硬化タイプ」や、「２液硬化型タイプ」の「透明な樹脂等」を充填して、それぞれの硬化手段により、その「透明な樹脂等」を硬化させ、その「空洞」から取り出す方法を用いる。
【０１５３】
何れの場合においても、複数の「レリーフホログラム形成層」（１０層〜１００層。）を、その「層」間に適宜な剥離処理を施して、もしくは、適宜な剥離層や剥離シート（『厚さ』が、５〜１００μｍである。）を、複数の「レリーフホログラム形成層」の間に挟んで、「高さ（『厚み』を意味する。縦、横に加えて、高さも、同様に、大きくなるという意味。）」のある「直方体」の「形」ととした、「多層のレリーフホログラム形成層」（一体としたもの。その『断面』形状が、『縦＝数ｍｍ〜数十ｍｍ』×『横＝数十ｍｍ』となっている。）に対して、同様の手法を用い、一度に、複数の所望の「レリーフホログラム形成層」を得ても良い。
【０１５４】
もちろん、この「比較的広くなった断面（複数の『断面』の集合体。）」に、直接、「所定の感光材料」を塗布し、露光方法や、直接描画方法を用いて、その感光材料の表面に、直接、所望の凹凸形状を設ける手法も排除するものでない。
【０１５５】
さらには、この「断面」の凹凸形状に、接して、追従するように「反射性薄膜層」を設けることも排除しない。
【０１５６】
この「反射性薄膜層」は、１０ｎｍ〜１０００ｎｍの厚さの「金属薄膜」等の「全反射性薄膜層」や、１００ｎｍ〜５００ｎｍの厚さの「金属化合物薄膜」等の「透明反射性薄膜層」を用い得る。
【０１５７】
以下の説明においては、「レリーフホログラム形成層」の少なくとも一つの「断面」に、以上の方法を用いて、上記した「第一のレリーフホログラム」、すなわち、「断面レリーフホログラム」の、上記した「ホログラムレリーフ」が設けられているものとする。
【０１５８】
本発明においては、このようにして「第一のレリーフホログラム」を記録した「レリーフホログラム形成層」の一方の露出している「断面」（上記の説明における『一方の』の『断面』に相当する。）に、「所定の入射光」として、所定の波長のレーザービーム光や、所定の波長の平行光、さらには、可視光光源（広範囲な波長域を持つ。）からの光を入射させ、その「断面」に設けた、及び／または、その「断面」に対向する「断面」（上記の説明における『他方』の『断面』に相当する。）に設けた、「第一のホログラムレリーフ」によって回折させ、「その『所定の入射光』に基づく『第一のレリーフホログラム再生像』」を再生させて（『レリーフホログラム形成層』の中を通過している。）、その「第一のレリーフホログラム再生像」の「情報」を担持した「光」（これが、出射光となる。）を、対向する「他方の露出している断面」（上記の説明における『他方』の『断面』に相当する。）から、「出射光」として出射させる。
【０１５９】
観察者は、本発明のスクラッチカードのスクラッチ隠蔽層をスクラッチしなくとも、この「他方の露出している断面」から出射された「出射光」から、その「第一のレリーフホログラム再生像」を視認することができ、その真正性を判定することができる。（もちろん、スクラッチオフした後も、同様の『真正性判定』は可能である。）
上記した、「出射光」の出射する角度は、カード基材の表面と並行な方向を「角度０度」とし、カード基材の表面に垂直な方向を「角度９０度」としたとき、比較的小さくすることが望ましく（カード表面の方向として、『出射光』を見つけ易い。）、「角度０度〜３０度」、好適には、「角度５度〜１０度」とする（光の進行方向の『上』に曲がるという意味。）。
【０１６０】
この「上」に曲がる角度が、３０度を超えると、第一のレリーフホログラム再生像の回折効率が低下し易く、また、カード基材から数十ｃｍ離れた位置において、再生像を視認し、判定する場合に、その「出射光」の位置を見つけ難くなる。
【０１６１】
ここで、カード基材の表面に平行な面内における、曲がる角度は（光の進行方向の『右』や、『左』に曲がるという意味。）、０度〜５０度の範囲内において、任意に設定可能である。
【０１６２】
また、その「物体」が「平面画像」（透過原稿など。）を平行光で透過させた「もの」である場合には、その「物体」の位置に、適宜な「スクリーン」を配置して、その「スクリーン」上に再生された「平面画像」を読取る、観察方法も好適である。
【０１６３】
特に、ＰＯＳ（『Ｐｏｉｎｔ  ｏｆ  Ｓａｌｅ』）端末リーダーに通常使用される光源装置（可視光半導体レーザー。光源波長６５０ｎｍ±１０ｎｍ。『ビーム径』数ｍｍφ。）を、その「照明光」として使用する場合には、入射する「断面」上を、走査速度５０〜１００スキャン／秒でラスタースキャンさせることにより（主として、左右にスキャンすることとなる。）、「断面」上のそれぞれの位置に入射する「光（ビーム光）」による、それぞれの第一のレリーフホログラム再生像（再生すべき領域の一部を部分的に照明することによる、部分的な再生となる。但し、『ホログラム記録再生原理』の特徴である『冗長性』により、それぞれの照明においても再生像全体のかなりの範囲がそれぞれ再生される。）が、その走査速度に応じて再生し、残像効果をもって、「全体の再生像」として観察者に視認されることとなるため、好適である。
【０１６４】
さらに、「レリーフホログラム形成層」の「第一のホログラムレリーフ」を設けていない「断面」は、その形成過程から、比較的粗い「粗面」となり易く、以下に詳述する「光学的な鏡面」とは異なり、不規則な三次元曲面状となっているため、この「断面」を「所定の入射光」や、「所定の出射光」が通過したとした場合、その「所定の入射光」や、「所定の出射光」の進行方向が不揃いとなるものの、記録した「レリーフホログラム」の性質である「方向選択性」（記録時に定まる方向に進む光のみ、その強度が大きくなる性質。）により、鮮明なホログラム再生像を得ることができるものである。
【０１６５】
もちろん、この「断面」をも、「光学的な鏡面」とすることが、好ましいことは言うまでもない。
【０１６６】
本発明のスクラッチカードに用いられるレリーフホログラム形成層には、「第一のレリーフホログラム」、または、「第二のレリーフホログラム」として、「反射型ホログラム」、または、「透過型ホログラム」のいずれをも記録することができる。
【０１６７】
「第二のレリーフホログラム」として、「反射型ホログラム」を記録した場合には、本発明のスクラッチカードのスクラッチ隠蔽層をスクラッチオフした際、レリーフホログラム形成層にて反射されて観察側に戻ってくる「レリーフホログラム再生像」を視認することができる。
【０１６８】
また、「第二のレリーフホログラム」として、「透過型ホログラム」を記録した場合には、レリーフホログラム形成層を透過した光が、レリーフホログラム形成層の背後にある、カード基材との界面にて正反射して、もしくは、黒色層との界面にて吸収されなかった光が正反射して、さらには、反射性薄膜層で正反射して、観察側に戻ってくる「レリーフホログラム再生像」を視認することとなる。
【０１６９】
そして、「第一のレリーフホログラム」として、「透過型ホログラム」を記録した場合には、本発明のスクラッチカードの「レリーフホログラム形成層」の「一方の断面」に対して、所定の入射光を照射すると、その「裏面（反対面）」にあたる「他方の断面」から「第一のレリーフホログラム再生像」が出射されることとなる。
【０１７０】
もしくは、「一方の断面」に入射した「所定の入射光」が、鏡面且つ反射面とした「他方の断面」で、正反射（鏡面反射することを意味する。）されて、再び「一方の断面」より、出射する。
【０１７１】
また、「第一のレリーフホログラム」として、「反射型ホログラム」を記録した場合には、本発明のスクラッチカードの「レリーフホログラム形成層」の「一方の断面」に対して、所定の入射光を照射すると、その「一方の断面」上で反射され（回折しつつ反射することを意味する。）、「第一のレリーフホログラム再生像」が出射されることとなるか、その「裏面（反対面）」にあたる「他方の断面」上で反射され（同上。）、もしくは、正反射され（同上。）、「一方の断面」に戻って、「一方の断面」から「第一のレリーフホログラム再生像」が出射されることとなる。
【０１７２】
このとき、「一方の断面」、もしくは、「他方の断面」、または、その「両方の断面」に、「第一のレリーフホログラム」の「ホログラムレリーフ」を設けるが、その通過、または、反射する過程における「回折」（複数の回折を含む。）や「屈折（反射を含む。）」現象を詳細に設計して、それらの回折効率や、材料の屈折率、さらには、構成を決定する。
【０１７３】
そして、それらの「直接的なホログラム記録」または「複製によるホログラム記録」を、カード基材上に設けてある状態の「レリーフホログラム形成層」に施すこともでき、この方法は、多様なホログラムデザインを用いたり、個々のスクラッチカードに個別のホログラム記録を施す場合に好適である。
【０１７４】
この記録の際には、レリーフホログラム形成層と、カード基材、さらには、黒色層や反射性薄膜層との界面の状態、すなわち、これらの界面から反射する光の状態が、そのホログラム記録や複製の、精度や品質（すなわち、レリーフホログラム再生像の鮮明度。）に大きな影響を及ぼし、また、ホログラム再生像を観察し、その真正性を判定する際には、観察（判定）するための照明光が、スクラッチ隠蔽層をスクラッチオフして露出したレリーフホログラム形成層の露出面（スクラッチ隠蔽層とレリーフホログラム形成層との界面）を通過するため、この界面の状態、すなわち、この界面を通過する光の状態が、そのレリーフホログラム再生像の鮮明度に大きな影響を及ぼす。
【０１７５】
この中でも、スクラッチ隠蔽層とレリーフホログラム形成層の界面が「光学的な鏡面」であることは非常に重要であって、特に、スクラッチ隠蔽層をスクラッチオフした後のレリーフホログラム形成層の露出面の「光学的な鏡面」性の維持は必須要件となる。
【０１７６】
但し、レリーフホログラム再生像に「ぼかし効果」等の特殊効果を付与する場合には、敢えて、それらの層の界面（スクラッチ隠蔽層とレリーフホログラム形成層、レリーフホログラム形成層とカード基材、さらには、レリーフホログラム形成層と黒色層や反射性薄膜層との界面）を０．１〜５．０μｍ程度の「粗面」とすることも好適である。この「粗面」化処理は、例えば、カード基材表面、さらには、レリーフホログラム形成層の表面に対して施す場合には、例えば、２枚の「表面鏡面仕上げのステンレス板」に、カード基材そのもの、もしくは、カード基材上にレリーフホログラム形成層を設けたもの等を挟み込んで、適宜な加熱、及び適宜な加圧処理を施す際に、その「表面鏡面仕上げ」を「上記の粗面仕上げを部分的に施し、それ以外の領域た表面鏡面仕上げ、もしくは、全面に粗面仕上げ」としたステンレス板に挟みこむことで、施すことができる。
【０１７７】
また、「レリーフホログラム形成層」の断面を「光学的な鏡面」とするために、炭酸ガスレーザーや、ＹＡＧ個体レーザー等の高出力のレーザー切断装置を用いて切断する「レーザー切断法」や、非常に鋭利な断裁刃を用いて物理的に切断するなどして、「レリーフホログラム形成層」を所定のサイズに切断し、少なくとも１つ以上の切断面を「光学的な鏡面」とした後、カード基材上にラミネートしたり、転写形成したりして設けることが好ましい。
【０１７８】
レリーフホログラムは、物体光と参照光との光の干渉による干渉縞を上記したような、いわゆる、レリーフホログラムの原理でホログラムを記録したものであり、例えば、フレネルホログラムなどのレーザー再生ホログラム、イメージホログラム及び白色光再生ホログラム、さらに、それらの原理を利用したカラーホログラム、ホログラフィックステレオグラム、コンピュータジェネレーティッドホログラム（ＣＧＨ）、ホログラフィック回折格子などとすることができる。また、マシンリーダブルホログラムのように、その再生光を受光部でデータに変換し所定の情報として伝達したり、真偽判定を行うものであってもよい。
【０１７９】
また、ＣＧＨ手法を用いて、「レリーフホログラム形成層」の「上面」（もしくは、『下面』）への直接描画により、「第二のレリーフホログラム」を記録したり、「レリーフホログラム形成層」の「断面」への直接描画により、「第一のレリーフホログラム」を記録したり、することは、その記録の可変性や、記録精度の高さから、さらに好ましい。
【０１８０】
ここで、本発明のスクラッチカードのスクラッチ隠蔽層をスクラッチオフして、露出したレリーフホログラム形成層を観察する者に、このレリーフホログラム形成層の全面に、「単なる一つの第二のレリーフホログラム」が設けられていると思わせることを目的として、自然光下では視認できない「もう一つの、透過型の第二のホログラム」を記録しておき、それらの観察者が自然光下で目視にて鑑賞可能な「反射型の第二のホログラム」を、少なくとも１種類は、上下面の何れかの面に多重記録、もしくは、上下面に別々に記録しておくことも好適である（『隠しホログラム』である透過型ホログラムの記録に重ねて、目に付き易い、反射型ホログラムを記録するという意味。）。
【０１８１】
この際、透過型ホログラムの再生効率（ホログラムとして、回折格子を記録した際の回折効率に相当する。）を反射型ホログラムの再生効率よりも小さくすることが、その透過型ホログラムの隠し効果を高める上で、好適である。
【０１８２】
「第一のレリーフホログラム」や「第二のレリーフホログラム」を撮影する場合や、再生する場合の光源としては、可視光波長領域にあるコヒーレントな光を発振（発光）するものであれば、いずれも用いることができるが、例えば、ガスレーザーとして、ＨｅＮｅレーザーＬＧシリーズ（発振（発光）波長は、５９４ｎｍ、６３３ｎｍ、０．５ｍＷ〜３０ｍＷ）、ＨｅＮｅレーザーＬＨシリーズ（同、５９４ｎｍ、６０４ｎｍ、６１２ｎｍ、６３３ｎｍ、０．３ｍＷ〜４．０ｍＷ）、アルゴンレーザー（同、４８８ｎｍ、４０ｍＷ）、ＨｅＣｄレーザーＩＫシリーズ（同、４４２ｎｍ、２０ｍＷ〜２００ｍＷ）、窒素／色素レーザーＧＬ−３０１、窒素／色素レーザーＧＬ−３０２（同、３６０ｎｍ〜９９０ｎｍから選択可能。）等、固体レーザーとして、ルビーレーザー（同、６９４ｎｍ、パルスレーザー）、小型ＣＷレーザー（Ｎｄ：ＹＡＧ、Ｎｄ：ＹＬＦ、Ｎｄ：ＹＶＯ4レーザー）Ｄｉｒｅｃｔ（同、４０５ｎｍ、４４５ｎｍ、４４７ｎｍ、４８８ｎｍ、６３８ｎｍ、６４３ｎｍ、６５５ｎｍ、６９０ｎｍ）、小型ＣＷレーザー（同）Ｃｒｙｓｔａｌ（同、４７３ｎｍ、５９３ｎｍ、６５７ｎｍ、６６０ｎｍ、６７１ｎｍ）、波長変換レーザーＯｐｔｉシリーズ（同、４８８ｎｍ、５８９ｎｍ）、ＴＯＬ９０色素レーザー（同、４２０ｎｍ〜９００ｎｍから選択可能。）等、半導体レーザーとして、ＳＷＬ−７５１３Ｈ（同、６３３ｎｍ、６６０ｎｍ、８ｍＷ〜２０ｍＷ）、ＦＫ  ＬＡ−１００（同、４５７ｎｍ、１Ｗ）、ＬＤＭ（同、４０５ｎｍ、４４０ｎｍ、４７３ｎｍ、６３５ｎｍ、６６５ｎｍ、６９０ｎｍ、１０ｍＷ〜２００ｍＷ）等を用いることができる。
【０１８３】
この中でも、発振（発光）波長が、６５０ｎｍ±１０ｎｍのレーザーを用いることは、上記したＰＯＳ端末に対応することを可能とし、本発明のスクラッチカードのＰＯＳ端末での真正性判定を可能とするため、特に、好適である。
【０１８４】
本発明のスクラッチカードは、スクラッチカードのカード基材上に、「秘密情報」が設けられ、その「秘密情報」を覆うように、レリーフホログラム形成層、スクラッチ隠蔽層、もしくは、接着層、レリーフホログラム形成層、スクラッチ隠蔽層、または、そのレリーフホログラム形成層上や、スクラッチ隠蔽層上にさらに地紋印刷を設けたもの、及び、そのレリーフホログラム形成層に黒色層を付加したもので構成される。
【０１８５】
さらに、「黒色層」や、「反射性薄膜層」を、上記した位置に、適宜、設けてもよい。
【０１８６】
ここで、「黒色層」や、「反射性薄膜層」は、レリーフホログラム形成層の領域に対してその領域全面に対応して形成してもよいし（もちろん、「秘密情報」形成部を覆う領域には設けない。）、いわゆる「パターン形状」に形成してもよい。
【０１８７】
このことは、「接着層」の形成位置や形成パターンについても同様として、「接着層」を形成することができることは言うまでもない。
【０１８８】
レリーフホログラム形成層は、「適宜な透明基材」に、予め所定の厚さで、レリーフホログラム形成層を設けておき、そのレリーフホログラム形成層（ホログラムレリーフ形成前、もしくは、形成後）の露出面を、カード基材面に接するように積層する手順としたり、さらに、その「適宜な透明基材」をレリーフホログラム形成層との界面で剥離して、レリーフホログラム形成層を最表面とする手順とすることもできるが、この際も、上述したレリーフホログラム形成層の形成手段を適宜用いることができる。
【０１８９】
記録するレリーフホログラムのデザインは、単独のホログラムデザインでも、複数のホログラムデザインの集合体でもよい。この「集合体」とは、記録領域が異なるホログラムの集合体、もしくは、記録領域が同一のホログラム多重記録による集合体でもよい。
【０１９０】
さらには、反射型レリーフホログラムを通常の観察角度で鮮明に視認される鑑賞用として記録しておき、これに加えて、透過型ホログラムをその観察角度とは、大きく異なる角度（その角度差を３０度〜６０度とする。この場合は、上述したそれぞれの『角度』範囲を超えることも許容される。）で多重記録して、特殊な観察角度のみで視認可能とすることで、本発明のスクラッチカードの偽造防止性を高めることも好適である。
【０１９１】
そして、スクラッチ隠蔽層は、カード基材上及び、カード基材上の「秘密情報」形成部の上に、その「秘密情報」を覆うようにレリーフホログラム形成層を設けた、そのレリーフホログラム形成層上に、もしくは、そのレリーフホログラム形成層を覆うように設ける（但し、『断面』の一部は露出させる。）。
【０１９２】
または、レリーフホログラム形成層上に、スクラッチ隠蔽層を形成して、２層積層体とした後、その２層積層体を、カード基材上の「秘密情報」形成部の上に、そのレリーフホログラム形成層形成部分が「秘密情報」を覆うようにラミネートしたり、転写形成して設ける。
【０１９３】
従って、スクラッチ隠蔽層の露出面を「光学的な鏡面」とした場合には、その上に設けるレリーフホログラム形成層のインキ組成物としては、スクラッチ隠蔽層を部分的に溶解したり、膨潤させたり、変形や変質を生じさせないものを用いる。
【０１９４】
スクラッチ隠蔽層用インキ組成物としては、例えば、ゴム系天然樹脂、ジエン系樹脂、アクリル系樹脂や、ビニル系樹脂の中から選定したものを樹脂成分とし、隠蔽性とスクラッチ性を得るために、金属系微粉末やそれらの酸化微粉末等の顔料成分を固形分全体の２０〜８０％の割合で含有するものを用いる。また、スクラッチ隠蔽層の隠蔽性を向上させるために、硫酸バリウム、炭酸カルシウム等の隠蔽性の強い顔料成分を１〜１０％含有させてもよい。スクラッチ隠蔽層用インキ組成物を以上の組成物から構成することにより、印刷適性とスクラッチ性との双方を満足することができるようになる。
【０１９５】
スクラッチ隠蔽層は、このインキ組成物を、レリーフホログラム形成層、さらには、カード基材を部分的に溶解したり、膨潤させたり、上記のような変形や変質を生じさせない溶剤で希釈したもの（以下では、これを含めて、「スクラッチ隠蔽層用のインキ組成物」という。）を、オフセット印刷方式、グラビア印刷方式、スクリーン印刷方式、凹版印刷方式、インクジェット印刷方式等の印刷方式を用いて、乾燥後の厚さとして、５μｍ〜５０μｍ、さらには１０μｍ〜３０μｍの厚さで、基材上（「秘密情報」形成部上）や、レリーフホログラム形成層上に形成する。
【０１９６】
この際、レリーフホログラム形成層の表面を「光学的な鏡面」とし、この上に、上記した配慮等を施してスクラッチ隠蔽層を設けることにより、レリーフホログラム形成層とスクラッチ隠蔽層の界面を、「光学的な鏡面」とすることができる。
【０１９７】
スクラッチ隠蔽層の厚さが５μｍ未満では、「秘密情報」が透けて見える可能性があり、５０μｍを超える厚さでは、やはり、スクラッチカードのカード基材上のスクラッチ隠蔽部分の総厚さが大きくなりすぎる。さらにその厚さが、１０μｍ以上あれば「秘密情報」の隠蔽性は十分であり、３０μｍ以下であれば形成作業性に優れる。また、スクラッチ隠蔽層の厚さがこの範囲であれば、コインや、指もしくは爪で容易に粉砕可能である。
【０１９８】
但し、このスクラッチ隠蔽層とレリーフホログラム形成層との界面は、ホログラム再生像の「通過面」（もしくは、『反射面』。）であって、また、この界面を「２度」通過して、透過型や反射型ホログラム再生像を出現させることもあるため、この界面を「光学的な鏡面」とする必要がある。
【０１９９】
このスクラッチ隠蔽層とレリーフホログラム形成層との界面が、「光学的な鏡面」とならず、いわゆる「ランダムな散乱光を発する粗面状」となっている場合には、この「粗面状の界面」をレリーフホログラム再生像を視認するための照明光で照明したときに、その「光の位相」が乱され、透過型及び反射型ホログラム再生像に対して、位相の揃った光の干渉により発生するホログラムの再生そのものを阻害して、それらのレリーフホログラム再生像の視認性を低下させ、場合により、レリーフホログラム再生像の存在すら確認することができないものとしてしまう。
【０２００】
このような「光学的な鏡面」とは、スクラッチ隠蔽層やレリーフホログラム形成層の表面の平滑性が、実質的に、平均表面粗さＲａで、０．０１μｍ〜０．１μｍであることを意味するものであって、あるべき面から逸脱するような不規則な凹凸の無い「滑らかな面」であることを言い、敢えて定義すれば、「比較的小さい領域であってその領域内では、ほぼ平面と近似できる面領域における平均表面粗さＲａの値が、どの領域においても０．０１μｍ〜０．１μｍであること」と定義できる。
【０２０１】
もちろん、これらの「表面」、さらには、「界面」が、「ホログラムレリーフ」のような三次元曲面である場合も同様であって、その「三次元曲面」のあるべき「曲面」から逸脱するような不規則な凹凸の無い「滑らかな面」であることを言う。そして、このような「曲面」は、「光学的な鏡面」である「平面」をもととして、所望の曲面を作製したときに得られやすい。
【０２０２】
通常、スクラッチ隠蔽層を上記のような印刷方式を用いて、基材上（「秘密情報」形成部上）、レリーフホログラム形成層上に形成すると、その最表面（その形成直後の露出面）は、１．０μｍ〜３０．０μｍ程度、場合によってはそれ以上の「粗さ」となり、その「粗さ」が、コインや、指もしくは爪で粉砕することを容易なものとし、スクラッチオフ適正という点では望ましいとされている。（スクラッチオフとは、コインや爪によるスクラッチによりスクラッチ隠蔽層を部分的に除去することを意味する。）
しかし、スクラッチ隠蔽層のレリーフホログラム形成層と接している面は、本発明の目的より、上記したように「光学的な鏡面」とする必要があるため、適宜な剥離性フィルム上に、スクラッチ隠蔽層を形成後、上記した「光学的な鏡面」以上の平滑な表面を有する、「表面平滑化処理を施した金属板」等を用いて、１００〜２００℃の加熱、及び、１０7〜１０9Ｐａでの加圧をする平板プレス処理、もしくは、「表面平滑化処理を施した金属ロール」等を用いてロール幅１ｃｍに対して１．０ｋｇ以上の線圧を掛けるロールプレス処理により、一旦、スクラッチ隠蔽層の、レリーフホログラム形成層と接する面を「光学的な鏡面」とし、その面の「光学的な鏡面」性を維持したまま、レリーフホログラム形成層を設けて、２層積層体を形成後、その適宜な剥離性フィルムを剥がして、スクラッチカードのカード基材上の所定の位置に配置後、カード基材に設ける手順とすることも好適である。
【０２０３】
このとき、その２層積層体をカード基材上に設ける前に、そのレリーフホログラム形成層の上に、接着層や、黒色層もしくは反射性薄膜層を設けたり、黒色層上もしくは反射性薄膜層上にさらに接着層を設けて、カード基材に設ける手順としてもよいし、レリーフホログラム形成層の露出面を「光学的な鏡面」とした後に、黒色層もしくは反射性薄膜層を形成し、その後、同様に、カード基材に設ける手順としてもよい。
【０２０４】
このため、スクラッチ隠蔽層の「平坦な面」、または、レリーフホログラム形成層の「平坦な面」の物理特性を、このようなレリーフホログラム形成層形成段階や、スクラッチ隠蔽層形成段階において、その面を「光学的な鏡面として維持できるレベル」まで向上させる必要がある。
【０２０５】
例えば、スクラッチ隠蔽層やレリーフホログラム形成層のインキ組成物に２液硬化性樹脂や、熱硬化樹脂を用いた場合には、「平坦な面」形成時に、その平板、もしくは、ロールそのものを加熱して、「平坦な面」近傍の硬化度を促進し、完結させたり、レリーフホログラム形成層のインキ組成物に、電離放射線樹脂を用いた場合には、平板やロール処理後、または、スクラッチ隠蔽層やレリーフホログラム形成層形成後、さらに、電離放射線を追加照射（ポストキュア。）して、スクラッチ隠蔽層やレリーフホログラム形成層全体の架橋度を９８％以上とする。
【０２０６】
さらには、その平板、もしくは、ロールを電離放射線透過性の素材を用いて作製し、その平板、もしくは、ロールをレリーフホログラム形成層に押し当てたまま、電離放射線を十分に照射して、「平坦な面」形状を高い精度に保ったまま、その物理特性を上記したレベルまで向上させることも好適である。
【０２０７】
そして、いずれの層においても、上記の印刷方式のみならず、ロールコーティング方式や、レジスト処理方式を用いることも以上の目的のためには好適である。
【０２０８】
または、スクラッチ隠蔽層を、レリーフホログラム形成層の面上に、所定の厚さで形成後、「乾燥、さらには、硬化する段階」において、スクラッチ隠蔽層に用いるスクラッチ隠蔽層用インキ組成物の中の顔料成分の移動や、樹脂成分の移動を十分に起こすために、その「乾燥条件や硬化条件」を通常の処理時間の２倍〜１０倍の処理時間とすることも、スクラッチ隠蔽層の固まった界面そのものを「光学的な鏡面」として仕上げることができ好適である（この界面付近に粒径の小さい顔料が集まったり、顔料と顔料の隙間に樹脂成分が十分に充填されることを意味する。）。
【０２０９】
もちろん、予め、「『光学的な鏡面』を持つ適宜なフィルム」上に、スクラッチ隠蔽層を仮形成して、スクラッチ隠蔽層のその「光学的な鏡面」と接している面を、実質的に「光学的な鏡面」とし、これを、「適宜な仮転写用フィルム」上に「仮転写（転移）」して、その「光学的な鏡面」を露出させ、これを、ある意味で新たな「平板、もしくは、ロール」と見立てて、レリーフホログラム形成層に押し当てて、その適宜な仮転写用フィルムから転写（スクラッチ隠蔽層の転移。）して、スクラッチ隠蔽層の鏡面性を確実に高めた状態で、レリーフホログラム形成層とスクラッチ隠蔽層の積層体とすることも、また、この積層体のレリーフホログラム形成層側を、カード基材上の「秘密情報」形成部に押し当て、もしくは、接着層を介して、その「秘密情報」を覆うようにカード基材上に積層させる方法も、「光学的な鏡面」を高い精度で確実に得ることができる手段として好ましい。
【０２１０】
黒色層は、微粒子カーボンブラック（一次粒子径：０．２〜２．０μｍ）や、超微粒子カーボンブラック（一次粒子径：０．０１〜０．１μｍ）、その他の炭素系黒色顔料や酸化物系黒色顔料の微粒子や超微粒子、さらには、含金属黒色染料（金属錯塩染料）等のように、観察する光（可視光）の全波長領域に対する吸収性を有する顔料や染料を、熱可塑性樹脂、または、熱硬化性樹脂に分散したもの（顔料や染料の含有率：２０〜７０質量％）からなるものであって、且つ、観察する光の波長である約０．５μｍの５倍〜５０倍、すなわち、２．５μｍ〜２５μｍの厚さ、さらには、１０倍〜４０倍、５．０μｍ〜２０μｍの厚さを有していることにより、反射型レリーフホログラムを記録したレリーフホログラム形成層で反射した光（反射型ホログラム再生像を再生する光を含んでいない。）をほぼ全て吸収して、そのレリーフホログラム再生像の鮮明度を非常に高いものとする。または、透過型ホログラムを記録したレリーフホログラム形成層を透過した光（透過型ホログラム再生像を再生する光を含んでいる。）をパターン状に吸収して、そのレリーフホログラム形成層のホログラムデザインをより意匠性の高いものとする。
【０２１１】
さらには、上記した種々の手段を採用して、この黒色層の表面を「光学的な鏡面」とし、この面で全反射する角度（ブリュスター角より大きい角度を意味する。）に入射する観察光を、「正反射光」として反射し、その偽造防止性の確保に寄与することもできる。
【０２１２】
その厚さが、観察光の波長の５倍以下では、光の吸収が不十分であり、５０倍以上では、スクラッチ隠蔽層との厚さのバランスが悪化して、カード基材へスクラッチ隠蔽層等の埋め込みに支障をきたす。
【０２１３】
黒色層の表面を「光学的な鏡面」とする場合には、超微粒子黒色顔料を用い、且つ、３本ロールミルや、ニーダー等の、インキに対する顔料の高分散処理が可能な装置を用いてインキ化することが望ましい。
【０２１４】
黒色層の形成方法は、上記のインキを用いて、オフセット印刷方式、グラビア印刷方式等、形成パターンに適宜な方式を用いることができる。さらには、にじみや、インキダレを抑えるため、フレキソ印刷方式を用いることが望ましい。
【０２１５】
黒色層を形成する位置は、レリーフホログラム形成層の背後、すなわち、レリーフホログラム形成層とカード基材（カード基材上の「秘密情報」を視認可能とするため、「秘密情報」形成部に対応する部分を除いて形成する。）との間であって、レリーフホログラム形成層全面に亘るサイズとして形成してもよいし、複数の領域に適宜なパターンで離散的に形成してもよい。
それぞれ、レリーフホログラムデザインとの同調性、各層厚さとのバランス、使用する樹脂層の屈折率差、接着性を考慮して形成方法、形成パターン形状を定める。
【０２１６】
さらに、反射性薄膜層の形成方法としては、「金属」や「合金」、または、金属酸化物や、金属窒化物等の、金属化合物を用いて、蒸着法、スパッタリング法などの物理的薄膜形成法や、メッキ法や、ＣＶＤ（化学気相成長法）などの化学的薄膜形成法等を用いることができる。
【０２１７】
この「反射性薄膜層」は、１０ｎｍ〜１０００ｎｍの厚さの「金属薄膜」等の「全反射性薄膜層」や、１００ｎｍ〜５００ｎｍの厚さの「金属化合物薄膜」等の「透明反射性薄膜層」を用い得るが、「全反射性薄膜層」としては、アルミニウム薄膜層、そして、「透明反射性薄膜層」としては、ＺｎＳ薄膜層や、ＴｉＯｘ薄膜層を用いることが望ましい。
【０２１８】
また、レリーフホログラム形成層をスクラッチカードのカード基材上の「秘密情報」を覆うように設ける際、そのカード基材（及び、「秘密情報」）とレリーフホログラム形成層との間に、接着層を設けることができる。もしくは、カード基材（及び、「秘密情報」）と、「レリーフホログラム形成層及びスクラッチ隠蔽層」積層体、または、「黒色層もしくは反射性薄膜層、レリーフホログラム形成層及びスクラッチ隠蔽層」積層体との間に、接着層を設けることができる。
【０２１９】
接着層を設けることで、カード基材及び「秘密情報」と、レリーフホログラム形成層、スクラッチ隠蔽層（一部分）、または、黒色層もしくは反射性薄膜層との接着力を高めることができ、スクラッチオフの際や、レリーフホログラム形成層を不正に剥がそうとする場合に、不要なスクラッチ隠蔽層や、レリーフホログラム形成層の剥がれを防止することができ、且つ、「秘密情報」の改ざんや改変を阻止することができる。
【０２２０】
接着層は、乾燥後の厚さとして、１．０μｍ〜３０μｍの厚さで形成する。
【０２２１】
この接着層用のインキ組成物としては、カード基材及び「秘密情報」を部分的に溶解したり、膨潤させたり、変形や変質を生じさせないものを用いる。もちろん、この接着層用インキ組成物を、レリーフホログラム形成層、スクラッチ隠蔽層（一部分）、または、黒色層もしくは反射性薄膜層上に設ける手順とする場合には、それらの層を部分的に溶解したり、膨潤させたり、変形や変質を生じさせないものを用いる。
【０２２２】
そのインキ組成物としては、溶剤系及び水系のいずれの接着剤をも用いることができ、例えば、酢酸ビニル樹脂、アクリル樹脂、酢酸ビニル−アクリル共重合体や、天然ゴムなどのゴム系樹脂などを挙げることができる。また、自然にやさしい材料構成とするために、特に、天然ゴムを主成分とするラテックス等の天然素材から作製されたものを用いることが好適である。
【０２２３】
接着層は、１．０μｍ未満であると、スクラッチカードのカード基材、及び、「秘密情報」との接着性（「秘密情報」との接着性とは、その「秘密情報」形成部との接着性という意味。）が不十分となり、３０μｍを超えると、やはり、ハンドリング適正に影響を及ぼす。
【０２２４】
但し、「秘密情報」をインクジェット方式でカード基材上に設けた際に、その「秘密情報」印字部の高さ（印字部の盛り上がりを意味する。）が、５．０μｍ〜２０μｍと高くなった場合には、その「秘密情報」の上に、レリーフホログラム形成層やスクラッチ隠蔽層を設けるときに、接着層が、その「高い」印字部を柔らかく包み込むように適宜な変形を生じ、その「高さ」を吸収して、「秘密情報」印字部の盛り上がりパターンをレリーフホログラム形成層や、スクラッチ隠蔽層の盛り上がりに繋がらないようにすることができ好適である。この目的のためには、接着層の厚さを、インクジェット方式で設けた「秘密情報」の盛り上がり高さ（印字部のカード基材面から印字部表面までの距離を意味する。）の２．０倍〜５．０倍とすることが好適であって、上記した厚さの上限を超えることもやむを得ない。
【０２２５】
この厚さが、その盛り上がり高さの２．０倍未満であると、その吸収性が不十分となり、５．０倍を超えると、不必要な厚さとなり、やはり、カード基材への埋め込みに支障をきたしたり、カード基材そのものの物理的強度を低下させることとなる。
【０２２６】
接着層の形成方法としては、グラビアコート、ロールコート、コンマコートや、スクリーン印刷などの方法で、塗布し乾燥して形成することができる。
【０２２７】
接着層の接着力は、スクラッチカードのカード基材、及び、「秘密情報」形成部との接着力、また、レリーフホログラム形成層との界面の剥離強度として、ＪＩＳ  Ｚ０２３７準拠の１８０°による剥離方法において、１．０〜３．０ｋｇ／２５ｍｍ巾の範囲にすることが望ましい。もちろん、それ以上の剥離強度を有していても、本発明の目的には適合している。特に、カード基材及びカード基材上の「秘密情報」形成部との接着力は、本発明の目的より、レリーフホログラム形成層やスクラッチ隠蔽層（一部分）をカード基材及びカード基材上の「秘密情報」形成部から剥がすことが困難となるレベルまで大きいものとする必要があるが、その接着層とカード基材及びカード基材上の「秘密情報」形成部との界面の剥離強度よりも、接着層とレリーフホログラム形成層との界面の剥離強度を、より大きくなるように設計する。
【０２２８】
このようにして、スクラッチカードのカード基材、その上に設けた「秘密情報」、その「秘密情報」を覆うようにして設けた、レリーフホログラム形成層、さらにそれらの層を覆うように設けられたスクラッチ隠蔽層からなる本発明のスクラッチカードを得る。
【０２２９】
または、スクラッチカードのカード基材、その上に設けた「秘密情報」、その「秘密情報」を覆うようにして設けた、接着層、レリーフホログラム形成層（さらに黒色層もしくは反射性薄膜層が設けられている場合もある。）及びスクラッチ隠蔽層からなる本発明のスクラッチカードを得る。
【０２３０】
また、スクラッチ隠蔽層を、一旦、適宜な剥離性フィルムに設ける手順とする場合に、その剥離性フィルムの表面の一部（「正規購入者のみが知り得る「秘密情報」形成部の位置」を表示するような「パターン」状として設けたり、バーコード状、網点状、市松模様状に設ける。）を、平均表面粗さＲａで、１．０μｍ〜３０μｍ、もしくはそれ以上の粗さに設定した「粗い粗面」としておくことも、スクラッチ時の破壊性を均一、且つ、容易化することができ、スクラッチオフ適正の向上に寄与する。
【０２３１】
もちろん、スクラッチ隠蔽層をレリーフホログラム形成層上に設ける際に、その印刷版に上記した「粗い粗面」を予め設けておいてもよく、さらには、スクラッチ隠蔽層を形成後、上記した「粗い粗面」を有する平板やロールを用いて、加熱、且つ、加圧して、スクラッチ隠蔽層の最表面を所定の「粗い粗面」とすることも好適である。
【０２３２】
さらには、このような「粗い粗面」部分の導入を、スクラッチ隠蔽層とレリーフホログラム形成層の界面に実施しても、そのスクラッチ適正の向上や、意匠性の向上に好適である。
【０２３３】
さらに、スクラッチ隠蔽層のレリーフホログラム形成層が形成されている面とは反対の面に、または、スクラッチ隠蔽層とレリーフホログラム形成層との界面に、さらには、カード基材面上に、地紋印刷を施して、その「地紋」が存在することによる偽造防止性の向上のみならず、不正にスクラッチした際にその「地紋」も同時に削れてしまうことによって、偽造や変造を防止する効果を高めることができる。
【０２３４】
また、その地紋印刷のデザインが、そのスクラッチ隠蔽層とカード基材表面の境界を跨るものであって、スクラッチ隠蔽層を剥がそうとすると、その境界を跨っている部分が破断されるように設定することも、その偽造防止性を高めることができ、好適である。
【０２３５】
この地紋印刷は、主要なデザイン模様の背景となる淡色系のパターンや彩文の印刷のことであり、単色の印刷用インキを使用してもよいが、より偽造防止性を高めるため、多色の印刷用インキを使用することも好ましい。この多色の地紋印刷には、オフセット印刷や、グラビア印刷も使われるが、オルロフ印刷やシムルタン印刷などの特殊な印刷方式もその高い偽造防止性から好適である。
【０２３６】
オルロフ印刷とは、凸版多色集合印刷のことであり、それぞれの色のインキに対応する部分版（パターンローラ）に転移したそれぞれの色のインキを中間のローラに集合し、その集合ローラから一つの凸版版面にそれらのインキを同時に着肉する。凸版版面から直接印刷する場合（オルロフ印刷）とゴム胴（ブランケット胴）にインキを転移してから印刷する方法（オフセット・ザンメル）とがある。版面は一つであるが、一つの画線の途中から色を何色かに変化させることが出来るものである。
【０２３７】
また、シムルタン印刷とは、複数の版面（平版や樹脂版、もしくは金属版などの凸版版面）を一つのゴム胴（ブラン胴）の周りに配置して、各版面からのインキをゴム胴に集合してから印刷する。印刷位置精度は版胴への版面の取り付け精度でほとんど決まり、カード基材の伸縮などの影響が少ないため、高い見当合わせが安定して可能となるものである。
【０２３８】
この地紋印刷のデザインとしては、装飾的効果をあげるための図形であって、規則正しく繰り返される「文様」や、紋章的な感じを含む図文である「紋様」、その他染織等に用いられる「型」として繰り返される意匠等を用いることができる。
【０２３９】
特に、スクラッチによって、容易にそのデザインが破壊されることを目的として、それらの画線の幅を非常に細く、３０〜１００μｍ程度とした「細線」、もしくは、「細紋」とすることも好適である。
【０２４０】
地紋印刷における「地紋」の形成厚さは、１．０〜１０．０μｍとする。
【０２４１】
ここで、スクラッチ隠蔽層の表面は「粗い」面であるため、この凹凸に追従して印刷可能なインクジェット方式や、この凹凸に影響され難い感熱転写方式、もしくは、昇華転写方式を用いて地紋印刷を行ってもよい。さらに、このような転写方式を用いて、スクラッチ隠蔽層の凹凸の凸部のみに印刷を行い、不正なスクラッチにより非常に容易に地紋印刷が破壊されるようにすることも好適である。
【０２４２】
特に、昇華転写方式は、スクラッチ隠蔽層を構成する樹脂層にのみ浸透し、独特の風合いを醸し出すとともに、同一のものを偽造することが困難であるため好ましい。
【０２４３】
また、この地紋印刷のデザイン及び、形成位置を、スクラッチ隠蔽層の上下で同一とすることも、その意外性や偽造防止性を高めるため好適である。
【０２４４】
そして、本発明のスクラッチカードのスクラッチ隠蔽層を、平均粒子径１．０μｍ〜１０μｍの顔料及び、平均粒径０．０１μｍ〜０．１μｍの微粒子顔料の両方を含んでいるものとすると、スクラッチカードを不正な目的で曲げたり、湾曲させたりした際に、さらには、そのスクラッチ隠蔽層部分そのものを剥がそうとした際に、スクラッチ隠蔽層に対して、いわゆる「剥離痕」を残すことが可能となり、その偽造防止性を著しく高めることが可能となる。しかも、この「剥離痕」は、一旦、発生すると、もはや、その「剥離痕」を修復する手段はないため、その偽造防止性を著しく高めることとなる。
【０２４５】
スクラッチ隠蔽層用のインキ組成物に含める顔料成分としては、上記したごとく、金属系微粉末やそれらの酸化微粉末等（もちろん、窒化物やその他の化合物微粉末でもよい。）の顔料成分を２０〜８０％含有するものを用いるが、この顔料成分として、平均粒子径１．０μｍ〜１０μｍの比較的粒子径の大きい顔料、または、顔料群（「群」とは、複数の顔料を混合することも含める意味。以下、「顔料、または、顔料群」を略して、「顔料（群）」ともいう。）と、平均粒径０．０１μｍ〜０．１μｍの微粒子顔料、または、顔料群を準備し、これらの混合系を用いることで、粒子径の大きい顔料（群）の隙間に微粒子顔料（群）が入り込む構造とし、スクラッチ隠蔽層が極度の変形を受けた際に、微粒子顔料（群）が粒子径の大きい顔料間の滑り剤の役目を果たして、粒子径の大きい顔料の層内移動を容易かつ不可逆なものとする（塑性変形を生じることを意味する。）。さらに、この「滑り」効果を助長するためにシリコーンオイルやタルク等の滑り性付与剤を１％〜５％添加することも好適である。
【０２４６】
スクラッチカードを不正な目的で、９０度から１８０度の「折れ曲がり変形」させると、スクラッチ隠蔽層自体も同様の変形を受け、スクラッチ隠蔽層の一方の面は、カード基材と固着してズレ変形を生じ難い状態となっていることから、スクラッチ隠蔽層の他方の面にその変形圧力が集中し、上記の塑性変形を大きくして、そのスクラッチ隠蔽層の他方の面に不規則な凹凸や、不規則な裂け目を発生させ、この不規則な凹凸や、不規則な裂け目が、「剥離痕」として視認されることとなる。
【０２４７】
このような「剥離痕」をより確実に発生させるためには、粒子径の大きい顔料(群）と、微粒子顔料(群）の比率を、１０対１〜１０対３０、特には、１０対５〜１０対１０とすることが好ましい。
【０２４８】
「粒子径の大きい顔料（群）」１０に対して、「微粒子顔料（群）」の比率が１未満であると、スクラッチ隠蔽層に「剥離痕」が発生し難くなり、「微粒子顔料（群）」の比率が３０を超えても、やはり「剥離痕」が発生し難くなる。
【０２４９】
さらには、スクラッチ隠蔽層用インキ組成物に用いる樹脂として、凝集破壊し易い脆弱性の樹脂を用いることもこの「剥離痕」の発生を確実なものとするが、この場合には、スクラッチオフ（コインや爪によるスクラッチによりスクラッチ隠蔽層を部分的に除去することを意味する。）を容易とする効果も発現するため好適である。
【０２５０】
また、そのインキ組成物に、粒子径の大きい顔料(群）と、微粒子顔料(群）の比率を、１０対１〜１０対５として配合することで、スクラッチ隠蔽層の塑性変形をし易くすることは、スクラッチ隠蔽層の最表面に上記したような平圧プレスやロールプレス処理を施すことにより「光学的な鏡面」とする際にも望ましいものとなる。
【０２５１】
さらに、スクラッチ隠蔽層のレリーフホログラム形成層が積層されている領域以外の領域において（スクラッチ隠蔽層のサイズが、レリーフホログラム形成層のサイズより大きく設定してあることを意味する。スクラッチ隠蔽層のレリーフホログラム形成層よりはみ出した部分は、カード基材と直接接することとなる。）、スクラッチ隠蔽層とカード基材との接着強度に「所定パターン」状の変化（例えば、接着層の材料を代えて、「接着の強い部分」と「積層の弱い部分」を設け、その強度比を、２／１〜５／１とすることを意味する。）を持たせたり、または、スクラッチ隠蔽層の「秘密情報」形成部以外の領域において、スクラッチ隠蔽層を部分的に、例えば、文字状にスクラッチし難い層として、すなわち、「不正」や「開示」等の文字状にスクラッチ隠蔽層をレリーフホログラム形成層上や、カード基材上に固着させて、むやみにスクラッチ隠蔽層を隅から隅までスクラッチオフしようとする行為に対する牽制とすることも好ましい。
【０２５２】
この場合には、例えば、スクラッチ隠蔽層を、上層と下層の２層構成とし、スクラッチ隠蔽層の下層を設ける際に、予め、スクラッチカードのレリーフホログラム形成層面やカード基材面に固着し、且つ、爪等によっては剥がすことができない強度（硬度）を有する樹脂層を用いて、「文字パターン」の印刷を行っておき、このパターン部分を除いて、通常のスクラッチ隠蔽層の下層を設け、それらを全て覆うように、スクラッチ隠蔽層の上層を設ける等の工夫が必要となる。
【０２５３】
このようにして得られた、本発明のスクラッチカードを、その外観から観察した場合には、スクラッチ隠蔽層及びレリーフホログラム形成層に覆われた「秘密情報」を視認することはできなかったが、そのレリーフホログラム形成層の一方の断面に、所定の入射照明光による照明を行うと、他の断面から「第一のレリーフホログラム再生像」が現れ、さらに、スクラッチカードのスクラッチ隠蔽層をコインで一部削り取ることにより、その削りとった領域から、「秘密情報」及び、レリーフホログラム形成層からの「第二のレリーフホログラム再生像」を同時に視認することができた。
【０２５４】
また、スクラッチ隠蔽層が、平均粒子径１．０μｍ〜１０μｍの顔料及び、平均粒径０．０１μｍ〜０．１μｍの微粒子顔料を含んでいる本発明のスクラッチカードのカード基材を湾曲させて、スクラッチ隠蔽層の断面を露出（より見えやすくするという意味も含む。）させようとすると、スクラッチ隠蔽層の表面に「剥離痕」が発生し、不正を働こうとした痕跡を残さずスクラッチ隠蔽層を元の状態に戻すことはもとより、スクラッチカードに何らかの変造を加えようとすることは困難と思われた。
【０２５５】
さらには、本発明のスクラッチカードのスクラッチ隠蔽層を、その下にある「秘密情報」形成部の位置を知らずに一部スクラッチオフしたところ、その領域には「秘密情報」が現れず、結局、やみくもに全てのスクラッチ隠蔽層を剥がすこととなり、正規購入者によるスクラッチオフでないことが一目瞭然となった。このことは、スクラッチカードの正規購入者でない者が、「秘密情報」を覗き見する等の不正を働くことに対する牽制効果を有すると思われた。
【発明の効果】
【０２５６】
本発明によれば、カード上の「秘密情報」及びレリーフホログラム層をスクラッチ隠蔽層で隠蔽したスクラッチカードを提供することができ、スクラッチ隠蔽層をスクラッチオフして、初めて、レリーフホログラムの存在、及び、「秘密情報」と同時にレリーフホログラム再生像を視認可能となるその意外性や偽造防止性に優れるスクラッチカードを提供することができる。
【０２５７】
すなわち、ホログラムデザインを第三者に開示していないことから、不正者が、例え、本発明のスクラッチカードを複数枚入手して、その構造やホログラムの存在を知り得たとしても、そのホログラムデザインが統一された唯一のデザインなのか、複数のデザインを任意に配したものなのか、もしくは、特定の秘密情報に対して特定のホログラムデザインを対応させてあるものかを知ることができないものとしており、この原理によって、入手したスクラッチカード以外の秘密情報を有するスクラッチカードに対しての「偽造品」を作ることを事実上不可能とした、スクラッチカードを提供することができる。
【０２５８】
さらには、そのレリーフホログラム層及びスクラッチ隠蔽層を、カード基材の中に埋め込んでしまい、これらの層を注意深く剥離するなどの変造を阻止し、その偽造を困難なものとした、スクラッチカードを提供することができる。
【０２５９】
さらには、そのレリーフホログラム層に、断面への入射照明光によって断面から出射再生するホログラムを記録しておき、スクラッチ隠蔽層をスクラッチする前に、不正者には想像することも出来ない方法での真正性判定が可能となる、著しく偽造防止性に優れるスクラッチカードを提供する。
【０２６０】
また、本発明によれば、スクラッチ隠蔽層とレリーフホログラム層の界面を「光学的な鏡面」として、そのホログラム再生像の鮮明度を確保して、これを偽造することを非常に困難とし、さらには、スクラッチ隠蔽層に平均粒径の異なる顔料を配して、不正な目的でカードを湾曲させたりしたときに、その剥離痕を発生させ、もはや、その剥離痕を修復することは不可能となる構造として、その偽造防止性を著しく高めることを可能としたスクラッチカードを提供することができる。
【０２６１】
従って、本発明は、偽造や変造を著しく困難とした新規なスクラッチカードを提供することを可能とし、第三次産業においてそのカード保持者が正当な権利を有する者であるとの証明や、「スクラッチくじ」などの用途のみならず、高額商品や高額サービスを提供するシステムにおいて、いわゆる「鍵」の役割を担う用途に有用である。
【図面の簡単な説明】
【０２６２】
【図１】本発明の一実施例を示すスクラッチカードＨ１の断面図である。（ＳＥＣ１、            及び、ＳＥＣ２は、レリーフホログラム形成層３の、それぞれ『一方の露出し            ている断面』及び『他方の露出している断面』である。）
【図２】本発明のスクラッチカード６のカード基材１の所定の位置に、「秘密情報」２            を覆うように、レリーフホログラム形成層３及びスクラッチ隠蔽層４（図中で            は「長方形」。）を形成した図である。ここで、（ａ）は、スクラッチカード            ６を上から見た図であり、（ｂ）は、そのＡ−Ａ断面図である。（地紋印刷５            は表示していない。）
【図３】スクラッチカード６のカード基材１の上に「秘密情報：１２３４５６７８」２            を印字した図。（「秘密情報」を囲む枠は便宜上記載してあるのみ。）
【図４】カード基材１の所定の位置に、「秘密情報」２を覆うように、レリーフホログ            ラム形成層３、スクラッチ隠蔽層４が形成された（図中では「長方形」で示し            てある。）本発明のスクラッチカード６の、そのスクラッチ隠蔽層４の上（最            上層に）、さらに、地紋印刷５を設けた図である。（図中、地紋印刷５のみを            強調して図示している。）
【発明を実施するための形態】
【０２６３】
以下、本発明の実施形態について、図面を参照しながら、詳細に説明する。
（カード基材、及び、「秘密情報」形成部）
本発明のスクラッチカードＨ１及び６に用いられるカード基材１としては、「秘密情報」２表示部を設けることができ、且つ、レリーフホログラム形成層３及び、スクラッチ隠蔽層４を、そのカード基材１上に設けることができるものであれば、あらゆる材料、すなわち、プラスチック材料、金属材料、セラミック材料、生体材料、それらの複合材料、さらには、それらを多層構造としたり、さらに複雑に組み合わせたりしたものなどを用いることができる。且つ、その表面や裏面に、本発明のスクラッチカードＨ１及び６の用途に応じた印刷等の手段による適宜な表示を設けたものであってもよい。（図１〜図４参照。図２〜図４では、カード基材１の表面に「☆スクラッチカード☆」などの印刷を施しているが、この「印刷デザイン」を、スクラッチ隠蔽層４の上に設けてもよいし、また、この「印刷デザイン」をレリーフホログラム形成層３に記録する「ホログラムデザイン」として、レリーフホログラム形成層３に記録しておいてもよい。）
その形状も、あらゆる形状、すなわち、シート状、フィルム状、板状、立方体状、直方体状、カード形状（磁気カード、ＩＣカード、非接触ＩＣカード、ポストカード、グリーティングカード、名刺、ポイントカード、ライセンスカード、遊戯用カード等の形形状）、はがき形状、リーフ形状、帳票形状、伝票形状、Ｓメール形状、ラベル形状、シール形状、証券類形状、通帳形状、パスポート形状、郵便物形状、配送物形状、封筒状、袋状、箱状、ケース状、円盤状、ディスク状、楕円体状、球体状、曲面形状、棒状、及びこれらの組み合わせや、これらに変形、切断、穴あけ、接着等の加工処理を施したものなどを採用することができる。さらには、電子端末や、携帯用端末等、あらゆる工業製品やあらゆる商品をもカード基材１として採用することができる。
【０２６４】
その厚さも、「秘密情報」２表示部を支持することができ、且つ、ハンドリング可能であればよく、特に制限はないが、通常、３．０μｍ〜３．０ｍｍの厚さとする。もちろん、封筒状や、箱状のものであれば、その立体形状の寸法は、それぞれの用途に適したものとするため、この範囲内とする必要はない。
【０２６５】
但し、これらのカード基材１上に設けた「秘密情報」２をスクラッチ隠蔽層４で秘匿することとなるが、そのスクラッチ隠蔽層４を設けた側、もしくは、その反対側から、カード基材１に対して、１０００ルクスを超える強度の大きい可視光線照射や、０．５Ｗ／平方センチメートル以上の赤外線照射、０．１Ｗ／平方センチメートル以上の紫外線照射、１ギール／分以上のＸ線照射等、さらには、１００ｋＶ以上の電子線等の粒子線（以上を総称して「光線」と称する。）を照射して、その「透過『光線』」や「反射『光線』」、さらには、特性Ｘ線等から、その「秘密情報」や「スクラッチ隠蔽層４の位置や形状」を読み取ろうという試みに対抗するため、そのカード基材１の性質として、これらの「光線」を「遮蔽」したり、「反射」、もしくは、「散乱」させる性質を保有するものを採用することができる。
【０２６６】
すなわち、可視光線照射に対しては、可視光線を遮蔽したり散乱させたりする隠蔽性の高い顔料や、鱗片状の金属材料、さらには、金属板そのもの等をカード基材１中に混入させたり、カード基材１に用いる基紙にコーティングしたり、ラミネートしたり、複合化したりする（以上を総合して、「混在させる」と称する。）。（図示せず。）
赤外線照射に対しては、さらに赤外線吸収剤等を、紫外線照射に対しては、さらに紫外線吸収剤等を、Ｘ線照射に対しては、金属板の中でも鉛材料等を、電子線等の粒子線照射に対しては、それらの粒子線を吸収する素材を混在させることで、その効果を増すことができる。
【０２６７】
また、これらカード基材１の代表例として、いわゆる「プリペイドカード」として用いられている材料及び形状や、「プラスチックカード」として用いられている材料及び形状、特に、ＪＩＳ規格（「プリペイドカード  ＪＩＳ  Ｘ  ６３１０シリーズ」や、ＪＩＳ  Ｘ  ６３０１、ＪＩＳ  Ｘ  ６３００シリーズ、ＪＩＳ  Ｘ  ６３２０シリーズ、ＪＩＳ  Ｘ  ６３３０シリーズ等。）やＩＳＯ規格（ＩＳＯ／ＩＥＣ７８１０シリーズ、ＩＳＯ／ＩＥＣ７８１６シリーズ、ＩＳＯ／ＩＥＣ１４４４３シリーズ、ＩＳＯ／ＩＥＣ１５４５７シリーズ等。）で定められているものがある。（図示せず。）
その中でも、その「汎用性」（加工汎用性を含む。この「加工汎用性」とは、「保護層／磁気層／接着層」からなる磁気ストライプをカード基材に埋め込んだり、カード基材を積層体とする等の製造ラインや製造条件が確立していることを意味する。）から、「ＪＩＳ規格やＩＳＯ規格で定められている『プラスチックカード』として用いられているカード基材及び形状」が望ましい。
【０２６８】
これらは、既に、全世界に大量に頒布され、普及しているため、それらをハンドリングしたり、保持することに抵抗感がなく、また、それらを携帯したり、使用したりする場合の周辺機器（入退室用ゲート端末、駅務ゲート端末、クレジットカード端末その他のカード利用機器を意味する。）や、関連グッズ（カードを携帯するためのカード入れや、カード用装飾品等を意味する。）等も既に普及しているため、これらのものに対する適用もスムースであって好適である。
【０２６９】
特に、不透明性を有するフィルム状もしくはシート状のプラスチックがその加工適正やコスト面で好ましく、厚みを薄くすることが可能であって、機械的強度や耐溶剤性および耐熱性をも有するものが用いられる。例えば、その材料として、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール、ポリ塩化ビニル、ポリ塩化ビニリデン等の各種のプラスチックフィルム材料があげられる。そして、これらのプラスチックそのものが透明性を有する場合には、不透明化処理のために、二酸化チタンや炭酸カルシウム等の不透明性付与のための顔料等を適宜練り込むなど、不透明性付与材料を混在させた、フィルム状もしくはシート状のプラスチックを例示することができる。
【０２７０】
さらに、これらの材料に、フッ素系樹脂パウダーや、シリコン系樹脂パウダー等を混入したプラスチックフィルムは、耐擦傷性が著しく高く好適である。
【０２７１】
これらのフィルム状もしくはシート状のプラスチック材料からなるカード基材１の厚さは、通常、３．０μｍ〜１．０ｍｍであるが、スクラッチカードＨ１としての加工適正や取り扱い適正から５０〜３００μｍとすることが望ましい。
【０２７２】
この厚さが、３．０μｍ未満であると、このカード基材１上にレリーフホログラム形成層３を設けたり、もしくは、スクラッチ隠蔽層４を設けたりする際の加工適正に劣るものとなり、この厚さが１．０ｍｍを超えると、シート処理や巻き取り処理における取扱いに困難を生じるため好ましくない。（図１〜図３参照。）
具体的には、５０μｍ〜１０００μｍの厚さの軟質塩化ビニルシートや硬質塩化ビニルシート、もしくは、その組み合わせ（積層体という意味。）が好適である。
【０２７３】
この際、カード基材１上に、予め接着層や黒色層もしくは反射性薄膜層を設けたものを用いてもよい。
【０２７４】
本発明のスクラッチカードＨ１、及び６が秘匿する「秘密情報」２としては、文字、図形、記号、模様、マーク、形状、立体、もしくは、これらの結合、または、これらと色彩との結合その他、さらには、識別コード、識別番号、識別文字等のあらゆる識別情報、その他何らかの手段によって識別することが可能なものであれば、特に制限はなく、採用することができる。（図１〜図３参照。）
この識別手段としては、目視識別、携帯カメラ認識やバーコード認識等の光学的識別、機械識別、その他の物理的識別手段等をいう。
【０２７５】
識別可能であれば、全てが同一のものであっても、全てが個別のものであってもよく、また、個人や企業、さらには、特定の業界特有のものであってもよい。
【０２７６】
また、「意匠」のごとく、物品（物品の部分を含む。）の形状、模様若しくは色彩又はこれらの結合であって視覚を通じて美感を起こさせるもの、または、これと類似のものであってもよく、「商標」のごとく、文字、図形、記号若しくは立体的形状若しくはこれらの結合又はこれらと色彩との結合であって、業として商品を生産し、証明し若しくは譲渡する者がその商品について使用するもの、または業として役務を提供し若しくは証明する者がその役務について使用するもの、または、これと類似のものであってもよい。その他、「称号」や、「商号」、さらには、種々の場面において照合の対象となるものでもよい。
【０２７７】
そして、「文字」には、楷書体、隷書体等のあらゆる書体の文字が含まれ、「記号」には、特殊文字記号、顔文字記号、電気文字記号、地図記号等も含まれ、ＨＴＭＬ記号等の限られた業種の限られた場面においてのみ用いられる記号もその特殊性から好ましい。
【０２７８】
また、英文字、ギリシャ文字その他各国で使用されている文字や、シンボル、数学記号等も、不正者が瞬間的に覗き見した程度では暗記できないものとなり、好ましい。
【０２７９】
さらには、これらの情報の中に、目視等の単なる情報読取手段では判別できない隠し情報や、暗号情報を含ませて、スクラッチカードＨ１、及び６の運用を管理する者のみが所定の情報処理手段によって、それらの隠し情報や、暗号情報を判読することができるものとすることも好適である。
【０２８０】
このような特殊性を有するものは、正規購入者によってもその登録や照合等の場面で、誤記や誤入力の原因となるため、携帯カメラ認識等の自動認識手段を併用することが好ましい。
【０２８１】
以下、これらのものを総称して、「番号等」という。
【０２８２】
さらに「秘密情報」２には、暗証番号等、個人認証番号等、口座番号等、その他の個人特有の番号等や、何らかの個別番号等、抽選番号等、管理番号等、もしくは、単なる連続番号等であって、登録することによりその有効性を発現するもの、暗号鍵番号である共通鍵番号のように同一の番号等、さらには、全くの乱数であってスクラッチカードＨ１、及び６のカード基材１を作製するときに発生させ作製者含め誰もその番号等の内容を知らないよう工夫した番号等、知ることが許された者（正規な購入者等を意味する。もちろん、スクラッチカードＨ１、及び６のシステム設計者や、スクラッチカードＨ１、及び６の発行者等が含まれる場合もある。）のみが見ることができ、その他の者は物理的に見ることができないよう設定される番号等を含めることができる。
【０２８３】
また、そのスクラッチカードＨ１、及び６の用途により、上記した番号等のみならず、文字、図形、マークその他、個人及びそのスクラッチカードＨ１、及び６の供給者が共通に認識できるもの（この対象は、いわゆる「情報」全てとなる。）であれば何れも用いることができる。
【０２８４】
そして、その認識方法も、少なくとも目視確認により認識できる情報を有しながら、目視以外の認識方法、例えば、光学読取方法、磁気的読取方法、その他、あらゆる物理的もしくは化学的読取方法を採用することができ、且つ、秘密情報と重ねて視認できるレリーフホログラム再生像の中にも、マシンリーダブルホログラム等の、ホログラム再生原理を利用した光学読取方法を含めることもその偽造防止性を高めるために好適である。（認識方法や手段は図示せず。）
これらの「秘密情報」２をスクラッチカードＨ１、及び６のカード基材１上に設ける方法としては、可変情報を形成する方式として、感熱溶融転写方式、昇華転写方式、光学的もしくは物理的直接描画方式、電子写真方式及び、インクジェット方式等があり、固定情報を形成する方式としては、グラビア印刷方式、オフセット印刷方式、活版印刷方式、凹版印刷方式、スクリーン印刷方式等がある。（図１〜図３参照。）
もちろん、電子端末のディスプレー上に「秘密情報」２を表示するものであってもよい。
【０２８５】
また、カード基材１そのものを発色材料や消色材料で構成し、その発色原理や消色原理を用いて、可変情報や固定情報を記録する方法を用いてもよい。
【０２８６】
すなわち、電子供与性ロイコ染料と電子受容性顕色剤とを含有する感熱発色材料からなるカード基材１や、そのカード基材１を構成する基紙となる紙材料やフィルム材料上に、電子供与性ロイコ染料と電子受容性顕色剤とを含有する感熱発色層を設けたもの、さらには、それらの基紙上に、カプセル内包の発色剤と顕色剤とからなる感圧発色層を設けたものを、カード基材１として用いることができる。
【０２８７】
また、発色と消色を繰り返して操作できる、感温材料等を用いたサーマルリライタブル層や、フルギド系やスピロピラン系などのフォトクロミック材料等を用いる光リライタブル層を同様の目的で、さらには、別の位置に単なる情報表示の目的で設けることも、その意外性や偽造防止性が高まり、好ましい。
【０２８８】
特に、これらの「リライタブル層」を設けて、「秘密情報」２を表示させると、正規購入者が、その「秘密情報」２を確認するときのみ「秘密情報」２が現れ、それ以外のときには「非表示」とすることで、不要な第三者による「秘密情報」２の視認を阻止することができる。（カード基材１の種々の構成は図示せず。）
感熱発色材料としては、発色剤、顕色剤、及び、増感剤からなる系を用いることができ、発色剤としては、ベンゾイルロイコメチレンブルー、クリスタルバイオレットラクトン等のフタリド化合物等、顕色剤としては、４−４´ビフェノール、１−ナフトール等の酸など、さらに、増感剤としては、４−ベンジルビフェニル、フルオレン等を用いる。
【０２８９】
感熱記録とは，基紙上の層に分散させた発色剤及び顕色剤を熱により溶融させ、接触させることにより発色させる仕組みである。その高感度化のために、低融点の増感剤を添加するが、様々な酸発生方法とこの発色機構を組み合わせることにより、繰り返しの書き込みや消去が可能なリライタブル感熱記録を実現できるものである。例えば、低い熱エネルギーにて発色する赤色感熱記録層と，高い熱エネルギーにて発色する黒色感熱記録層を積層させることにより，その印加エネルギーを使い分けることで赤／黒の２色での記録を可能にする２色発色感熱記録材料を用いてもよい。
【０２９０】
これらのロイコ系感熱発色材料や、フォトクロミック系光発色材料は、その発色機構である「紫外領域または赤外領域→可視領域への変化」を、「可視領域→紫外領域または赤外領域への変化」とすべく材料選定をすることにより、消色記録材料として用いることができる。
【０２９１】
このような消色機構を用いると、正規購入者が、その「秘密情報」２を確認した後、正規購入者の判断により、速やかに、もしくは、適宜なタイミングで、「秘密情報」２を消色（消去）することを可能とし、その偽造防止性を高めることを可能とする。
【０２９２】
このようにしてカード基材１上に「秘密情報」２形成部を設け、その「秘密情報」２形成部を覆うように、レリーフホログラム形成層３、さらには、その上に、スクラッチ隠蔽層４を設ける。（図１または図２参照。）
（スクラッチ隠蔽層）
本発明のスクラッチカードＨ１、及び６のカード基材１上に「秘密情報」２形成部を設け、その「秘密情報」２形成部を覆うように、レリーフホログラム形成層３、さらには、その上に、スクラッチ隠蔽層４を設けて、本発明のスクラッチカードＨ１もしくは６を得る。（図１または図２参照。）
本発明のスクラッチカードＨ１のスクラッチ隠蔽層４に用いるインキ組成物としては、熱可塑性樹脂や、熱硬化性樹脂を用いることができる。
【０２９３】
熱可塑性樹脂としては、エチルセルロース、硝酸セルロース、エチルヒドロキシエチルセルロース、セルロースアセテートプロピオネート、酢酸セルロース等のセルロース誘導体、ポリスチレン、ポリ−α−メチルスチレン等のスチレン樹脂、あるいはスチレン共重合樹脂、ポリメタクリル酸メチル、ポリメタクリル酸エチル、ポリアクリル酸エチル、ポリアクリル酸ブチル等のアクリル酸エステルまたはメタクリル酸エステルの単独あるいは共重合体、ポリ塩化ビニル、ポリ酢酸ビニル、塩化ビニル−酢酸ビニル共重合体、ポリビニルブチラール樹脂、ポリブタジエン、スチレン−ブタジエン共重合体、アクリロニトリル−ブタジエン共重合体等のビニル共重合体、ロジン、ロジン変性マレイン酸樹脂、重合ロジン等のロジンエステル樹脂、クマロン樹脂、ビニルトルエン樹脂、ポリアミドや、ポリイミド等を挙げることができる。また、スクラッチオフ性を満足する範囲でこれらの樹脂に硬化剤等を混合して、擦れ等によるスクラッチ隠蔽層４の表面の不要な剥離や、剥がれを防止してもよい。（図１または図２参照。）
また、熱硬化性樹脂としては、シリコン樹脂、メラミン樹脂、ポリウレタン、フェノール樹脂、ロジン変性フェノール樹脂、エポキシ樹脂や、不飽和ポリエステル樹脂等をあげることができ、シリコン樹脂として、シリコンゴム（シロキサン結合が５０００〜１００００の直鎖構造分子。）や、ケイ素樹脂、ゴム系天然樹脂として、天然ゴム、塩酸ゴム、ポリイソプレン、ポリクロロプレン等を用いることができる。
【０２９４】
さらには、スクラッチオフするという行為における環境影響を考慮して、スクラッチ隠蔽層４に用いるインキ組成物として、生分解性プラスチックを用いることも好適である。
【０２９５】
生分解プラスチックとしては、化学合成系として、εーカプロラクトン等のラクトン系樹脂、ポリブチレンサクシネート−アジペート等のポリブチレンサクシネート系樹脂、ポリ乳酸等、低分子量脂肪族ジカルボン酸と低分子量脂肪族ジオールより合成したポリエステル樹脂等、変性ポリビニルアルコールと脂肪族ポリエステル樹脂と澱粉の混合物等、または、低分子量脂肪族ポリエステルに脂肪族イソシアネートを添加して重合させたものなどが、また、天然物系として、ゼラチンなどの動物性天然物質、セルロースなどの植物性天然物質など、または、ポリヒドロキシブチレート等の微生物生産系物質などが好適である。
【０２９６】
スクラッチ隠蔽層４に用いるインキ組成物としては、これらの樹脂成分を含む固形分全体に対して、隠蔽性とスクラッチ性を付与するために、金属系微粉末（アルミニウム粉末、黄銅微粉末、銅微粉末等）やそれらの酸化微粉末、窒化微粉末、その他の化合物微粉末等の顔料成分を２０〜８０％含有するものを用いる。
【０２９７】
また、スクラッチ隠蔽層４の隠蔽性をさらに向上させるために、硫酸バリウム、炭酸カルシウム等の隠蔽性の強い顔料成分を１〜１０％含有させてもよい。スクラッチ隠蔽層４用インキ組成物を以上の組成物から構成することにより、印刷適性とスクラッチ性との双方を満足することができるようになる。
【０２９８】
スクラッチ隠蔽層４は、この組成物を適宜な溶剤で希釈したものを、レリーフホログラム形成層３を覆うように、オフセット印刷方式、グラビア印刷方式、スクリーン印刷方式、凹版印刷方式、インクジェット印刷方式等の印刷方式を用い、乾燥後の厚さとして、５μｍ〜５０μｍ、さらには１０μｍ〜３０μｍの厚さで形成する。（図１または図２参照。）
さらに、スクラッチ隠蔽層４用インキ組成物として、金属ペースト、樹脂材料及び助剤を、水と低級アルコールに分散せしめて水性エマルジョンインキとしたものも使用でき、特に、レリーフホログラム形成層３の上にスクラッチ隠蔽層４を設ける際に、そのレリーフホログラム形成層３の表面に不要な変形や変質を与えないため好適である。
【０２９９】
その金属ペーストの金属としては、銅と亜鉛の合金であるブロンズパウダーや、アルミニウムパウダーを用いる。また、アルミニウムを微粉末化して、脂肪酸等で表面を処理したものを沸点の高い炭化水素溶剤（ ミネラルスピリットなど）でペースト状にしたアルミニウムペーストとしてもよい。
【０３００】
これに、一般の印刷インキに使用する黄、マゼンタ、シアンまたは墨用の着色顔料、チタン白等体質顔料を、適宜、含めて着色タイプとしてもよい。
【０３０１】
その樹脂材料としては、ポリウレタン系樹脂、ポリアクリロニトリル系樹脂や、ポリアクリル酸系樹脂等を用いることができ、このこれら樹脂材料のエマルジョンをインキ組成物の２５ 〜５０％としてアルミニウムペーストや、着色顔料などに、１０〜３５％の水と５％未満のイソプロピルアルコールを加えて攪拌して水性のエマルジョンインキとするものである。これに消泡剤や界面活性剤、もしくは防腐剤等の助剤を０．１〜３％添加することもできる。
【０３０２】
この水性エマルジョンインキ組成物を用いたスクラッチ隠蔽層４の形成は、グラビア印刷法、スクリーン印刷法あるいはアニロックスローラーを介して印刷するフレキソ印刷法などが全面印刷あるいは部分印刷に好適な方法として適用され得る。
【０３０３】
また、スクラッチ隠蔽層４用インキ組成物として、層内にて凝集破壊し易い脆弱性の樹脂を溶剤に溶かしたものに、隠蔽性の顔料としてアルミニウム粉末（銀色）、真鍮粉末（金色）、銅粉末（赤色）など金属粉末、あるいはタルク、カオリンなどの白色の体質顔料を混合したもの、あるいは、これに適宜色の着色顔料や染料を混合して着色したものを使用できる。
【０３０４】
その凝集破壊し易い樹脂としては、異種の樹脂を適宜な配合比率でブレンドしたブレンド樹脂が使用でき、例えば、ポリエチレン、エチレン−酢酸ビニル共重合体（ＥＶＡ）、ポリプロピレン、ポリスチレン、スチレン系重合体、スチレン−ブタジエンゴム、各種ワックス、ロジン、テルペン系樹脂、テルペン系重合体などの樹脂のうちのいずれか２種以上を適宜比率にて配合したブレンド樹脂が使用できる。
【０３０５】
この樹脂を溶解する溶剤としては、トルエン、メチルエチルケトン、メチルイソブチルケトン、キシレン、シクロヘキサノール、酢酸イソブチル、シクロヘキサン、メチルシクロヘキサノン、エチレングリコールモノブチルエーテルなどのグリコール誘導体など、又はこれらの混合溶剤が使用できる。
【０３０６】
スクラッチ隠蔽層４用インキ組成物に用いられる顔料としては、さらに、有機顔料として、キナクリドン系レッド・マゼンタ、アンスラキノン系レッド・イエロー、ポリアゾ系イエロー、ベンズイミダゾロン系イエロー・オレンジ、フタロシアニン系顔料として、銅フタロシアニンブルー（α型、β型）、銅フタロシアニングリーン、異種金属フタロシアニンブルー、スレン系ブルー、アゾ系顔料として、溶性アゾ顔料（カーミン６Ｂ、パーマネントレッド２Ｂ他）、不溶性アゾ顔料（ジスアゾ系、モノアゾ系他）、不溶性多環式顔料（赤：キナクリドン、ペリレン、ジケトピロロピロール、橙：ペリノン、ペリレン、ジケトピロロピロール、黄：キノフタロン、イソインドリノン、緑：フタロシアニン、青：フタロシアニン、インダンスレン、紫：ジオキサジン他）、不溶性レーキ顔料（赤：レーキレッドＣ、ウォチュングレッド他）等がある。
【０３０７】
無機顔料としては、複合酸化物系顔料、微粒子複合酸化物系顔料、紺青、ハイブリッド型顔料等があるが、さらに、弁柄、モリブデンレッド、カドミウムレッド、鉛丹（以上、赤色。）、黄鉛（赤口）、モリブデンオレンジ（橙色）、カドミウムオレンジ（橙色）、群青（ウルトラマリンブルー）、紺青（プルシアンブルー）、コバルトブルー、セルリアン、マンガン青（以上、青色。）、アンバー（茶色。）、黄鉛、カドミウムイエロー、チタン黄、黄色酸化鉄（以上、黄色。）、酸化クロム、コバルトグリーン、ビリジアン、ピーコック（以上、緑色。）、マルス紫、コバルトバイオレット、マンガンバイオレット（以上、紫色。）その他、体質顔料や、金属粉顔料等が用いられる。
【０３０８】
これらの顔料の粒径を、平均粒子径１．０μｍ〜１０μｍの顔料(群）、もしくは、平均粒径０．０１μｍ〜０．１μｍの微粒子顔料(群）として仕上げる。特に、微粒子顔料(群）は、二次凝集しやすく、再分散処理等を施す必要がある。
【０３０９】
もちろん、スクラッチ隠蔽層４用インキ組成物として、レリーフホログラム形成層３、及び、カード基材１との接着性を考慮して材料選定を行う。
【０３１０】
さらに、スクラッチ隠蔽層４のレリーフホログラム形成層３から「はみ出す部分」は、特にスクラッチオフ適正を持つ必要がないため、カード基材１に強固に接着させて、スクラッチ隠蔽層４のスクラッチオフの際に、カード基材１上に残る部分として設計してよい。
【０３１１】
そして、その固着して残る部分を、「所定のパターン状」、すなわち、「不正」、「覗き見」、「削り済み」や「開示」等の「既に削られたことを示す文字や情報を表すパターン状」としてその偽造防止性を高めることができる。
【０３１２】
この目的でのスクラッチ隠蔽層４の形成は、上記と同様の印刷方式等を用いることができる。
【０３１３】
但し、上記した「所定のパターン状」での固着部分を設けるため、スクラッチ隠蔽層４の形成を２段階に分け、その第一段階として、その「所定のパターン状」にあらかじめ、２液硬化型の樹脂材料における硬化剤等を所定の割合の２倍〜５倍程度添加したスクラッチ隠蔽層４用インキ組成物で、一旦、目的の厚さより薄く設けておき（例えば、目的の厚さの１／５〜３／５等。）、第二段階において、その「所定のパターン状」部分を覆うように（他の部分を埋めるように。）、残りの厚さだけ、スクラッチ隠蔽層４用インキ組成物を上乗せする方法を用いてもよい。
（レリーフホログラム形成層、及び地紋印刷）
本発明のスクラッチカードＨ１、及び６のカード基材１の一方の表面に「秘密情報」２形成部を設け、その「秘密情報」２形成部を覆うように、カード基材１の一部に、レリーフホログラム形成層３を設ける。（図１または図２参照。）
本発明のスクラッチカードＨ１、及び６のレリーフホログラム形成層３を構成するための透明樹脂層に用いられる樹脂材料としては、各種の熱可塑性樹脂、熱硬化性樹脂、もしくは電離放射線硬化性樹脂を用いることができる。
【０３１４】
熱可塑性樹脂としてはアクリル酸エステル樹脂、すなわち、ポリメチルメタクリレート（屈折率ｎ＝１．４９）、ポリメチルアクリレート（ｎ＝１．４７）、ポリベンジルメタクリレート（ｎ＝１．５７）、ポリブチルアクリレート（ｎ＝１．４４）、ポリイソブチルアクリレート（ｎ＝１．４８）等、セルロース系樹脂、すなわち、硝酸セルロース（ｎ＝１．５４）、メチルセルロース（ｎ＝１．５０）、セルロース・アセテートプロピオネート（ｎ＝１．４７）等、ビニル系樹脂、すなわち、ポリ酢酸ビニル（ｎ＝１．４７）、ポリ塩化ビニル・酢酸ビニル（ｎ＝１．５４）等、アクリルアミド樹脂（ｎ＝１．５０）、もしくはポリスチレン樹脂（ｎ＝１．６０）等が、また、熱硬化性樹脂としては、不飽和ポリエステル樹脂（ｎ＝１．６４）、アクリルウレタン樹脂（ｎ＝１．６０）、エポキシ変性アクリル樹脂（ｎ＝１．５５）、メラミン樹脂（ｎ＝１．５６）、エポキシ変性不飽和ポリエステル樹脂（ｎ＝１．６４）、アルキッド樹脂（ｎ＝１．５４）、フェノール樹脂（ｎ＝１．６０）、シリコン樹脂（ｎ＝１．４１〜１．６０）、もしくは、フッ素化樹脂（ｎ＝１．３５〜１．３８）等が挙げられる。（図１または図２参照。）
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【０３１５】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
【０３１６】
また、上記の熱可塑性樹脂、もしくは熱硬化性樹脂に、シリコン樹脂やフッ素含有樹脂、さらには、シリコンオイルを混合したもの、または、熱可塑性樹脂、もしくは熱硬化性樹脂とシリコン樹脂やフッ素含有樹脂を共重合させたものや、熱可塑性樹脂、もしくは熱硬化性樹脂の分子内にシロキサン結合〔―Ｓｉ（Ｒ1）（Ｒ2）−Ｏ―〕やフッ素原子〔−Ｆ〕を導入したものを用いることができる。
【０３１７】
さらには、上記の熱可塑性樹脂、もしくは熱硬化性樹脂に、シリコンパウダー微粒子やフッ素パウダー微粒子を分散させたものを用いることもできる。
【０３１８】
フッ素化樹脂には、完全フッ素化樹脂として、四フッ素化樹脂、部分フッ素化樹脂として、三フッ素化樹脂、ポリフッ化ビニリデン、ポリフッ化ビニル、フッ素化樹脂共重合体として、ペルフルオロアルコキシフッ素樹脂。四フッ化エチレン・六フッ化プロピレン共重合体、エチレン・四フッ化エチレン共重合体、エチレン・クロロトリフルオロエチレン共重合体などを用いることができる。
【０３１９】
さらに、上記の樹脂材料を用いてレリーフホログラム形成層３を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面を、上記の樹脂材料をプレス成型や、射出成型、ブロー成型等により作成した透明樹脂層に押し付けることにより、賦型を行ない、そのＳＥＣ１、及び／または、ＳＥＣ２に、「第一のレリーフホログラム」に係る「第一のホログラムレリーフ」を設ける、もしくは、「レリーフホログラム形成層３」の上面（スクラッチ隠蔽層４と接している面。）、及び／または、「レリーフホログラム形成層３」の下面（カード基材１と接している面。）に、「第二のレリーフホログラム」に係る「第二のホログラムレリーフ」を形成する。（図１または図２参照。それぞれの『レリーフ形状』は、図示していない。）
以下、説明の簡略化のため、「ＳＥＣ１、及び／または、ＳＥＣ２」に、「第一のレリーフホログラム」に係る「第一のホログラムレリーフ」を設ける、もしくは、「レリーフホログラム形成層３」の上面（スクラッチ隠蔽層４と接している面。）、及び／または、「レリーフホログラム形成層３」の下面（カード基材１と接している面。）に、「第二のレリーフホログラム」に係る「第二のホログラムレリーフ」を形成することを、まとめて（それらに共通して適用可能であるため。）、「レリーフホログラム形成層３に、レリーフホログラムのホログラムレリーフを設ける」と表現する。
【０３２０】
熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明樹脂層の片面にレリーフホログラムの微細凹凸を形成することができ、この微細凹凸がホログラムレリーフとなる。
【０３２１】
なお、同様な方法によりパターン状に形成して模様状とした回折格子を有する回折格子形成層も光回折構造（すなわち、レリーフホログラム形成層３のホログラムレリーフ。）として使用できる。
【０３２２】
ホログラムは、物体光と参照光との光の干渉による干渉縞を凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーテッドホログラム（ＣＧＨ）や、ホログラフィック回折格子などがある。また、マシンリーダブルホログラムのように、その再生光を受光部でデータに変換し、「秘密情報」２として、もしくは、「秘密情報」２の一部構成情報として伝達したり、真偽判定を行うものであってもよい。
【０３２３】
さらに、微細な凹凸（すなわち、ホログラムレリーフ。）を精密に作成するため、光学的な方法だけでなく、電子線描画装置を用いて、精密に設計されたレリーフ構造を作り出し、より精密で複雑な再生光を作り出すものであってもよい。
【０３２４】
このレリーフ形状は、ホログラムを再生する光、もしくは、光源の波長（域）と、再生する方向、及び強度によってその凹凸のピッチや、深さ、もしくは特定の周期的形状が設計される。
【０３２５】
凹凸のピッチ（周期）は再生角度に依存し、通常０．１μｍ〜数μｍであり、凹凸の深さは、再生強度に大きな影響を与える要素であって、通常０．１μｍ〜２μｍである。
【０３２６】
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、像の個々の点が焦点に収束するものは、その焦点への収束精度が向上し、再生像が鮮明となる。
【０３２７】
また、ホログラムレリーフ面にホログラム画像の凹凸とは異なる周期や、形状の凹凸が存在すると、それはホログラムもしくは回折格子の再生時のノイズとなり、像を不鮮明にする要因となる。
【０３２８】
ホログラムレリーフ形状を賦形（複製ともいう）する方法は、回折格子や干渉縞が凹凸の形で記録された原版をプレス型（スタンパという）として用い、上記レリーフホログラム形成層３上に、原版を重ねて加熱ロールなどの適宜な手段により、両者を加熱圧着することにより、原版の凹凸模様を複製することができる。形成するホログラムパターンは単独でも、複数でもよい。
【０３２９】
上記の極微細な形状を精密に再現するため、また、複製後の熱収縮などの歪みや変形を最小とするため、原版は金属を使用し、低温、且つ、高圧下で複製を行うことが望ましい。
【０３３０】
原版は、Ｎｉなどの硬度の高い金属を用いる。光学的撮影もしくは、電子線描画などにより形成したガラスマスターなどの表面にＣｒ、または、Ｎｉ薄膜を真空蒸着法、スパッタリングなどにより５〜５０ｎｍ形成後、Ｎｉなどを電着法（電気めっき、無電解めっき、さらには複合めっきなど）により５０〜１０００μｍの厚さで形成した後、それらの金属を剥離することで作ることができる。
【０３３１】
高圧回転式の複製に用いるためには、このＮｉ層の厚み精度を高くする必要があり、通常±１０μｍ、好ましくは、±１μｍとする。このため、裏面の研磨や、平坦化方法を用いてもよい。
【０３３２】
複製方式は、高圧とするため、平板式でなく、回転式を用い、線圧１００ｋｇ／ｍ〜１００００ｋｇ／ｍ、好ましくは、５０００ｋｇ／ｍ以上とする。複製用シリンダーは、その直径が小さいとレリーフの再現性が低下するため、複製シリンダー直径は大きい方が好ましく、通常、直径０．１ｍ〜２．０ｍ、好ましくは、１．０ｍ以上の弧を使用する。
【０３３３】
レリーフホログラム形成層３をこの複製用シリンダーに沿って押し当て、そして、裏面に金属製シリンダーがある場合には、その金属製シリンダーにより挟んで、上記圧力にて複製を実施する。複製後の熱収縮などの歪みや変形を最小限とするためには、レリーフホログラム形成層３全体を加熱するのではなく、レリーフホログラム形成層３のホログラムレリーフ面側の一部のみを加熱する方法が望ましい。通常６０℃〜１１０℃に加熱する。（複製プロセスは、図示していない。）
さらに、ホログラムレリーフ面が、レリーフホログラム形成層３と接着層との間の界面にある場合も同様の手法を用いて本発明のスクラッチカードを作製とすることができ、そして同様の好適な効果を得ることができる。
【０３３４】
この場合には、本発明のスクラッチカードＨ１、及び６のカード基材１上に、「秘密情報」２形成部を設け、その「秘密情報」２形成部を覆うように、接着層をカード基材１上に設けた後、この接着層の露出している面に、上記と同様の方法を用いて、ホログラムレリーフを複製し、そのホログラムレリーフを埋めるように、レリーフホログラム形成層３を、上記と同様の材料、及び、方法を用いて、同様の厚さに形成する。（接着層は図示していない。）
この構成の場合には、レリーフホログラム形成層３とその上に設けられるスクラッチ隠蔽層４との界面が、平坦な面となるとともに、スクラッチ隠蔽層４をスクラッチオフする際に、この平坦な面上をコインや爪が引っ掻くこととなり、比較的、スクラッチ隠蔽層５が削れやすく、また、スクラッチカードをの削り残りが発生し難くなって、スクラッチオフ適正に優れるものとなる。
【０３３５】
この効果は、レリーフホログラム形成層３中に、シリコン樹脂、または、シリコンオイル等の離型剤を１０〜３０％の割合で含めていた場合にさらに増幅される。
【０３３６】
また、レリーフホログラム形成層３の「断面」を「光学的な鏡面」とするため、レリーフホログラム形成層３を、予め、ＹＡＧレーザーや、Ｎｄ：ＹＡＧレーザー等の固体レーザー、または、炭酸ガスレーザーや、エキシマレーザー等のガスレーザーを用いた、レーザー切断法等の方法により、所定のサイズに切断し、その切断面（『断面』）を「光学的な鏡面」として仕上げることも好適である。（手順は図示せず。）
さらには、レリーフホログラム形成層３への「所定の入射光」や、レリーフホログラム形成層３からの「所定の出射光」を、カード基材１の表面に平行な「光」ではなく、その表面に対して仰角１０度〜６０度の入射角、もしくは、出射角とするため、レリーフホログラム形成層３の「断面」の外側に隣接して、同一の厚さで、同一の横幅を持ち、奥行方向（表面の『長方形』における『縦方向』を意味する。）に、０．１ｍｍ〜５．０ｍｍの長さを持つ、「その『斜面』が、『所定の角度で傾斜している反射面』となっているプリズム（透明な樹脂、もしくは、透明な樹脂＋反射性薄膜層で構成される。）や、シリンドリカルレンズなど」をそれぞれ、「入射光」側と、「出射光」側に設けてことも、真正性判定の容易性から好ましい。
【０３３７】
そのレリーフホログラム形成層３の厚さは、１０μｍ〜１０００μｍとする。好適には、１００μｍ〜５００μｍとする。
【０３３８】
これらのレリーフホログラム形成層３、及び／または、スクラッチ隠蔽層４の上に、さらには、黒色層もしくは反射性薄膜層の上に、本発明のスクラッチカードＨ１、及び６の用途に応じた印刷デザインや、ホログラムデザインにより、オフセット印刷や、グラビア印刷等を用いて、１．０〜１０．０μｍの厚さで地紋印刷５を施す。（図４参照。スクラッチ隠蔽層４上に幾何学模様の地紋印刷５を施している。）
レリーフホログラム形成層３、及び／または、スクラッチ隠蔽層４の上に、さらには、黒色層もしくは反射性薄膜層の上に、この地紋印刷５以外の通常デザイン（主要なデザイン模様等）の印刷を施し、その意匠性を高めることができることは言うまでもない。
【０３３９】
さらに、スクラッチ隠蔽層４の上に、または、スクラッチ隠蔽層４及び地紋印刷５の上に、セルロース系樹脂、ポリエステル系樹脂、ビニル系樹脂、エポキシ系樹脂、アクリル系樹脂、これらの共重合体さらには電離放射線硬化樹脂等の保護層を、感熱溶融転写方式、昇華転写方式、インクジェット方式で、１〜３μｍ厚さに形成して、「秘密情報」２の隠蔽をさらに強化してもよい。（図示せず。）
但し、レリーフホログラム形成層３やスクラッチ隠蔽層４の表面の一部が、上記したように、意図して「粗い粗面」を設けた部分である場合には、この大きな凹凸に追従して印刷可能なインクジェット方式や、この凹凸に影響され難い感熱転写方式、もしくは、昇華転写方式を用いて地紋印刷５を行ってもよい。さらに、このような感熱転写方式、もしくは、昇華転写方式を用いて、その大きな凹凸の凸部のみに印刷を行い、不正なスクラッチにより非常に容易に地紋印刷５が破壊されるようにすることもできる。
【０３４０】
特に、昇華転写方式は、レリーフホログラム形成層３を構成する樹脂層に浸透し、独特の風合いを醸し出すことができる。
【０３４１】
地紋印刷５を形成する位置は、レリーフホログラム形成層３上やスクラッチ隠蔽層４上の全面に均一に設けてもよいし（図４参照。図４では、スクラッチ隠蔽層４上に地紋印刷５をその全面に形成している例を示している。）、部分的に設けてもよく、さらには、複数の領域に分散して設けてもよい。（図示せず。）
そして、この地紋印刷５を、スクラッチ隠蔽層４上、及びスクラッチ隠蔽層４とレリーフホログラム形成層３との間、の両方に設け、且つ、そのデザイン及び、形成位置をスクラッチ隠蔽層４の上下で、位置を異ならせたり、同一としたりすることも、その意外性や偽造防止性を高めるため好適である。（図示せず。）
また、本発明のスクラッチカードＨ１、及び６において、レリーフホログラム形成層３の背面に、すなわち、カード基材１とレリーフホログラム形成層３との間（その上に形成された「秘密情報」２形成部上を除く）の所定の位置に、黒色層を設けることができる。（図示せず。）
ここで、黒色層は、部分的、且つ、離散的に複数形成してもよい。そして、この黒色層のパターンによって、何らかのデザインを表すものとしてもよい。（図示せず。）
黒色層は、微粒子カーボンブラックや、超微粒子カーボンブラック、その他の炭素系黒色顔料や酸化物系黒色顔料の微粒子や超微粒子、さらには、含金属黒色染料（金属錯塩染料）等を、含有率で２０〜７０質量％として、透明樹脂、例えば、熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等に２次凝集を少なくするように、ガラスビーズやスチールビーズを用いたボールミル、ニーダー、ロールミル等による混練りを十分行い、溶剤等で粘度調整をして、グラビア方式、オフセット方式、シルクスクリーン方式、カーテンコート方式、ノズルコート方式、インクジェット方式さらには、フレキソ印刷方式を適宜用いて均一な厚さに形成することができる。（図示せず。）
この場合、レリーフホログラム形成層３、または、カード基材１上との密着性の高いものを選定する。
【０３４２】
もちろん、黒色層として、上記の顔料や染料を同様の割合含んだプラスチックフィルムを用いることも好適である。
【０３４３】
この場合には、予め、そのフィルムの表面を「光学的な鏡面」として仕上げておくことができ、且つ、屈折率を調整し易く、さらには、その厚さムラも高い精度で制御することが可能となる。
【０３４４】
黒色層の厚さは、２．５μｍ〜２５μｍとし、好適には、５．０μｍ〜２０μｍとする。
【０３４５】
さらに、本発明のスクラッチカードＨ１のレリーフホログラム形成層３のホログラムレリーフに接して且つ追従するように、または、レリーフホログラム形成層３の平坦な面上に、反射性薄膜層を形成することができる。この反射性薄膜層は、入射した光を反射する必要があるため、レリーフホログラム形成層３よりも高い屈折率を有する薄膜層であれば、特に限定されない。（図示せず。）
反射性薄膜層としては、真空薄膜法などにより形成される「金属薄膜」などの「全反射性薄膜層」、または、「金属化合物薄膜」等の「透明反射性薄膜層」のいずれでもよいが、「全反射性薄膜層」の場合には、「秘密情報」２を視認可能（もしくは、所定の識別を可能）とする目的で、「全反射性薄膜層」の「秘密情報」２に該当する領域を開口部とした「部分形成」とする。
【０３４６】
「透明反射性薄膜層」の場合は、「全面形成」であっても、「部分形成」としてもよいが、「秘密情報」２を視認可能な（もしくは、所定の識別が可能な）透明性を持つことが必須である。
【０３４７】
反射性薄膜層の形成には、真空薄膜法等の物理的薄膜形成方法や、メッキ等の化学的薄膜形成方法を用いることができ、その厚さとして、１０〜２０００ｎｍ程度、好ましくは２０〜１０００ｎｍの厚さになるように設ける。
【０３４８】
「透明反射性薄膜層」としては、ほぼ無色透明な色相で、その光学的な屈折率がレリーフホログラム形成層３のそれとは異なることにより、金属光沢が無いにもかかわらず、ホログラムなどの光輝性を視認できることから、「透明なホログラム」を作製することができる。
【０３４９】
例えば、レリーフホログラム形成層３よりも光屈折率の高い薄膜層には、例として、ＺｎＳ、ＴｉＯx（Ｘ＝１．０〜２．０）、Ａｌ2Ｏ3、Ｓｂ2Ｓ3、ＳｉＯ、ＳｎＯ2、ＩＴＯなどがある。
【０３５０】
好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物または窒化物他はそれらを２種以上を混合したものなど（透明な金属化合物）が例示できる。
【０３５１】
またアルミニウムなどの一般的な光反射性（可視光波長のほぼ全域にわたる反射、すなわち、「全反射」に近い性質を有する。）の金属薄膜も、厚みが２０ｎｍ以下になると、透明性が出て使用できる。
【０３５２】
「透明反射性薄膜層」の形成は、金属の薄膜と同様、１０〜２０００ｎｍ程度、好ましくは２０〜１０００ｎｍの厚さになるよう、蒸着、スパッタリング、イオンプレーティング、ＣＶＤ（化学気相成長法）などの真空薄膜法などにより設ければよい。
【０３５３】
特にＣＶＤ法は、レリーフホログラム形成層３への熱的ダメージが少ない。また、他の薄膜形成法を用いても、形成する薄膜層を薄くしておくと、その熱的ダメージを少なくすることができる。例えば、アルミニウム蒸着層であれば、形成条件によるが、厚さにして、ほぼ２０ｎｍのものあたりが、透明性が無くなり全反射性を出現する臨界点である。この厚さは薄膜材料、形成方法、金属加熱温度・真空度等の形成条件により異なる。
【０３５４】
そして、本発明のスクラッチカードＨ１、及び６において、カード基材１（その上に形成されている「秘密情報」２形成部を覆うように設けることとなる。）とレリーフホログラム形成層３との間、カード基材１と上記した黒色層との間、さらには、部分的ではあるが、カード基材１とスクラッチ隠蔽層４との間に、接着層を設けることができる。（図示せず。）
ここで、接着層としては、従来公知の溶剤系及び水系のいずれの接着剤、例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などが挙げられる。自然にやさしい材料構成とするために、特に、天然ゴムを主成分とするラテックス、それを変性したもの、特に天然ゴムにスチレン特にメタクリルさんメチルとをグラフト重合させて得た天然ゴムラテックス等の天然素材から作製されたものを用いても良い。
【０３５５】
接着層に用いられる溶剤としては、溶剤類、例えば、ケトン類（アセトン、メチルエチルケトン、メチルイソブチルケトン、シクロヘキサノン、ジアセトンアルコール、イソホロン、ジイソブチルケトン、等。）、アルコール類（メタノール、エタノール、イソプロピルアルコール、ｎ−プロピルアルコール、イソブチルアルコール、ｎ−ブチルアルコール等、さらにはその水溶液。）、芳香族類（ベンゼン、トルエン、キシレン、ソルベッソＮｏ．１００、ソルベッソＮｏ．１５０、カクタスＰ−１８０等。）、環状炭化水素類（シクロヘキサン等）、エステル類（酢酸エチル、酢酸ブチル、酢酸イソブチル、プロピレングリコールモノメチルエーテルアセテート、酢酸セルソルブ、エチルー３−エトキシプロピオネート等。）、エーテル類（テトラヒドロフラン、メチルセルソルブ、エチルセルソルブ、ブチルセルソルブ、ｔ−ブチルセルソルブ等。）等を用いることができる。
【０３５６】
接着層の形成厚さは、１．０μｍ〜３０μｍとする。
【０３５７】
接着層の形成方法としては、グラビアコート、ロールコート、コンマコートなどの方法で、カード基材１上、及び、「秘密情報」２上に、塗布し乾燥して形成することができる。また、より精密な印刷を要する場合には、ステンレススクリーン印刷方法や、活版印刷方式、オフセット印刷方式、フォトレジスト処理方式等を用いることができる。（図示せず。）
または、カード基材１上に、レリーフホログラム形成層３及びスクラッチ隠蔽層４を形成する前に、そのレリーフホログラム形成層３のカード基材１側に、接着層を設け、スクラッチ隠蔽層４とともに、カード基材１に接着させる手順を採用することができる。
【０３５８】
もしくは、レリーフホログラム形成層３（この上に黒色層が設けられていてもよい。）より一回り大きく設けたスクラッチ隠蔽層４の露出面を含んで、レリーフホログラム形成層３の全体及びスクラッチ隠蔽層４のその一部分に、接着層を設け、レリーフホログラム形成層３及びスクラッチ隠蔽層４をカード基材１上に設ける手順とし、レリーフホログラム形成層３の断面をスクラッチ隠蔽層４が覆い隠すものとする。
【０３５９】
いずれの手順においても、それぞれ、同様の形成方法を用い、同様の厚さとすることができる。
【０３６０】
接着層の接着力は、カード基材１、及び、「秘密情報」２と、接着層との界面の剥離強度、さらには、少なくともレリーフホログラム形成層３と、接着層との界面の剥離強度として、ＪＩＳ  Ｚ０２３７準拠の１８０°による剥離方法において、１．０〜３．０ｋｇ／２５ｍｍ巾の範囲にすることが望ましい。もちろん、それ以上の剥離強度を有していても、本発明の目的には適合している。
【０３６１】
特に、カード基材１及びカード基材１上の「秘密情報」２形成部との接着力は、本発明の目的より、本発明のスクラッチカードＨ１、及び６のカード基材１及びカード基材１上の「秘密情報」２形成部から剥がすことが困難となるレベルまで大きいものとする必要があるが、その接着層とカード基材１及びカード基材１上の「秘密情報」２形成部との界面の剥離強度よりも、接着層とレリーフホログラム形成層３との界面の剥離強度を、より大きいものとなるように設計する。
【０３６２】
接着層には、その接着強度やその堅さ（層としての堅牢度を意味する。）及び耐熱性を調整する目的で、微粒子透明顔料や超微粒子顔料を添加することができる。
【０３６３】
その微粒子透明顔料や超微粒子顔料としては、炭酸カルシウム、硫酸バリウム、水酸化アルミニウム、クレー、カオリン、ホワイトカーボン、アルミナホワイト、珪藻土、石膏、タルク、珪石粉等の体質顔料を細かく粉砕したものや、マイクロシリカ等の無機微粒子、シリコン樹脂やフッ素樹脂粉末等の微粒子樹脂紛体、その他、平均粒径で、０．１μｍ〜０．０１μｍとした微粒子顔料や、０．０１μｍ以下とした超微粒子顔料を使用する。
【０３６４】
具体的には、天然に産する方解石、氷州席、アラゴナイト、石灰岩、大理石、貝殻、チョーク、重晶石、石膏、ギブス石などを微粉砕したものや、その合成物において平均粒径を調整したもの、さらには、一般的に用いられる無機顔料、や有機顔料においても、超微粒子酸化チタンや超微粒子酸化ジルコニウム等、その平均粒径を、０．０１μｍ以下としたもの等は、適宜な樹脂材料との混合において、透明となるため、好適である。
【０３６５】
具体例としては、超微粒子酸化チタン（石原産業株式会社製ＴＴＯ−５５Ｎ：屈折率ｎ＝２．４）を適宜な樹脂に分散した場合に、その屈折率は、１．９〜２．０であり、また、超微粒子酸化ジルコニウム（動的光散乱法における平均粒径０．０００１μｍ〜０．０５μｍ）を適宜な樹脂に分散した場合に、「層」としての屈折率は、１．７〜１．９となる。
【０３６６】
但し、この粒径のものは、二次凝集しやすく、ニーダー等の適宜な分散処理機に繰り返し通すなどの再分散処理等を施す必要がある。添加量は、屈折率の向上度合いと透明性とのバランスで決められるが、通常、１％〜２０％添加が好適である。
【０３６７】
その形成方法、及び、厚さは、上記した方法、及び、厚さとする。
【０３６８】
このように、接着層をも高い屈折率を持つものとすると、接着層とレリーフホログラム形成層３とが直接接している界面における反射率を高くすることができ、この界面上に位置するレリーフホログラム形成層３から再生されるレリーフホログラム再生像をより鮮明なものとすることができ好適である。
【０３６９】
このようにして形成した本発明のスクラッチカードＨ１、及び６を、通常の照明光下で、観察したところ、「単なるスクラッチカード」であると判断できたが、そのスクラッチ層の下に隠されていると推定される「秘密情報」２は、全く視認できず、もちろん、レリーフホログラム形成層３については、その存在すら想像できないものであった。（図１または図２参照。）
この際、カード基材１上の所定の位置に、「秘密情報」２として、連続数字１〜８が印字されており（図３参照。図３には、その所定の位置を示す枠が便宜上表示されている。）、その「秘密情報」２を覆うように、レリーフホログラム形成層３及びスクラッチ隠蔽層４が設けられることとなる。（図１または図２参照。）
また、本発明のスクラッチカード６のスクラッチ隠蔽層４上に、幾何学模様からなる地紋印刷５を施した。（図４参照。）
いずれの場合も、目視では、スクラッチ隠蔽層４で覆われた「秘密情報」２、さらには、レリーフホログラム形成層３を、視認することはできず、また、この層を、爪等で破断なくきれいに剥がすことは、到底、不可能であると思われたが、レリーフホログラムの「一方の露出している断面」に、「所定の入射光」を入射させ、その「断面」の対向面にある、「他方の露出している断面」から出射する出射光を観察したところ、レリーフホログラム形成層３による「第一のレリーフホログラム再生像」を視認することができ、そして、本発明のスクラッチカードＨ１、及び６のスクラッチ隠蔽層４、もしくは、地紋印刷５とスクラッチ隠蔽層４を、コインを用いて部分的に削り取ると、その削り取った領域から、その下に隠れていた「秘密情報」２が視認可能となり、同時に、レリーフホログラム形成層３による「第二のレリーフホログラム再生像」が観察可能となって、このようなスクラッチカードＨ１、及び６を偽造することは非常に困難であると思われた。（図示せず。）
【実施例】
【０３７０】
以下、実施例及び比較例により、本発明を更に詳細に説明するが、これに限定されるものではない。なお、溶媒を除き、各層の各組成物は固形分換算の質量部である。
（実施例１）
スクラッチカード６のカード基材１として、厚さ５６０μｍの硬質塩化ビニルシートを、厚さ１００μｍの軟質塩化ビニルシート２枚で挟み込み、総厚さ７６０μｍの３層積層塩化ビニルシート（クレジットカードサイズ）を用いる。
【０３７１】
所定のデザイン印刷は、その硬質塩化ビニルシート上にオフセット印刷にて施した後、所定のラミネート条件にて、３層積層体（１）とした。（図１及び、図２参照。カード基材１の積層状況は図示せず。）
このカード基材１の所定の領域（カード基材１のほぼ中央に位置する領域。）に、インクジェットプリンターにて、「秘密情報」２として、「１２３４５６７８」の番号（各数字文字の高さ４ｍｍ、幅２ｍｍ、文字間隔１ｍｍ。）を印字した。（図１及び、図３参照。）
これとは別に、一方の面にシリコン系離型剤による離型処理が施してある、厚さ３．０μｍのポリエチレンフィルム（片面離型処理済みフィルム。『（離型処理面）３．０μｍＰＥフィルム（非処理面）』とも表す。また、単に『ＰＥフィルム』とも称す。）の、もう一方の面に、下記組成のレリーフホログラム形成層３用インキ組成物を、ステンレススクリーン印刷方式にて、タテ１５ｍｍ×横４０ｍｍのサイズで形成し、乾燥後の厚さとして、５０μｍの厚さとし、これを、６回、繰り返して、３００μｍの厚さとなる、レリーフホログラム形成層３を形成した。（図示せず。）
＜レリーフホログラム形成層３用インキ組成物＞
メラミン樹脂                                                            ４０部
トルエン                                                                  ５部
メチルアルコール                                                          ５部
イソプロピルアルコール                                                  ２０部
エチルセルソルブ                                                        ２０部
ブチルセルソルブ                                                        １０部
この厚さ３．０μｍのＰＥフィルムと、厚さ３００μｍのレリーフホログラム形成層３の「積層体（２）」を、１００シート作成し、これらを位置合わせして重ね合わせ、全体厚さを、３０．３ｍｍとした、「多層積層体（３）」を得た。（図示せず。）
この「多層積層体（３）」を、その表面が滑らかな表面仕上げを施してあるステンレス製の断裁刃（刃先形状を『片刃形状』としたもの。）を用いて、その四方を、丁寧にカッティングし、その４つの「断面」を滑らかな面（平面）としつつ、その上面及び下面の形状が「縦１０ｍｍ×横３０ｍｍ」の長方形となっている、直方体形状の「多層積層体（４）」とした。
【０３７２】
この「多層積層体（４）」は、「（離型処理面）３．０μｍＰＥフィルム（非処理面）／３００μｍレリーフホログラム形成層３／（離型処理面）３．０μｍＰＥフィルム（非処理面）／３００μｍレリーフホログラム形成層３／・・・（離型処理面）３．０μｍＰＥフィルム（非処理面）／３００μｍレリーフホログラム形成層３（この最後の『３００μｍレリーフホログラム形成層３』の露出面を、最表面とする。）」（２００層構成。）の多層となっており、その外形（形状）は、「縦１０ｍｍ×横３０ｍｍ×高さ（厚さ）３０．３ｍｍ」の「直方体形状」であり、その４つの断面が露出し、従って、その中に１００層存在する「３００μｍ厚さのレリーフホログラム形成層３」の一つ一つの層の４つの「断面」も、それぞれ露出している状態であった。
【０３７３】
ここで、その最表面側に位置する「（離型処理面）３．０μｍＰＥフィルム（非処理面）／３００μｍレリーフホログラム形成層３」を観察したとき、その「３００μｍ厚さのレリーフホログラム形成層３」の４つの「断面」は、「縦３００μｍ×横１０ｍｍ」の長方形を成す２つの「断面」と、「縦３００μｍ×横３０ｍｍ」の長方形を成す２つの「断面」で構成されていた。
【０３７４】
その４つの断面を区別するため、「縦３００μｍ×横１０ｍｍ」の長方形を成す２つの「断面」の内、カード基材１の表面を真上から観察したときの、「右側」の「断面」を、「ＳＥＣ１：露出している断面の内、一方の断面」とし、その「断面」に対向している「断面」、すなわち、カード基材１の表面を真上から観察したときの、「左側」の「断面」を、「ＳＥＣ２：露出している断面の内、他方の断面」とする。
【０３７５】
残りの、２つの「断面」、すなわち、「縦３００μｍ×横３０ｍｍ」の長方形を成す２つの「断面」は、本実施例１においては、以下に言及しない。
【０３７６】
そして、レーザ光学系を用いて、互いに１０度の開き角とした、２つの平行光（一方の平行光を、感光材料の面に垂直に入射させ、他方の平行光を、その垂直な平行光に対して、１０度の角度で、感光材料面に入射させる。）を、感光材料上で交差させて露光した後、現像処理を施し、その感光材料上に、単純回折格子（回折効率は、２０％とした。）である「第一のレリーフホログラム」を記録した。
【０３７７】
このときの、感光材料の表面には、その単純回折格子の凹凸形状が形成されており、この凹凸形状が、「第一のレリーフホログラム」の「第一のホログラムレリーフ」となっている。そして、この凹凸形状を、Ｎｉ原版（１）（母型。ホログラムレリーフを複製するための、原版。Ｎｉ原版を作製する手順は省略した。）として準備した。
【０３７８】
この単純回折格子は、同一形状の「溝（凹凸形状となっているが、凹みに注目して、『溝』と称す。『溝』の形状は、その感光材料に対する露光量と、現像時間で定まる。）」が、同一周期（平行光の波長と、互いの開き角で定まる。）で、平行、且つ、整然と並んでいるものであって、その「溝」の方向が、「格子方向」であり、単純回折格子の面（これが、『格子面』となる。）に垂直に入射した「レーザービーム光」は、この「格子方向」とは直交する方向に（『直交する平面内』においてという意味。）、且つ、その「レーザービーム光」に対して１０度の開き角を持って、「回折」され、「レーザービーム光」に対して、「１０度の角度だけ、曲げられ」て、進むこととなる。
【０３７９】
より詳しくは、この単純回折格子の回折効率を２０％とし、「格子面」に垂直に、直進する「０次回折光（入射光の光の強度に対して、『６０％』の光の強度。）」と、その「格子面」の垂直線に対して、「格子方向」と直交する方向に対して、＋１０度方向に曲げられた「＋１次回折光（同２０％。）と、「格子方向」と直交する方向に対して、−１０度方向に曲げられた「−１次回折光（同２０％。）の、３本の「レーザービーム光」に分かれる。
【０３８０】
このＮｉ原版を用いて、「多層積層体（４）」の［ＳＥＣ１：露出している断面の内、一方の断面］が並んでいる「側面」に対して（この『側面』は、『縦３０．３ｍｍ×横１０ｍｍ』の長方形を成す。）、その格子方向が、その「側面」の「縦方向」と平行なるようにして、Ｎｉ原版を押し付け、回転式レリーフホログラム形成装置（原版シリンダー径１．０ｍ、原版面温度１００℃、水冷式、圧力２０００ｋｇ／ｍ、複製速度２ｍ／分。『多層積層体（４）』の６つの『面』の内、残りの５つの『面』を、適宜な『ステンレス板』で固定している。）にて、「第一のレリーフホログラム」（断面レリーフホログラム）の「第一のホログラムレリーフ」（断面ホログラムレリーフ）を、その「側面」に形成した。
【０３８１】
すなわち、その「側面」として露出している、１００層の「レリーフホログラム形成層３」の、一つ一つの「ＳＥＣ１：露出している断面の内、一方の断面」に、この単純回折格子が複製された。このとき、各層の間に、いわば、「分離帯」として挟んでいる「３．０μｍＰＥフィルム」は、軟化して、この複製の阻害要因とはならなかった。（複製プロセスは図示せず。また、図１において、『ホログラムレリーフ』は図示していない。）
次いで、この「多層積層体（４）」の最表面に位置する「（離型処理面）３．０μｍＰＥフィルム（非処理面）／３００μｍレリーフホログラム形成層３」の「レリーフホログラム形成層３」の上に、「厚さ５０μｍのポリエチレンテレフタレートフィルム」をラミネートして、一旦、２０１層とした後、その最上面に位置する３層部分を、その「ＰＥフィルムの離型処理面」から剥離することで、「３．０μｍＰＥフィルム／レリーフホログラム形成層３／厚さ５０μｍのポリエチレンテレフタレートフィルム」の「積層体（５）」を取り出し、さらに、この「積層体（５）」から、「３．０μｍＰＥフィルム」を剥がして、「厚さ５０μｍのポリエチレンテレフタレートフィルム／３００μｍレリーフホログラム形成層３」からなる「積層体（６）」を得た。（図示せず。）
この「積層体（６）」は、「厚さ５０μｍのポリエチレンテレフタレートフィルム／厚さ３００μｍのレリーフホログラム形成層３」の２層構成であり、且つ、その「レリーフホログラム形成層３」の一方の「断面」である「ＳＥＣ１」に、「第一のレリーフホログラム」の「第一のホログラムレリーフ」が形成されている。
【０３８２】
この「一方の断面：ＳＥＣ１」は、「縦３００μｍ×横１０ｍｍ」の長方形であり、その縦方向に平行に、単純回折格子の「格子」が刻まれている。すなわち、その「縦」方向と、「格子方向」が同一方向となっている。（その『縦』方向と、『格子方向』が、『平行である』という意味。）
すなわち、シート状の『積層体（６）』の一つの断面（ＳＥＣ１）に、そのシート面に垂直な方向の「溝」が、整然と並んでいる状態となっている。
【０３８３】
次に、この厚さ３５０μｍの「積層体（６）」の「レリーフホログラム形成層３」の露出面と、カード基材１の「秘密情報」２を設けた表面が接するように、且つ、その「秘密情報」２形成部を覆うように、さらには、１０ｍｍ×３０ｍｍサイズがこのカード基材１のほぼ中央に位置するように、この「積層体（６）」とカード基材１をラミネートし、厚さ５０μｍのポリエチレンテレフタレートフイルムを剥離して、カード基材１上に、厚さ３００μｍで、サイズが１０ｍｍ×３０ｍｍの「レリーフホログラム形成層３」を転写形成した。（図１及び、図２参照。）
その「レリーフホログラム形成層３」の上に、下記組成のスクラッチ隠蔽層４用インキ組成物を、ステンレススクリーン印刷方式にて形成し、乾燥後の厚さとして、スクラッチ隠蔽層４を、１５μｍの厚さで形成し、本発明の実施例１のスクラッチカードＨ１、もしくは６を得た。（図１及び図２参照。このとき、『スクラッチ隠蔽層４用インキ組成物』が、『レリーフホログラム形成層３』の『断面：ＳＥＣ１』に回り込まないように注意した。）
＜スクラッチ隠蔽層４用インキ組成物＞
アクリロニトリル−ブタジエン共重合体                                    ２０部
アクリル樹脂                                                              ５部
顔料ノンリーフィングアルミペースト  アルミニウム微粉末                  ４０部
顔料リーフィングアルミペースト  アルミニウム微粉末                      １０部
イソシアネート系硬化剤                                                    １部
トルエン                                                                １０部
酢酸エチル                                                                ５部
エチルセルソルブ                                                          ９部
この実施例１のスクラッチカードＨ１、もしくは６を、通常の蛍光灯下で観察したところ、スクラッチカードＨ１、もしくは６上にて、「カードの一部に銀色の印刷層」を観察できるのみであり、その下に形成されている、「秘密情報」２の存在、さらには、レリーフホログラム形成層３の存在を窺い知ることはできなかった。（図１及び図２参照。『レリーフホログラム形成層３』の『露出している断面の内、一方、及び、他方の断面ＳＥＣ１及びＳＥＣ２』は、注意深く観察すると視認できたが、『それらの断面』から、『何らかのレリーフホログラム』の存在を認識することは出来なかった。）
次いで、この実施例１のスクラッチカードＨ１、もしくは６上の、カード基材１の表面から突出している「銀色の印刷層」部分の「露出している断面の内、一方、及び、他方の断面ＳＥＣ１及びＳＥＣ２」（『縦１０ｍｍ×横３０ｍｍの長方形の縦１０ｍｍの一辺』と、『厚さ３００μｍの一辺』により形作られる長方形で表される断面となっている。）の内、「露出している断面の内、一方の断面ＳＥＣ１」に垂直に、記録時の「平行光」と同様の平行光である「所定の入射光（平行光１）」を入射させると、「露出している断面の内、他方の断面ＳＥＣ２」から、「第一のレリーフホログラム」による、「第一のレリーフホログラム再生像」である、「その『平行光１』と開き角が１０度の『平行光２』」（すなわち、『平行光２』は、＋１次回折光であって、『平行光１』の進行方向を、『シート』面内に、＋１０度だけ、曲げた平行光である。）が再生され、視認することが出来た。（ホログラム再生像が再生されている状況は図示せず。）
但し、このとき、「平行光１」の「０次回折光」（『平行光１』がその光の強度を６０％としてそのまま直進する平行光。）や、「平行光１」の「−１次回折光」（『平行光１』の進行方向を、『シート』面内に、−１０度だけ、曲げた平行光である。）も、同時に視認されるため、この３つの光（平行光）を、カード基材１から２０ｃｍ程度離れた観測位置において、互いに３ｃｍ程度離れている「３つの光（もしくは、スクリーンにあてた、３つの光の点。）」として、視認することも可能である。
【０３８４】
但し、この３つの光の間隔は、「ＳＥＣ１」から「３０ｍｍ」の距離だけ離れたところで、±５．１ｍｍとなるため、［ＳＥＣ１］への「所定の入射光」として、直径３ｍｍの「レーザービーム光」としたときは、その「レーザービーム光」を、「ＳＥＣ１」の中央に入射させても、その±１次回折光の一部が、対向する「断面」である「ＳＥＣ２」の右端、もしくは左端を外れることとなってしまう。また、その「レーザービーム光」を、「ＳＥＣ１」の左端に入射させると、＋１次回折光と、０次回折光のみを視認できるのみとなり、−１次回折光を視認することができなくなってしまう。
【０３８５】
この現象は、「単純回折格子」に特有の性質ではなく、「回折格子及びホログラム」に共通する性質（但し、ブレーズド回折格子のように、＋１次回折格子のみが存在し、０次回折光や、−１次回折格子が無いものは、これとは異なる現象を示す。）であって、このような性質を利用して、「真正性判定」をすることも可能と思われた。
【０３８６】
次いで、この実施例１のスクラッチカードＨ１、もしくは６上の「銀色の印刷層」部分をコインで引っ掻く（「レリーフホログラム形成層３、及びスクラッチ隠蔽層４」が積層されている領域の、そのスクラッチ隠蔽層４の一部をスクラッチにより除去する。）と、スクラッチ隠蔽層４が部分的に削れ、その削れた部分から、「秘密情報」２の一部を視認でき、このような実施例１のスクラッチカードＨ１、もしくは６を偽造することは、困難と思われた。（図示せず。）
（実施例２）
実施例１において、別に準備したレーザ光学系を用いて撮影した「意匠性の高いホログラム」（第二のレリーフホログラム。三次元立体像。）の「第二のホログラムレリーフ」を備えた、Ｎｉ原版（２）を用意し、実施例１における「積層体（６）」の、その「レリーフホログラム形成層３」の「露出している表面」に、そのＮｉ原版（２）のホログラムレリーフ面を合わせて、回転式レリーフホログラム形成装置（原版シリンダー径１．０ｍ、原版面温度１００℃、加圧シリンダー径０．３ｍ、水冷式、圧力２０００ｋｇ／ｍ、複製速度５ｍ／分）にて、「第二のレリーフホログラム」の「第二のホログラムレリーフ」を、「レリーフホログラム形成層３」の露出している表面上に形成した。（図示していない。）
従って、この「積層体（６）」の「厚さ５０μｍのポリエチレンテレフタレートフィルム」の上に設けられている「レリーフホログラム形成層３」は、その「一方の断面：ＳＥＣ１」に、「第一のレリーフホログラム」の「第一のホログラムレリーフ」（単純回折格子）が形成され、且つ、その露出している表面に、「第二のレリーフホログラム」の「第二のホログラムレリーフ」（意匠性の高いホログラム）が形成されている。
【０３８７】
次に、この厚さ３５０μｍの「積層体（６）」の「レリーフホログラム形成層３」の露出面（『第二のホログラムレリーフ』面）と、カード基材１の「秘密情報」２を設けた表面が接するように、且つ、その「秘密情報」２形成部を覆うように、さらには、１０ｍｍ×３０ｍｍサイズがこのカード基材１のほぼ中央に位置するように、この「積層体（６）」とカード基材１をラミネートし、厚さ５０μｍのポリエチレンテレフタレートフイルムを剥離して、カード基材１上に、厚さ３００μｍで、サイズが１０ｍｍ×３０ｍｍで、厚さが３００μｍの「レリーフホログラム形成層３」を転写形成した。（図１及び、図２参照。このとき、カード基材１の表面も部分的に軟化して、凹凸形状が発生したが、図示していない。）
以上のこと以外は、実施例１と同様にして、本発明の実施例２のスクラッチカードＨ１、もしくは６を得た。
【０３８８】
そして、この実施例２のスクラッチカードＨ１、もしくは６を、実施例１と同様に評価したところ、この実施例２のスクラッチカードＨ１、もしくは６上の「銀色の印刷層」部分をコインで引っ掻く（「レリーフホログラム形成層３、及びスクラッチ隠蔽層４」が積層されている領域の、そのスクラッチ隠蔽層４の一部をスクラッチにより除去する。）と、スクラッチ隠蔽層４が部分的に削れ、その削れた部分から、「秘密情報」２の一部を視認でき、同時に、レリーフホログラム形成層３による「第二のレリーフホログラム再生像」（意匠性の高いホログラム）の一部を観察でき、このような実施例２のスクラッチカードＨ１、もしくは６を偽造することは、さらに困難と思われたこと以外は、実施例１と同様の良好な結果を得た。（図示せず。）
（実施例３）
実施例１において、Ｎｉ原版（３）として、実施例１のＮｉ原版（１）の単純回折格子の「格子方向」を、その「方向」と直交する方向とした、「第二の単純回折格子」を設けた母型を準備した。  このＮｉ原版（３）の表面には、「第一のホログラム（その２）」の「第一のホログラムレリーフ（その２）」の凹凸形状（Ｎｉ原版〔１〕とは、『格子方向』のみが異なり、その『格子方向』が、『シート』面に平行となっているもの。『格子周期』や、『溝』の形状は同一。）が刻まれている。
【０３８９】
そして、このＮｉ原版（３）を用いて、実施例１の「厚さ３００μｍのレリーフホログラム形成層３」の「他方の断面：ＳＥＣ２」に、実施例１と同様にして、その凹凸形状を複製し、「厚さ３００μｍのレリーフホログラム形成層３」の［ＳＥＣ１］には、「第一のレリーフホログラム（その１とする。）」の「第一のホログラムレリーフ（その１とする。）」が設けられ、且つ、その［ＳＥＣ２］には、「第一のレリーフホログラム（その２）」の「第一のホログラムレリーフ（その２）」が設けられている、「厚さ３００μｍのレリーフホログラム形成層３」とした。
【０３９０】
すなわち、この「厚さ３００μｍのレリーフホログラム形成層３」の対向する二つの断面には、それぞれ「第一のレリーフホログラム（その１とその２）」の「第一のホログラムレリーフ（その１とその２）」が形成されていることとなる。
【０３９１】
以上のこと以外は、実施例１と同様にして、本発明の実施例３のスクラッチカードＨ１、もしくは６を得た。
【０３９２】
そして、この実施例３のスクラッチカードＨ１、もしくは６を、実施例１と同様に評価したところ、この実施例３のスクラッチカードＨ１、もしくは６上の、カード基材１の表面から突出している「銀色の印刷層」部分の「露出している断面の内、一方、及び、他方の断面ＳＥＣ１及びＳＥＣ２」（『縦１０ｍｍ×横３０ｍｍの長方形の縦１０ｍｍの一辺』と、『厚さ３００μｍの一辺』により形作られる長方形で表される断面となっている。）の内、「露出している断面の内、一方の断面ＳＥＣ１」に垂直に、記録時の「平行光」と同様の平行光である「所定の入射光（平行光１）」を入射させると、「露出している断面の内、他方の断面ＳＥＣ２」から、「第一のレリーフホログラム（その１とその２）」による、「第一のレリーフホログラム再生像（その１とその２）」である、「その『平行光１』と開き角が１０度であり、且つ、その『平行光１』をそのカード基材１の表面に垂直な平面内において、＋１０度の仰角方向に進む『平行光３』」が再生され、視認することが出来た。（ホログラム再生像が再生されている状況は図示せず。）
すなわち、この「平行光３」は、「第一のレリーフホログラム（その１）」の＋１次回折光として、「平行光１」の進行方向を、「シート」面内に、＋１０度だけ、曲げた「平行光２」となり、その後、その「平行光２」の「第一のレリーフホログラム（その２）」による＋１次回折光として、「平行光２」の進行方向を、「シート」面に垂直な方向に、＋１０度だけ、上向かせた「平行光３」となっている。
【０３９３】
結果として、この「平行光３」は、「平行光１」に対して、「シート面に平行な面内に＋１０度曲げ」て、且つ、「シート面に垂直な面内に＋１０度曲げ」た平行光になっており、このときの「第一のレリーフホログラム（その１）」と「第一のレリーフホログラム（その２）」は、いわば、「連想ホログラム」を構成しており、このような実施例３のスクラッチカードＨ１、もしくは６を偽造することは、著しく困難と思われたこと以外は、実施例１と同様の良好な結果を得た。（図示せず。）
（実施例４）
実施例１において、適宜な剥離性フィルム（厚さ３８μの表面離形処理ポリエチレンテレフタレートフィルム）上に、スクラッチ隠蔽層４を形成し、その露出面と、その剥離性フィルムを、厚さ３ｍｍのステンレス板２枚（その表面に樹脂コートを施して、平均表面粗さＲａで、０．１μｍとした「光学的な鏡面」に仕上げたもの。）の間に挟み込み、その両側から、２００℃、１０9Ｐａでの加圧をする平板プレス処理を施して、スクラッチ隠蔽層４の露出面を「光学的な鏡面」とした、「適宜な剥離性フィルム（厚さ３８μの表面離形処理ポリエチレンテレフタレートフィルム）／厚さ１５μｍのスクラッチ隠蔽層４」の「積層体（７）」を別途準備した。
【０３９４】
次いで、実施例１の「多層積層体（４）」の最表面に位置する「（離型処理面）３．０μｍＰＥフィルム（非処理面）／３００μｍレリーフホログラム形成層３」の「レリーフホログラム形成層３」の上に、その「積層体（７）」の「スクラッチ隠蔽層４」の「光学的な鏡面」とした「露出面」と、その「レリーフホログラム形成層３」の「露出面」が接するようにラミネートして、一旦、２０１層とした後、その最上面に位置する４層部分を、その「ＰＥフィルムの離型処理面」から剥離することで、「３．０μｍＰＥフィルム／レリーフホログラム形成層３／スクラッチ隠蔽層４／厚さ３８μｍの表面離形処理ポリエチレンテレフタレートフィルム」の「積層体（８）」を取り出し、さらに、この「積層体（８）」から、「３．０μｍＰＥフィルム」を剥がしたこと以外は、実施例１と同様にして、本発明の実施例４の「厚さ３８μｍの表面離形処理のポリエチレンテレフタレートフィルム／１５μｍスクラッチ隠蔽層４／３００μｍレリーフホログラム形成層３」からなる３層構成の「積層体（９）」を得た。（図示せず。）
この本発明の実施例４の「積層体（９）」における、「１５μｍスクラッチ隠蔽層４」と「３００μｍレリーフホログラム形成層３」の「界面」は、「光学的な鏡面」となっており、且つ、その「レリーフホログラム形成層３」の一方の「断面」である「ＳＥＣ１」に、実施例１の「第一のレリーフホログラム」の「第一のホログラムレリーフ」が形成されている。
【０３９５】
以下、実施例２と同様にして、その「積層体（９）」の「レリーフホログラム形成層３」の「露出している表面」に、実施例２のＮｉ原版（２）を用いて、実施例２の「第二のレリーフホログラム」の「第二のホログラムレリーフ」を、その「レリーフホログラム形成層３」の露出している表面上に形成した。（図示していない。）
次に、この厚さ３５３μｍの「積層体（９）」の「レリーフホログラム形成層３」の露出面（『第二のホログラムレリーフ』面）と、カード基材１の「秘密情報」２を設けた表面が接するように、且つ、その「秘密情報」２形成部を覆うように、さらには、１０ｍｍ×３０ｍｍサイズがこのカード基材１のほぼ中央に位置するように、この「積層体（６）」とカード基材１をラミネートし、厚さ３８μｍのポリエチレンテレフタレートフイルムを剥離して、カード基材１上に、厚さ３１５μｍで、サイズが１０ｍｍ×３０ｍｍで、「スクラッチ隠蔽層４／レリーフホログラム形成層３」を転写形成した。（図１及び、図２参照。このとき、カード基材１の表面も部分的に軟化して、凹凸形状が発生したが、図示していない。）
以上のこと以外は、実施例１及び実施例２と同様にして、本発明の実施例４のスクラッチカードＨ１、もしくは６を得た。
【０３９６】
そして、この実施例４のスクラッチカードＨ１、もしくは６を、実施例１及び実施例２と同様に評価したところ、この実施例４のスクラッチカードＨ１、もしくは６上の「銀色の印刷層」部分をコインで引っ掻く（「レリーフホログラム形成層３、及びスクラッチ隠蔽層４」が積層されている領域の、そのスクラッチ隠蔽層４の一部をスクラッチにより除去する。）と、スクラッチ隠蔽層４が部分的に削れ、その削れた部分から、「秘密情報」２の一部を視認でき、同時に、レリーフホログラム形成層３による、より鮮明な「第二のレリーフホログラム再生像」（意匠性の高いホログラム）の一部を観察でき、このような実施例４のスクラッチカードＨ１、もしくは６を偽造することは、さらに困難と思われたこと以外は、実施例１及び実施例２と同様の良好な結果を得た。（図示せず。）
（実施例５）
実施例１のスクラッチ隠蔽層４のレリーフホログラム形成層３と接している面とは反対の面（スクラッチ隠蔽層４の露出している面）上に、昇華転写プリンターにて幾何学模様からなる黄色の地紋印刷５を行ったこと以外は、実施例１と同様にして、本発明の実施例５のスクラッチカードＨ１、もしくは６を得た。（図１、図２及び図４参照。図１及び図２において、地紋印刷５は図示していない。図２において、「秘密情報」２を覆う層は、「３及び４」でなく、「３、４及び５」となる。）このとき、昇華転写プリンターの印字部分、すなわち、地紋印刷５の部分はスクラッチ隠蔽層４に浸透しており、スクラッチ隠蔽層４の最表面と、地紋印刷５の表面は同一面を形成している。
【０３９７】
このスクラッチカードＨ１、もしくは６を実施例１と同様に評価したところ、地紋印刷５が独特の風合いを呈して金色に観察されたこと、及び、コインでスクラッチしたところ、地紋印刷５とスクラッチ隠蔽層４が同時に削れ、このスクラッチカードＨ１、もしくは６の偽造が、より困難と思われたこと以外は、実施例１と同様の良好な結果を得た。（図示せず。）
（実施例６）
実施例２において、黒色層に下記組成の黒色層用インキ組成物を用いて、
実施例２の厚さ３５０μｍの「積層体（６）」の「レリーフホログラム形成層３」の露出面（『第二のホログラムレリーフ』面）上に、スクリーン印刷方式を用いて、乾燥後の厚さ１０μｍでその全面に形成して（但し、カード基材１に積層する際に、「秘密情報」２形成部の位置に当たる予定の領域は、除いて形成した。）、「レリーフホログラム形成層３及び黒色層が積層されている厚さ３６０μｍの積層体（１０）」としたこと、及び、この「積層体（１０）」の黒色層面を、カード基材１の「秘密情報」２形成部を含む面に接するようにして、積層したこと以外は、実施例２と同様にして、本発明の実施例６のスクラッチカードＨ１、もしくは、６を得た。（図１及び図２参照。いずれも、黒色層は図示していない。）
＜黒色層用インキ組成物＞
ウレタン樹脂                                                          ２５部
カーボンブラック                                                      ２０部
トルエン                                                              １５部
イソプロピルアルコール                                                １５部
ブチルセルソルブ                                                      ２５部
この実施例６のスクラッチカードＨ１、もしくは、６を、実施例２と同様に評価したところ、レリーフホログラム形成層３による第二のレリーフホログラム再生像「意匠性の高いホログラム」が非常に鮮明に観察でき、このスクラッチカードＨ１、もしくは６を偽造することは、より困難と思われたこと以外は実施例２と同様の良好な結果を得た。（図示せず。）
（実施例７）
実施例１において、下記組成のスクラッチ隠蔽層４用インキ組成物を用いて、同様の方式、同様の厚さで、スクラッチ隠蔽層４を形成したこと以外は、実施例１と同様にして、本発明の実施例７のスクラッチカードＨ１、もしくは６を得た。（図１及び図２参照。）
＜スクラッチ隠蔽層４用インキ組成物＞
アクリロニトリル−ブタジエン共重合体                                    ２０部
アクリル樹脂                                                              ５部
顔料アルミペースト  アルミニウム微粉末（平均粒径８μｍ）                ３０部
微粒子酸化ジルコニウム（平均粒径：０．０１μｍ）                        ２０部
シリコーンオイル                                                          ５部
トルエン                                                                １０部
酢酸エチル                                                                ５部
エチルセルソルブ                                                          ５部
この実施例７のスクラッチカードＨ１、もしくは６を、実施例１と同様に評価し、さらに、そのスクラッチ隠蔽層４を、その「層全体」を剥がす試みとして、カード基材１を９０度近く湾曲させたところ、実施例１と同様の良好な結果に加え、スクラッチ隠蔽層４のスクラッチオフしていない部分に「剥離痕」状のシワが発生し、そのシワがカード基材１を再び平らな状態に戻しても消えず（逆に、シワが発生した部分に、一部、裂け目まで発生。）、固定化してしまったことから、この実施例７のスクラッチカードＨ１、もしくは６の偽造が非常に困難であると思われたこと以外は、実施例１と同様の良好な結果を得た。（図示せず。）
（比較例）
実施例１において、レリーフホログラム形成層３を設けず、スクラッチカードを形成したこと以外は、実施例１と同様にして比較例のスクラッチカードを得た。
【０３９８】
このスクラッチカードを実施例１と同様に評価したところ、スクラッチオフにより、「秘密情報」２を視認することはできたが、ホログラム（再生像）が発現せず、このスクラッチカードの偽造や変造が容易と推定された。
【符号の説明】
【０３９９】
Ｈ１、６  スクラッチカード
１        カード基材
２        「秘密情報」
３        レリーフホログラム形成層
ＳＥＣ１  露出している断面の内、一方の断面
ＳＥＣ２  露出している断面の内、他方の断面
４        スクラッチ隠蔽層
５        地紋印刷
【図１】
0006379936.tif 000002
【図２】
0006379936.tif 000003
【図３】
0006379936.tif 000004
【図４】
0006379936.tif 000005